(57)【要約】シンセティックジェットの原理を利用するダイアフォニック弁を本明細書で開示する。ダイアフォニック弁ポンプは、インイヤ式バルーンの膨張のために提供される。本発明のより複雑な実施形態は、複数のシンセティックジェット発生開口部の積層、および振動する薄いポリマー膜を含む。本発明の１つ以上の実施形態では、膨張型部材（バルーン）を膨張または収縮させる静圧の生成のために、新規応用が提供される。加えて、音を聴く目的に対して、個人の耳の中において膨張型部材を膨張または収縮させるために音を利用することができる。
2012526498.tif 000002
【特許請求の範囲】
【請求項１】
耳用デバイス用の圧力発生システムであって、
電気信号発生器と、
前記信号発生器に電気的に接続された第１の受信機（音響ドライバ）であって、前記信号発生器から受信される電気信号に応答して、音声信号を発生させることが可能である、第１の受信機と、
前記第１の受信機に連結された第１の音作動型ポンプであって、第１のモードにおいて、前記第１の受信機からの音声信号に応答して、出口ポートから空気を排出することが可能である、第１の音作動型ポンプと、
排出された空気によって充填される前記出口ポートに連結された膨張型部材であって、前記膨張型部材は、ユーザの外耳道内に位置付けるために好適である、膨張型部材と
を備えている、圧力発生システム。
【請求項２】
前記第１の音作動型ポンプは、
第１の基材および円錐形の開口部であって、前記開口部は、前記第１の基材を通り、前記出口ポートと整列している、第１の基材および円錐形の開口部と、
空気を前記開口部に方向付けるための入口ポートと、
出口管３８であって、第１端によって前記円錐形の開口部の狭窄端に流体連結された出口管３８と
を備えている、請求項１に記載の圧力発生システム。
【請求項３】
前記入口ポートに接続された管をさらに備えている、請求項２に記載の圧力発生システム。
【請求項４】
前記入口ポートは、前記基材を通過する、請求項３に記載の圧力発生システム。
【請求項５】
前記入口ポートは、前記基材の近位側にある、請求項３に記載の圧力発生システム。
【請求項６】
前記入口ポートは、前記基材の遠位側にある、請求項３に記載の圧力発生システム。
【請求項７】
前記第１の音作動型ポンプは、
隣接して積層された複数の基材であって、前記複数の基材のそれぞれは、基材を通る円錐形の開口部を備え、前記開口部は、前記第１の音作動型ポンプの出口ポートと整列している、複数基材と、
空気を第１の開口部に方向付けるための入口ポートと、
出口管３８であって、第１端によって前記第１の音作動型ポンプの出口ポートに流体連結された出口管３８と
を備えている、請求項２に記載の圧力発生システム。
【請求項８】
前記入口ポートに接続された管をさらに備えている、請求項７に記載の圧力発生システム。
【請求項９】
前記入口ポートは、前記基材を通過する、請求項８に記載の圧力発生システム。
【請求項１０】
前記入口ポートは、前記基材の近位にある、請求項８に記載の圧力発生システム。
【請求項１１】
前記入口ポートは、前記基材の遠位にある、請求項８に記載の圧力発生システム。
【請求項１２】
基材の数は、３つ以下である、請求項７に記載の圧力発生システム。
【請求項１３】
隣接する基材の間に位置付けられた膜をさらに備えている、請求項７に記載の圧力発生システム。
【請求項１４】
前記膜は、少なくとも１つの細孔を備えている、請求項１３に記載の圧力発生システム。
【請求項１５】
前記少なくとも１つの細孔は、各隣接基材の前記開口部からオフセットされている、請求項１４に記載の圧力発生システム。
【請求項１６】
第１の基材の前記入口ポートに接続された管をさらに備え、前記入口ポートは、前記膜の近位にある、請求項１５に記載の圧力発生システム。
【請求項１７】
前記入口ポートは、前記第１の基材の近位にある、請求項１６に記載の圧力発生システム。
【請求項１８】
前記入口ポートは、前記第１の基材を通過する、請求項１６に記載の圧力発生システム。
【請求項１９】
前記膨張型部材の膨張および収縮を制御するために、前記第１の音作動型ポンプおよび前記膨張型部材に接続されたルーティングマニホールドをさらに備えている、請求項１に記載の圧力発生システム。
【請求項２０】
前記膨張型部材の膨張および収縮を制御するために、前記入口ポート、前記出口管３８、および前記膨張型部材に接続されたルーティングマニホールドをさらに備えている、請求項２に記載の圧力発生システム。
【請求項２１】
前記ルーティングマニホールドは、周囲から前記入口ポートへ、および前記出口管３８から前記膨張型部材へ空気が方向付けられる膨張モードと、前記膨張型部材から前記入口ポートへ、および前記出口管３８から周囲へ空気が方向付けられる、収縮モードとの間で、動作を切り替えることが可能である、請求項２０に記載の圧力発生システム。
【請求項２２】
前記信号発生器に電気的に接続された第２の受信機（音響ドライバ）をさらに備え、前記第２の受信機は、前記信号発生器から受信された電気信号に応答して、音声出力信号を発生させることが可能である、請求項１に記載の圧力発生システム。
【請求項２３】
前記第２の受信機（音響ドライバ）は、前記第２の受信機の音声出力信号を方向付ける音響管に接続されている、請求項２２に記載の圧力発生システム。
【請求項２４】
前記膨張型部材は、前記音響管を介して前記出口ポートに連結されている、請求項２３に記載の圧力発生システム。
【請求項２５】
前記膨張型部材は、通路を画定する円環状であり、前記音響管は、前記膨張型部材の前記通路を通って延在する、請求項２３に記載の圧力発生システム。
【請求項２６】
前記膨張型部材を前記第１の音作動型ポンプの出口ポートに接続する音響管をさらに備えている、請求項１に記載の圧力発生システム。
【請求項２７】
前記膨張型部材は、通路を画定する円環状であり、前記音響管は、前記膨張型部材の前記通路を通って延在する、請求項２６に記載の圧力発生システム。
【請求項２８】
前記信号発生器に電気的に接続された第２の受信機（音響ドライバ）をさらに備え、前記第２の受信機は、前記信号発生器から受信された電気信号に応答して、音声出力信号を発生させることが可能であり、それを通して前記第２の受信機の音声出力信号が方向付けられる前記音響管に接続されている、請求項２６に記載の圧力発生システム。
【請求項２９】
前記膨張型部材は、前記第１の音作動型ポンプの出口ポートから取り外し可能である、請求項１に記載の圧力発生システム。
【請求項３０】
前記電気信号発生器、前記第１の受信機（音響ドライバ）、および前記第１の音作動型ポンプは、筐体内で固定され、前記膨張型部材は、前記筐体に取り外し可能に接続されている、請求項１に記載の圧力発生ポンプ。
【請求項３１】
前記電気信号発生器、前記第１の受信機（音響ドライバ）、および前記第１の音作動型ポンプは、筐体内で固定され、前記筐体は、前記膨張型部材内に位置付けられている、請求項１に記載の圧力発生ポンプ。
【請求項３２】
前記電気信号発生器、前記第１の受信機（音響ドライバ）、および前記第１の音作動型ポンプは、筐体内で固定され、前記筐体は、前記膨張型部材の前記通路内に位置付けられている、請求項２７に記載の圧力発生ポンプ。
【請求項３３】
前記第２の受信機（音響ドライバ）は、前記膨張型部材内に位置付けられている、請求項２２に記載の圧力発生ポンプ。
【請求項３４】
インピーダンス整合構成をさらに備えている、請求項１に記載の圧力発生ポンプ。
【請求項３５】
前記インピーダンス整合構成は、前記膨張型部材の機械的柔軟性を備えている、請求項３４に記載の圧力発生ポンプ。
【請求項３６】
前記第１の音作動型ポンプは、吸気ストロークおよび排気ストロークを有する動作サイクルを備え、前記吸気ストロークは、動作サイクル時間の約６０から約９９％の範囲を備えている、請求項１に記載の圧力発生ポンプ。
【請求項３７】
前記吸気ストロークは、前記動作サイクル時間の約９５％を備えている、請求項３６に記載の圧力発生ポンプ。
【請求項３８】
前記動作サイクルは、可逆的である、請求項３６に記載の圧力発生ポンプ。
【請求項３９】
前記第１の受信機からの音声信号は、鋸歯状波形を備えている、請求項１に記載の圧力発生ポンプ。
【請求項４０】
前記鋸歯状波形は、非対称である、請求項３９に記載の圧力発生ポンプ。
【請求項４１】
前記鋸歯状波形は、可逆的である、請求項４０に記載の圧力発生ポンプ。
【請求項４２】
前記膨張型部材に連結された圧力センサをさらに備えている、請求項１に記載の圧力発生ポンプ。
【請求項４３】
前記圧力センサは、送出を調節するために、前記第１の音作動型ポンプに連結されている、請求項４２に記載の圧力発生ポンプ。
【請求項４４】
前記膨張型部材の膨張を制御するために、フィードバック機構をさらに備えている、請求項１に記載の圧力発生ポンプ。
【請求項４５】
前記フィードバック機構は、前記膨張型部材内の圧力を決定するための圧力センサを備えている、請求項４４に記載の圧力発生ポンプ。
【請求項４６】
前記圧力センサは、送出を調節するために、前記第１の音作動型ポンプに連結されている、請求項４５に記載の圧力発生ポンプ。
【請求項４７】
前記フィードバック機構は、前記第１の音作動型ポンプに接続されたフィードバック・サーボ回路を備えている、請求項４４に記載の圧力発生ポンプ。
【請求項４８】
前記第１の音作動型ポンプは、第２のモードにおいて、前記出口ポートを通して前記ポンプの中へ空気を引き込むことが可能である、請求項１に記載の圧力発生ポンプ。
【請求項４９】
個人の外耳道の中に配置するための挿入型イヤモールドであって、
軟質弾性外側材料でできている変形可能な筐体であって、内部空間を画定する筐体と、
前記内部空間内に位置付けられた音声受信機であって、前記音声受信機は、前記変形可能な筐体の表面上の音声ポート開口を有し、前記音声ポートを介して音声信号を捕捉することが可能である、音声受信機と、
前記内部空間内に位置付けられたプロセッサであって、前記音声受信機に電気的に連結されたプロセッサと、
前記内部空間内に位置付けられた電源であって、前記プロセッサに電気的に接続された電源と、
前記内部空間内に位置付けられた音響管であって、前記音響管は、前記受信機に電気的に連結され、ポートがユーザの耳の中の鼓膜に近接して配置され得るように、前記変形可能な筐体の表面上の一端部開口において前記ポートを有している、音響管と、
前記内部空間内に位置付けられた音作動型ポンプであって、前記音作動型ポンプは、前記受信機に連結され、前記第１の受信機からの音声信号に応答して、出口ポートから空気を排出することが可能である、音作動型ポンプと、
前記内部空間内に位置付けられた膨張型部材であって、排出された空気によって充填される前記出口ポートに連結された膨張型部材と
を備え、前記音声受信機で受信される音声信号は、前記音作動型ポンプを駆動して前記膨張型部材を膨張させるように、前記プロセッサを介して方向付けられる、
イヤモールド。
【請求項５０】
筐体と、
全ての側面において閉鎖されたチャンバであって、前記チャンバは、前記筐体内に位置付けられ、前記チャンバの側面は、開口部を有するダイヤフラムを備え、側面は、前記筐体の表面を通って延在する出口ポートを含む、チャンバと、
前記筐体の表面において画定される入口ポートと、
前記ダイヤフラムに連結されたアクチュエータであって、前記アクチュエータの動作は、前記ダイヤフラムの振動運動を引き起こす、アクチュエータと
を備えている、音作動型ポンプ。
【請求項５１】
前記ダイヤフラムの前記振動運動は、対称である、請求項５０に記載の音作動型ポンプ。
【請求項５２】
前記ダイヤフラムの前記振動運動は、非対称である、請求項５０に記載の音作動型ポンプ。
【請求項５３】
前記ダイヤフラムの前記振動運動は、可逆的である、請求項５２に記載の音作動型ポンプ。
【請求項５４】
前記開口部は、円錐形である、請求項５１に記載の音作動型ポンプ。
【請求項５５】
前記開口部は、円錐形である、請求項５２に記載の音作動型ポンプ。
【請求項５６】
前記アクチュエータは、平衡電機子または可動コイルスピーカのうちの１つを備えている、請求項５０に記載の音作動型ポンプ。
【請求項５７】
前記入口ポートにおいて逆止め弁をさらに備えている、請求項５０に記載の音作動型ポンプ。
【請求項５８】
前記出口ポートにおいて逆止め弁をさらに備えている、請求項５０に記載の音作動型ポンプ。
【請求項５９】
前記出口ポートにおいて逆止め弁をさらに備えている、請求項５７に記載の音作動型ポンプ。
【請求項６０】
前記逆止め弁は、前記入口ポートにおいて前記筐体内に取り付けられた可撓性膜であり、前記可撓性膜は、前記入口ポートからオフセットされた開口を有している、請求項５７に記載の音作動型ポンプ。
【請求項６１】
前記チャンバの前記開口部において逆止め弁をさらに備えている、請求項５０に記載の音作動型ポンプ。
【請求項６２】
内部チャンバを画定する筐体と、
開口部を有する膜であって、前記膜は、前記内部チャンバを横断して延在することにより、前記チャンバを第１および第２のサブチャンバに分ける、膜と、
前記第１のサブチャンバの壁から延在する第１の流量ポートと、
前記第２のサブチャンバの壁から延在する第２の流量ポートと、
第１の位相で前記第１のサブチャンバに送達される第１のトランスデューサ音波と、
第２の位相で前記第２のサブチャンバに送達される第２のトランスデューサ音波と
を備え、
前記第１の音波の前記第１の位相および前記第２の音波の前記第２の位相は、前記第１または第２の流量ポートのうちの一方から前記第１または第２の流量ポートのうちの他方に向かって正味流体流動を産生するように操作される、
音作動型ポンプ。
【請求項６３】
前記流体流動は、可逆的である、請求項６２に記載の音作動型ポンプ。
【請求項６４】
操作された前記第１の位相および第２の位相は、前記膜の振動運動を生成する、請求項６２に記載の音作動型ポンプ。
【請求項６５】
前記膜の前記振動運動は、対称である、請求項６４に記載の音作動型ポンプ。
【請求項６６】
前記膜の前記振動運動は、非対称である、請求項６４に記載の音作動型ポンプ。
【請求項６７】
前記ダイヤフラムの前記非対称振動運動は、可逆的である、請求項６６に記載の音作動型ポンプ。
【請求項６８】
前記膜の開口部は、円錐形である、請求項６２に記載の音作動型ポンプ。
【請求項６９】
前記膜の開口部は、円錐形である、請求項６５に記載の音作動型ポンプ。
【請求項７０】
前記第１のトランスデューサ音波は、前記第１のサブチャンバに連結された第１のトランスデューサによって産生され、前記第２のトランスデューサ音波は、前記第２のサブチャンバに連結された第２のトランスデューサによって産生される、請求項６２に記載の音作動型ポンプ。
【請求項７１】
前記第１のトランスデューサ音波および前記第２のトランスデューサ音波は、同じトランスデューサによって産生される、請求項６２に記載の音作動型ポンプ。
【請求項７２】
位相差を最適化するために、前記トランスデューサを前記２つのサブチャンバのそれぞれに連結する音声送達管をさらに備えている、請求項７１に記載の音作動型ポンプ。
【請求項７３】
ダイアフォニックイヤアセンブリであって、
開放端および閉鎖端を有する筐体と、
前記閉鎖端において前記筐体に連結された加圧手段であって、第１の方向に流体を送達することが可能である加圧手段と、
前記閉鎖端において前記筐体の中に位置付けられ、前記加圧手段に接続された線形アクチュエータであって、前記加圧手段が第１の方向に流体を送達することに応答して、第１の位置から第２の位置への移動が可能である、アクチュエータと、
前記アクチュエータに取り付けられ、前記筐体内に位置付けられた音声トランスデューサであって、出口ポートを通して空気を排出することが可能なポンプを有するトランスデューサと、
前記音声トランスデューサの前記出口ポートに連結された音響管と、
前記音響管に連結され、前記筐体内に位置付けられた収縮部材であって、前記収縮部材は、排出された空気によって膨張することが可能であり、ユーザの外耳道内に位置付けるために好適であり、前記収縮部材は、前記アクチュエータが前記第２の位置に移動すると、
前記筐体から外へ移動させられる、収縮部材と
を備えている、アセンブリ。
【請求項７４】
前記収縮部材は、前記筐体から外へ移動させられると自動的に膨張する、請求項７３に記載のアセンブリ。
【請求項７５】
前記加圧手段は、前記第１の方向とは反対側の第２の方向に流体を送達することが可能である、請求項７３に記載のアセンブリ。
【請求項７６】
前記アクチュエータは、前記加圧手段が前記第２の方向に流体を送達することに応答して、前記第２の方向から前記第１の方向への移動が可能である、請求項７５に記載のアセンブリ。
【請求項７７】
前記収縮部材は、前記アクチュエータが前記第１の位置に移動すると、前記筐体の中へ入れられる、請求項７６に記載のアセンブリ。
【請求項７８】
前記加圧手段は、音作動型ポンプを備えている、請求項７３に記載のアセンブリ。
【請求項７９】
前記筐体は、円筒形である、請求項７３に記載のアセンブリ。
【請求項８０】
前記線形アクチュエータは、空気圧シリンダと、前記シリンダ内を移動するピストンとを備えている、請求項７３に記載のアセンブリ。
【請求項８１】
前記加圧手段は、前記第１の方向および前記第２の方向に流体を送達することの間で可逆的である、請求項７５に記載のアセンブリ。
【請求項８２】
前記線形アクチュエータは、前記シリンダ内で前記ピストンの底部に取り付けられた膨張型スカートと、段階的ニードル弁とをさらに備え、前記段階的ニードル弁は、前記加圧手段に接続され、前記スカートを通り、前記ピストンの前記底部のポートを介して前記ピストンの中へ延在し、前記段階的ニードル弁は、端より下に通気口を有し、前記ポートの直径は、前記通気口を過ぎた点において前記針の直径よりも大きい、請求項８０に記載のアセンブリ。
【請求項８３】
前記ピストンは、一方の端において前記ポートと、もう一方の端において前記収縮部材と整列した通路を備えている、請求項８２に記載のアセンブリ。
【請求項８４】
前記アクチュエータに送達される前記流体は、前記通路を介して前記収縮部材に送られる、請求項８３に記載のアセンブリ。
【請求項８５】
ユーザの外耳道内で耳用音声デバイスを膨張させる方法であって、
前記ユーザの外耳道内に膨張型部材を配置するステップであって、前記膨張型部材は、電気信号発生器と、電源と、音作動型ポンプを有する音声トランスデューサとに接続されている、ステップと、
前記電気信号発生器によって電気信号を発生させるステップと、
前記電気信号に応答して、前記音声トランスデューサによって音声信号を発生させるステップと、
前記音声信号に応答して、サイクルで動作するように前記ポンプを作動させるステップであって、前記動作サイクルは、
前記ポンプの入口ポートにおいて空気を引き込むステップと、
前記ポンプの出口ポートから前記空気を排出するステップと
を含む、ステップと、
前記出口ポートに連結された前記膨張型部材において、排出された前記空気を捕捉するステップと
を含み、
前記膨張型部材は、前記ユーザの外耳道内に前記部材を固定するまで膨張する、
方法。
【請求項８６】
前記音声信号をユーザの耳（鼓膜）に伝達するステップをさらに含む、請求項８５に記載の方法。
【請求項８７】
前記電気信号に応答して、第２の音声信号を発生させるステップと、前記第２の音声信号をユーザの耳（鼓膜）に伝達するステップとをさらに含む、請求項８５に記載の方法。
【請求項８８】
前記膨張型部材を配置するステップは、空気の量が前記部材と前記ユーザの鼓膜との間に存在するように、前記部材を位置付けるステップを含む、請求項８５に記載の方法。
【請求項８９】
前記空気の量は、第１のインピーダンスを有し、前記膨張型部材において捕捉された空気は、第２のインピーダンスを有し、前記方法はさらに、前記第１および第２のインピーダンスを整合させるステップを含む、請求項８８に記載の方法。
【請求項９０】
前記第１および第２のインピーダンスを整合させるステップは、前記膨張型部材の機械的柔軟性を含む、請求項８９に記載の方法。
【請求項９１】
前記ポンプサイクルの引き込むステップは、前記動作サイクルの時間の約６０から約９９％の範囲を含む、請求項８５に記載の方法。
【請求項９２】
前記引き込むステップは、前記動作サイクルの時間の約９５％を含む、請求項９１に記載の方法。
【請求項９３】
前記ポンプサイクルは、前記出口ポートに流入する空気流と、前記入口ポートから流出する空気流とに逆転させるように、可逆的である、請求項８５に記載の方法。
【請求項９４】
前記ポンプを作動させる発生された前記音声信号は、鋸歯状波形を備え、前記ポンプの動作サイクルは、前記波形のサイクルに対応する、請求項８５に記載の方法。
【請求項９５】
前記鋸歯状波形は、非対称である、請求項９４に記載の方法。
【請求項９６】
前記非対称鋸歯状波形は、可逆的である、請求項９５に記載の方法。
【請求項９７】
前記ポンプの動作サイクルを調節するステップをさらに含む、請求項８５に記載の方法。
【請求項９８】
前記ポンプの動作サイクルを調節するステップは、前記膨張型部材に連結された圧力センサを備え、前記センサは、所定の圧力測定値において前記音声信号を改変するように信号を送信することが可能である、請求項９７に記載の方法。
【請求項９９】
前記膨張型部材の膨張を制御するために、フィードバック機構をさらに備えている、請求項８５に記載の方法。
【請求項１００】
前記フィードバック機構は、前記膨張型部材内の圧力を決定するための圧力センサを備えている、請求項９９に記載の方法。
【請求項１０１】
前記フィードバック機構は、前記ポンプ、前記電気信号発生器、または前記音声トランスデューサのうちの１つに接続されたフィードバック・サーボ回路を備えている、請求項９９に記載の方法。
【請求項１０２】
音声をユーザの耳に伝達するためのデバイスであって、
電気信号に応答して、音声信号（トーン）を産生することが可能な第１のトランスデューサと、
前記トランスデューサに接続された電気信号入力と、
内部空間を画定する側壁を有し、ユーザの外耳道内に位置付けるように構成された膨張型部材と、
側壁および対向端を有する第１の音響管であって、前記第１の音響管は、一方の端において前記トランスデューサに接続され、反対端において前記膨張型部材に接続され、前記音響管の内部から前記音響管の外部まで、前記音響管の中に画定される通路を有し、前記音響管の前記通路は、前記膨張型部材の内部空間内に位置付けられている、第１の音響管と
を備えている、デバイス。
【請求項１０３】
前記通路は、前記音響管の側面内に画定される開口を備えている、請求項１０２に記載のデバイス。
【請求項１０４】
前記開口は、少なくとも１つのポートを備えている、請求項１０３に記載のデバイス。
【請求項１０５】
前記音響管は、第１の管状セクションであって、直径を有し、一方の端において前記トランスデューサに取り付けられた第１の管状セクションと、前記第１の管状セクションの直径よりも小さい直径を有する第２の管状セクションとを備え、前記第２の管状セクションは、前記第１の管状セクションの中に嵌まり、前記ユーザの外耳道の中に配置された場合に、前記第１の管状セクションから前記ユーザの鼓膜に向かって延在する、請求項１０３に記載のデバイス。
【請求項１０６】
前記音響管は、間隙を作成するために、前記第１の管状セクションと前記第２の管状セクションとの間に配置された複数のスペーサを備え、前記開口は、前記間隙をさらに備えている、請求項１０５に記載のデバイス。
【請求項１０７】
前記トランスデューサは、前記膨張型部材の内部空間内に封入されている、請求項１０２に記載のデバイス。
【請求項１０８】
前記音響管は、前記膨張型部材の内部空間内に封入されている、請求項１０２に記載のデバイス。
【請求項１０９】
前記音響管は、前記側壁において画定される複数のポートを備えている、請求項１０２に記載のデバイス。
【請求項１１０】
前記ポートの数は、２から１２の範囲である、請求項１０９に記載のデバイス。
【請求項１１１】
前記ポートの数は、６である、請求項１１０に記載のデバイス。
【請求項１１２】
前記ポートは、前記管の縦軸に対して直角な単一の平面内で、前記管の側壁の周囲で均等に離間されている、請求項１１１に記載のデバイス。
【請求項１１３】
前記複数のポートは、前記管の縦軸に対して直角な単一の平面内で、前記管の側壁の周囲で離間されている、請求項１０９に記載のデバイス。
【請求項１１４】
前記複数のポートは、前記管の縦軸に対して直角な複数の平面内で、前記管の側壁の周囲で離間されている、請求項１０９に記載のデバイス。
【請求項１１５】
前記音響管は、前記膨張型部材の内部空間内に封入されている、請求項１１２に記載のデバイス。
【請求項１１６】
前記音響管は、前記膨張型部材の内部空間内に封入されている、請求項１１３に記載のデバイス。
【請求項１１７】
前記トランスデューサは、第１のトーンおよび第２のトーンを産生する、請求項１０２に記載のデバイス。
【請求項１１８】
前記第１のトーンおよび前記第２のトーンは、交互に産生される、請求項１１７に記載のデバイス。
【請求項１１９】
前記第１のトーンおよび前記第２のトーンは、同時に産生される、請求項１１７に記載のデバイス。
【請求項１２０】
前記トランスデューサは、前記第１のトーンまたは前記第２のトーンのうちの少なくとも１つを受信し、それに応答して、空気流を産生するための音作動型ポンプを備えている、請求項１１８に記載のデバイス。
【請求項１２１】
前記トランスデューサは、前記音声信号を受信し、それに応答して、空気流を産生するための音作動型ポンプを備えている、請求項１０２に記載のデバイス。
【請求項１２２】
前記空気流は、前記膨張型部材を膨張させるために、前記音響管の中へ方向付けられ、前記通路を通過する、請求項１２０に記載のデバイス。
【請求項１２３】
前記空気流は、前記ユーザの外耳道から前記音響管の中へ、および前記通路を通って前記膨張型部材の中へ方向付けられる、請求項１２０に記載のデバイス。
【請求項１２４】
前記空気流は、前記膨張型部材を収縮させるために、前記膨張部材から前記通路を通って前記音響管の中へ方向付けられる、請求項１２０に記載のデバイス。
【請求項１２５】
前記音声ポンプは、前記第１のトーンに応答して、第１の方向に、および前記第２のトーンに応答して、反対方向に、流量を方向付ける、請求項１２０に記載のデバイス。
【請求項１２６】
前記電気信号入力に接続され、電気信号に応答して、音声信号（トーン）を産生することが可能な第２のトランスデューサをさらに備えている、請求項１０２に記載のデバイス。
【請求項１２７】
前記第１のトランスデューサは、前記音声信号に応答して、前記膨張型部材を膨張させるために音作動型ポンプを備え、前記第２のトランスデューサは、前記音声信号に応答して、前記膨張型部材を収縮させるために音作動型ポンプを備えている、請求項１２６に記載のデバイス。
【請求項１２８】
一方の端において前記第２のトランスデューサに、反対端によって前記膨張型部材に連結された第２の音響管をさらに備え、前記第２のトランスデューサからの音声信号は、前記音響管を通して前記ユーザの鼓膜に方向付けられる、請求項１２６に記載のデバイス。
【請求項１２９】
２つの端を有し、前記音響管の側壁において画定される通路を覆うある長さの材料をさらに備え、前記材料の少なくとも１つの端は、密閉を形成するために前記音響管に取り付けられている、請求項１０２に記載のデバイス。
【請求項１３０】
前記トランスデューサと前記音響管の側壁における通路との間に位置付けられた前記材料の端は、密閉を形成するために前記音響管に取り付けられている、請求項１２９に記載のデバイス。
【請求項１３１】
前記材料の両端は、密閉を形成するために前記音響管に取り付けられている、請求項１２９に記載のデバイス。
【請求項１３２】
前記材料は、ポートを備え、前記材料のポートは、前記音響管の前記通路からオフセットされている、請求項１３１に記載のデバイス。
【請求項１３３】
前記材料は、円筒形スリーブを備えている、請求項１２９に記載のデバイス。
【請求項１３４】
２つの端を有し、前記音響管の側壁において画定される複数のポートを覆う材料のスリーブをさらに備え、前記スリーブの少なくとも１つの端は、密閉を形成するために前記音響管に取り付けられている、請求項１０９に記載のデバイス。
【請求項１３５】
前記スリーブの両端は、密閉を形成するために前記音響管に取り付けられている、請求項１３４に記載のデバイス。
【請求項１３６】
前記スリーブは、ポートを備え、前記スリーブのポートは、前記音響管の側壁において画定される複数のポートからオフセットされている、請求項１３５に記載のデバイス。
【請求項１３７】
前記トランスデューサは、前記音声信号を受信し、それに応答して、空気流を産生するための音作動型ポンプを備えている、請求項１３４に記載のデバイス。
【請求項１３８】
前記空気流は、前記ユーザの外耳道から前記音響管の中へ、および前記通路を通って前記膨張型部材の中へ方向付けられる、請求項１３７に記載のデバイス。
【請求項１３９】
前記空気流は、前記膨張型部材を収縮させるために、前記膨張部材から前記通路を通して前記音響管の中へ方向付けられる、請求項１３７に記載のデバイス。
【請求項１４０】
前記膨張型部材の外側に延在する第１端と、前記膨張型部材の内部空間内の第２端とを有する空気入口管をさらに備え、前記空気入口管は、前記膨張型部材の内部空間と周囲との間で空気流を方向付ける、請求項１０２、１０６、１０９、１２０、１２６、１２９、または１３４のうちのいずれかに記載のデバイス。
【請求項１４１】
前記第２端を含む前記空気入口管の一部分は、前記音響管の側壁にチャネルを備えている、請求項１４０に記載のデバイス。
【請求項１４２】
前記第２端は、前記音響管の側壁における通路に隣接して位置付けられている、請求項１４１に記載のデバイス。
【請求項１４３】
前記空気入口管の第２端に流体連結されたリングマニホールドをさらに備えている、請求項１４１に記載のデバイス。
【請求項１４４】
前記リングマニホールドに流体連結された少なくとも１つの空気送達管をさらに備えている、請求項１４３に記載のデバイス。
【請求項１４５】
前記少なくとも１つの空気送達管は、前記音響管の側面における通路に隣接して位置付けられた端を有している、請求項１４４に記載のデバイス。
【請求項１４６】
前記空気送達管の数は、前記音響管の側面において画定されるポートの数に対応する、請求項１４５に記載のデバイス。
【請求項１４７】
前記リングマニホールドは、前記トランスデューサに接続された前記音響管の基部に位置付けられている、請求項１４３に記載のデバイス。
【請求項１４８】
前記リングマニホールドは、前記通路に隣接する前記音響管上に位置付けられている、請求項１４３に記載のデバイス。
【請求項１４９】
前記膨張型部材の外側に延在する第１端と、前記膨張型部材の内部空間内の第２端とを有する空気入口管をさらに備え、前記空気入口管は、前記膨張型部材と周囲との間で前記ポンプ空気流を方向付け、前記音声ポンプによって生成される空気流は、前記空気入口管内の線路抵抗よりも大きい圧力を有している、請求項１２０に記載のデバイス。
【請求項１５０】
前記膨張型部材内および前記ユーザの外耳道の空気圧は、前記空気入口管によって平衡を保たれる、請求項１４９に記載のデバイス。
【請求項１５１】
前記トランスデューサは、前記膨張型部材の外側で前記音響管に連結されている、請求項１０２に記載のデバイス。
【請求項１５２】
前記音響管の側壁において画定される複数のポートと、
音声信号に応答して、空気流を産生するための前記トランスデューサ内の音作動型ポンプと、
２つの端を有し、前記音響管の側壁において画定される複数のポートを覆う材料のスリーブであって、前記スリーブの少なくとも１つの端は、密閉を形成するために、前記音響管に取り付けられている、スリーブと、
前記膨張型部材の外側に延在する第１端と、前記膨張型部材の内部空間内の第２端とを有する空気入口管であって、前記空気入口管は、前記膨張型部材と周囲との間で空気流を方向付ける、空気入口管と
をさらに備えている、請求項１５１に記載のデバイス。
【請求項１５３】
前記空気入口管の第２端に流体連結されたリングマニホールドをさらに備えている、請求項１５２に記載のデバイス。
【請求項１５４】
前記トランスデューサは、前記膨張型部材の内部空間内に部分的に含まれている、請求項１０２に記載のデバイス。
【請求項１５５】
前記音響管の側壁において画定される複数のポートと、
音声信号に応答して、空気流を産生するための前記トランスデューサ内の音作動型ポンプと、
２つの端を有し、前記音響管の側壁において画定される複数のポートを覆う材料のスリーブであって、前記スリーブの少なくとも１つの端は、密閉を形成するために、前記音響管に取り付けられている、スリーブと、
前記膨張型部材の外側に延在する第１端と、前記膨張型部材の内部空間内の第２端とを有する空気入口管であって、前記空気入口管は、前記膨張型部材と周囲との間で空気流を方向付ける、空気入口管と
をさらに備えている、請求項１５４に記載のデバイス。
【請求項１５６】
前記空気入口管の第２端に流体連結されたリングマニホールドをさらに備えている、請求項１５５に記載のデバイス。
【請求項１５７】
前記膨張型部材と周囲との間で空気流を方向付けるための空気入口管をさらに備え、前記空気入口管は、
前記膨張型部材の外側に延在する第１端と、
前記膨張型部材の内部空間内の第２端と、
前記音響管の側壁内に画定され、一方の端において前記第２端に流体連結された少なくとも１つの溝と
を備えている、請求項１０２に記載のデバイス。
【請求項１５８】
前記トランスデューサおよび前記音響管は、前記膨張型部材の内部空間内に位置付けられている、請求項１５７に記載のデバイス。
【請求項１５９】
前記トランスデューサは、前記膨張型部材の外部上に位置付けられ、前記音響管は、前記膨張型部材の壁を通過する、請求項１５７に記載のデバイス。
【請求項１６０】
前記トランスデューサは、前記膨張型部材内に部分的に封入されている、請求項１５７に記載のデバイス。
【請求項１６１】
前記溝の端は、前記音響管の側壁における通路に隣接して位置付けられている、請求項１５７に記載のデバイス。
【請求項１６２】
２つの端を有し、前記音響管の側壁における通路を覆う材料のスリーブをさらに備え、前記スリーブの少なくとも１つの端は、密閉を形成するために、前記音響管に取り付けられている、請求項１６１に記載のデバイス。
【請求項１６３】
前記スリーブの両端は、密閉を形成するために前記音響管に取り付けられている、請求項１６２に記載のデバイス。
【請求項１６４】
前記スリーブは、ポートを備え、前記スリーブのポートは、前記音響管の側壁における通路からオフセットされている、請求項１６３に記載のデバイス。
【請求項１６５】
前記空気入口管の第２端を前記溝の端に流体連結するリングマニホールドをさらに備えている、請求項１５７または１６２に記載のデバイス。
【請求項１６６】
前記音響管は、前記側壁において画定される複数のポートと、前記リングマニホールドを通して前記空気入口管の第２端に流体連結された複数の溝とを備えている、請求項１６５に記載のデバイス。
【請求項１６７】
前記溝の数は、前記音響管の側壁において画定されるポートの数に対応している、請求項１６６に記載のデバイス。
【請求項１６８】
前記リングマニホールドは、前記トランスデューサに接続された前記音響管の基部に位置付けられている、請求項１６５に記載のデバイス。
【請求項１６９】
前記リングマニホールドは、前記音響管における通路に隣接して前記音響管上に位置付けられている、請求項１６５に記載のデバイス。
【請求項１７０】
前記ポートの数および前記溝の数は、２から１２の範囲である、請求項１６７に記載のデバイス。
【請求項１７１】
前記ポートの数および前記溝の数は、６である、請求項１７０に記載のデバイス。
【請求項１７２】
前記溝は、前記音響管の外面上でらせん状に配置されている、請求項１７０に記載のデバイス。
【請求項１７３】
前記らせん状に配置された溝は、右らせん、左らせん、または両方のうちの１つを形成する、請求項１７２に記載のデバイス。
【請求項１７４】
音声をユーザの耳に伝達するためのデバイスであって、
電気信号に応答して、音声信号（トーン）を産生することが可能な第１のトランスデューサと、
前記トランスデューサに接続された電気信号入力と、
内部空間を画定する側壁を有し、ユーザの外耳道内に位置付けるように構成された膨張型部材と、
側壁および２つの対向端を有する第１の音響管であって、前記第１の音響管は、一方の端において前記トランスデューサに接続され、前記膨張型部材の内部空間内の反対端において開放し、前記側壁において通路を有し、前記通路は、前記膨張型部材の内部空間内に位置付けられている、第１の音響管と、
前記膨張型部材の外側に延在する第１端と、前記膨張型部材の内部空間内の第２端とを有する空気入口管であって、前記空気入口管は、前記膨張型部材の内部空間と周囲との間で空気流を方向付ける、空気入口管と
を備えている、デバイス。
【請求項１７５】
前記通路は、前記側壁において画定される少なくとも１つのポートを備えている、請求項１７４に記載のデバイス。
【請求項１７６】
前記ポートの数は、２から１２の範囲である、請求項１７５に記載のデバイス。
【請求項１７７】
前記ポートの数は、６である、請求項１７６に記載のデバイス。
【請求項１７８】
前記ポートは、前記管の縦軸に対して直角な単一の平面内で、前記管の側壁の周囲で均等に離間されている、請求項１７７に記載のデバイス。
【請求項１７９】
前記トランスデューサは、第１のトーンおよび第２のトーンを産生する、請求項１７４に記載のデバイス。
【請求項１８０】
前記第１のトーンおよび前記第２のトーンは、交互に産生される、請求項１７９に記載のデバイス。
【請求項１８１】
前記第１のトーンおよび前記第２のトーンは、同時に産生される、請求項１７９に記載のデバイス。
【請求項１８２】
前記トランスデューサは、前記第１のトーンまたは前記第２のトーンのうちの少なくとも１つを受信し、それに応答して、空気流を産生するための音作動型ポンプを備えている、請求項１８１に記載のデバイス。
【請求項１８３】
前記トランスデューサは、前記音声信号を受信し、それに応答して、空気流を産生するための音作動型ポンプを備えている、請求項１７４に記載のデバイス。
【請求項１８４】
前記音声ポンプは、前記第１のトーンに応答して、第１の方向に、および前記第２のトーンに応答して、反対方向に、流量を方向付ける、請求項１８３に記載のデバイス。
【請求項１８５】
２つの端を有し、前記音響管の側壁において画定される複数のポートを覆う材料のスリーブをさらに備え、前記スリーブの少なくとも１つの端は、密閉を形成するために前記音響管に取り付けられている、請求項１７５に記載のデバイス。
【請求項１８６】
前記スリーブの両端は、密閉を形成するために前記音響管に取り付けられている、請求項１８５に記載のデバイス。
【請求項１８７】
前記スリーブは、ポートを備え、前記スリーブのポートは、前記音響管の側壁において画定される複数のポートからオフセットされている、請求項１８６に記載のデバイス。
【請求項１８８】
前記空気入口管の一部分は、前記音響管の側壁におけるチャネルを備えている、請求項１７４に記載のデバイス。
【請求項１８９】
前記空気入口管に流体連結されたリングマニホールドをさらに備えている、請求項１７４に記載のデバイス。
【請求項１９０】
前記空気入口管は、前記リングマニホールドに流体連結された複数の空気送達管を備えている、請求項１８９に記載のデバイス。
【請求項１９１】
前記音響管を前記トランスデューサに取り外し可能に接続するために、連結機構をさらに備えている、請求項１０２または１７４のうちの１項に記載のデバイス。
【請求項１９２】
前記連結機構は、連結された場合に、前記音響管を前記トランスデューサに固定するための係止機構を備えている、請求項１９１に記載のデバイス。
【請求項１９３】
前記連結機構は、前記トランスデューサに取り付けられている第１の構成要素と、前記音響管に取り付けられている第２の構成要素とを備え、前記第１および第２の構成要素は、接続可能である、請求項１９１に記載のデバイス。
【請求項１９４】
前記音響管は、前記膨張型膜の内部空間の外側で前記連結機構に隣接して終端する空気入口管を備えている、請求項１９１に記載のデバイス。
【請求項１９５】
前記連結機構は、内周を有する第１のリングと、外周を有する第２のリングと備え、前記第２のリングの外周は、前記第１のリングの内周内に嵌まる、請求項１９１に記載のデバイス。
【請求項１９６】
前記第１および第２のリングは、前記デバイスの特定の特性を示すようにコード化されている、請求項１９５に記載のデバイス。
【請求項１９７】
前記第１および第２のリングは、色分けされる、請求項１９６に記載のデバイス。
【請求項１９８】
前記第１および第２のリングは、キーでコード化されている、請求項１９６に記載のデバイス。
【請求項１９９】
前記第１および第２のリングは、キーでコード化されている、請求項１９７に記載のデバイス。
【請求項２００】
前記第１または第２のリングのうちの一方は、硬質材料から成り、前記第１または第２のリングのうちの他方は、可撓性材料から成る、請求項１９６に記載のデバイス。
【請求項２０１】
前記第２のリングは、前記第１のリング内に摩擦嵌めする、請求項１９６に記載のデバイス。
【請求項２０２】
前記第２のリングは、前記外周の周囲にねじ切りされ、前記第１のリングは、前記内周の周囲に対応してねじ切りされ、前記リングが螺合可能に係合されることを可能にする、請求項１９６に記載のデバイス。
【請求項２０３】
前記音響管に連結された外部音声デバイスをさらに備え、前記外部音声デバイスは、トーンを発することにより、前記膨張型部材を膨張または収縮させる、請求項１０２または１７４のうちのいずれかに記載のデバイス。
【請求項２０４】
前記膨張型部材の膨張または収縮中に前記音響管を閉鎖するための弁をさらに備えている、請求項２０３に記載のデバイス。
【請求項２０５】
前記トーンは、膨張中に起動トーンを含む、請求項２０３に記載のデバイス。
【請求項２０６】
前記トーンは、収縮中に動作停止トーンを含む、請求項２０３に記載のデバイス。
【請求項２０７】
前記トーンは、不可聴である、請求項２０３に記載のデバイス。
【請求項２０８】
前記膨張型部材を膨張させるための外部ポンプをさらに備えている、請求項１０２または１７４のうちのいずれかに記載のデバイス。
【請求項２０９】
前記外部ポンプは、前記膨張型部材を収縮させるように動作する、請求項２０８に記載のデバイス。
【請求項２１０】
前記外部ポンプは、シリンジポンプを備えている、請求項２０８に記載のデバイス。
【請求項２１１】
前記外部ポンプは、シリンジポンプを備えている、請求項２０９に記載のデバイス。
【請求項２１２】
前記外部ポンプは、ダイヤフラムポンプを備えている、請求項２０８に記載のデバイス。
【請求項２１３】
前記外部ポンプは、ダイヤフラムポンプを備えている、請求項２０９に記載のデバイス。
【請求項２１４】
前記外部ポンプは、手動で操作される、請求項２０８に記載のデバイス。
【請求項２１５】
前記外部ポンプは、手動で操作される、請求項２０９に記載のデバイス。
【請求項２１６】
前記ユーザの外耳道の中の密閉の損失を克服するためのフィードバック制御をさらに備えている、請求項１０２または１７４のうちのいずれかに記載のデバイス。
【請求項２１７】
前記フィードバック制御は、ハードウェア（電子機器）を備えている、請求項２１６に記載のデバイス。
【請求項２１８】
前記フィードバック制御は、ソフトウェアを備えている、請求項２１６に記載のデバイス。
【請求項２１９】
前記フィードバック制御は、前記膨張型部材への空気流を増加させる音声信号を備えている、請求項２１６に記載のデバイス。
【請求項２２０】
前記膨張型部材は、ある量の空気を含むために、外壁と、外壁に少なくとも部分的に密閉された内壁とを備えている、請求項１０２または１７４のうちのいずれかに記載のデバイス。
【請求項２２１】
前記膨張型部材は、前記外壁を前記内壁に接続するスペーサリブをさらに備えている、請求項２２０に記載のデバイス。
【請求項２２２】
前記スペーサリブは、前記膨張型部材内で縦方向に配置されている、請求項２２１に記載のデバイス。
【請求項２２３】
前記スペーサリブは、前記膨張型部材内で横方向に配置されている、請求項２２１に記載のデバイス。
【請求項２２４】
前記スペーサリブは、前記膨張型部材内でらせん状に配置されている、請求項２２１に記載のデバイス。
【請求項２２５】
前記トランスデューサは、前記膨張型部材の内部空間内に位置付けられている、請求項２２０に記載のデバイス。
【請求項２２６】
前記外壁および前記内壁のうちの少なくとも１つは、異方性材料から成る、請求項２２０に記載のデバイス。
【請求項２２７】
前記外壁および前記内壁のうちの少なくとも１つは、等方性材料から成る、請求項２２０に記載のデバイス。
【請求項２２８】
前記外壁および前記内壁のうちの１つは、異方性材料から成る、請求項２２７に記載のデバイス。
【請求項２２９】
前記膨張型部材は、選択された機能特性を最適化するために、材料で被覆される、請求項２２０に記載のデバイス。
【請求項２３０】
前記被覆材料は、ポリマーラテックスを含む、請求項２２９に記載のデバイス。
【請求項２３１】
前記ポリマーラテックスは、ポリウレタンラテックスを含む、請求項２３０に記載のデバイス。
【請求項２３２】
前記ポリウレタンラテックスは、水溶性である、請求項２３１に記載のデバイス。
【請求項２３３】
前記被覆材料は、ヒュームドシリカを含む、請求項２２９に記載のデバイス。
【請求項２３４】
前記膨張型部材は、最適化された機能特性に対応するようにコード化されている、請求項２２９に記載のデバイス。
【請求項２３５】
前記膨張型部材は、最適化された機能特性に対応するように色分けされる、請求項２３０に記載のデバイス。
【請求項２３６】
前記膨張型部材の後部セクションは、音の伝達の遮断を最適化するために被覆される、請求項２２９に記載のデバイス。
【請求項２３７】
前記膨張型部材の中間セクションは、密閉特性を最適化するために被覆される、請求項２２９に記載のデバイス。
【請求項２３８】
前記膨張型部材の前部セクションは、音響特性を最適化するために被覆される、請求項２２９に記載のデバイス。
【請求項２３９】
前記膨張型部材の外面は、勾配において最適化された特性を提供するために被覆される、請求項２２９に記載のデバイス。
【請求項２４０】
前記外壁および前記内壁のうちの少なくとも１つは、発泡ポリテトラフルオロエチレン（ｅＰＴＦＥ）から成る、請求項２２０に記載のデバイス。
【請求項２４１】
前記発泡ポリテトラフルオロエチレンは、ポリウレタンラテックスが注入される、請求項２４０に記載のデバイス。
【請求項２４２】
前記外壁および前記内壁のうちの少なくとも１つは、ポリウレタンから成る、請求項２２０に記載のデバイス。
【請求項２４３】
前記膨張型部材は、閉鎖凸状気泡形状を備えている、請求項２２０に記載のデバイス。
【請求項２４４】
前記外壁および内壁は、約１０ｍｉｌ（０．２５４ｍｍ）未満の厚さを有している、請求項２２０に記載のデバイス。
【請求項２４５】
前記外壁および内壁は、約３ｍｉｌ（０．０７６２ｍｍ）未満の厚さを有している、請求項２４４に記載のデバイス。
【請求項２４６】
前記外壁および内壁は、約１ｍｉｌ（０．０２５４ｍｍ）未満の厚さを有している、請求項２４４に記載のデバイス。
【請求項２４７】
前記外壁および内壁は、低い空気透過性を有する材料から成る、請求項２２０に記載のデバイス。
【請求項２４８】
前記材料は、約０．５から約１．０ミクロンの範囲の直径を有する細孔を備えている、請求項２４７に記載のデバイス。
【請求項２４９】
前記材料は、わずか約０．５ミクロンの直径を有する細孔を備えている、請求項２４７に記載のデバイス。
【請求項２５０】
表面によって画定される内部空間と、前記内部空間内で前記表面に取り付けられたフェルールとを有する膨張型部材と、
第１および第２端を有し、前記内部空間内に位置付けられた音響管であって、一方の端において前記フェルールに連結された音響管と、
前記音響管の端に接続された連結器であって、前記連結器を前記膨張型部材に接続する弾性バンドを有する連結器と、
各端で開放した加圧管、前記膨張型部材の外側から前記膨張型部材の内部空間まで前記連結器を通過する加圧管と
を備えている、耳用デバイス。
【請求項２５１】
受信機アセンブリをさらに備え、
筐体と、
前記筐体を通過し、前記膨張型部材の外側の前記加圧管の端に連結するポートを有するチャネルと、
前記連結器に取り外し可能に接続する音声ポートと、
前記筐体の中に位置付けられ、前記音声ポートに接続された受信機と、
前記筐体から延在する電気および圧力インターフェースポートであって、オーディオデバイスに接続するための電気および圧力インターフェースポートと
を備えている、請求項２５０に記載の耳用デバイス。
【請求項２５２】
前記オーディオデバイスは、補聴器である、請求項２５１に記載の耳用デバイス。
【請求項２５３】
前記電気および圧力インターフェースポートに取り外し可能に接続されたポンプアセンブリをさらに備えている、請求項２５１に記載の耳用デバイス。
【請求項２５４】
前記電気および圧力インターフェースポートに取り外し可能に接続されたプロセッサをさらに備えている、請求項２５１に記載の耳用デバイス。
【請求項２５５】
前記第２の管状セクションは、前記第１の管状セクションの中へ後退可能である、請求項１０５に記載のデバイス。
【請求項２５６】
前記第１の管状セクションに接触する第１端と、前記第２の管状セクションに接触する第２端とを有するポリマースリーブをさらに備えている、請求項１０６に記載のデバイス。
【請求項２５７】
前記スリーブは、前記第１の管状セクションと密閉を形成する、請求項２５６に記載のデバイス。
【請求項２５８】
前記スリーブは、前記第２の管状セクションと密閉を形成する、請求項２５６に記載のデバイス。
【請求項２５９】
前記スリーブは、前記第２の管状セクションと密閉を形成する、請求項２５７に記載のデバイス。
【請求項２６０】
前記スリーブは、ポートを備えている、請求項２５９に記載のデバイス。
【請求項２６１】
前記膨張型部材を前記トランスデューサに取り外し可能に接続するために、前記音響管に取り付けられた連結器をさらに備えている、請求項１０２、１０５、１５１、１５４、または１７４に記載のデバイス。
【請求項２６２】
前記連結器は、係止機構を備えている、請求項２６１に記載のデバイス。
【請求項２６３】
前記連結器は、前記音響管に取り付けられた第１の部分と、前記音響管に取り付けられた第２の部分とを備え、前記２つの部分は、対応してコード化されている、請求項２６１に記載のデバイス。
【請求項２６４】
前記連結器の前記部分は、色分けされている、請求項２６３に記載のデバイス。
【請求項２６５】
前記部品は、キーでコード化されている、請求項２６３に記載のデバイス。
【請求項２６６】
外側筐体であって、前記外側筐体の中に前方容積を画定する、外側筐体と、
前記外側筐体内にあり、後方容積を取り囲む内側筐体と、
前記内側筐体内に位置付けられた平衡電機子と、
前記電機子の１つのアームの周囲の電気コイルであって、前記コイルを通る電流がアームの振動をもたらす、電気コイルと、
前記内側筐体の壁の中に位置付けられた可撓性ダイヤフラムであって、前記前方容積と前記後方容積とを分離し、前記アームと一致して振動するように前記アームに連結された可撓性ダイヤフラムと、
前記内側筐体の壁内に画定される均等化ポートと、
前記外側筐体の壁において画定される入口ポートであって、前記筐体の中へ空気を引き込むための入口ポートと、
前記外側筐体の壁において画定される出口ポートであって、前記筐体から空気を排出するための出口ポートと
を備え、
前記ダイヤフラムの振動は、前記入口ポートの中へ、前記均等化ポートを通り、そして前記出口ポートの外への流体流動を引き起こす、
平衡電機子トランスデューサポンプ。
【請求項２６７】
前記均等化ポートは、前記ダイヤフラム内に位置付けられている、請求項２６６に記載の平衡電機子トランスデューサポンプ。
【請求項２６８】
前記均等化ポートは、円錐形のくぼみを備えている、請求項２６７に記載の平衡電機子トランスデューサポンプ。
【請求項２６９】
前記電機子のアームは、非対称波形で振動する、請求項２６６に記載の平衡電機子トランスデューサポンプ。
【請求項２７０】
前記電機子のアームは、非対称波形で振動する、請求項２６８に記載の平衡電機子トランスデューサポンプ。
【請求項２７１】
前記波形は、下降部分よりも長い上昇部分を有している、請求項２６９に記載の平衡電機子トランスデューサポンプ。
【請求項２７２】
前記波形は、可逆的である、請求項２７１に記載の平衡電機子トランスデューサポンプ。
【請求項２７３】
前記入口ポートを覆うフラップ弁をさらに備え、前記フラップ弁は、空気が前記ポートを通って逆転することを防止する、請求項２６６に記載の平衡電機子トランスデューサポンプ。
【請求項２７４】
前記入口ポート内に位置付けられた同軸ダイアフォニック弁をさらに備えている、請求項２６６に記載の平衡電機子トランスデューサポンプ。
【請求項２７５】
前記入口ポート内に位置付けられた同軸ダイアフォニック弁をさらに備えている、請求項２６７に記載の平衡電機子トランスデューサポンプ。
【請求項２７６】
前記内側筐体の前記後方容積内に位置付けられたダイアフォニック弁をさらに備えている、請求項２６６に記載の平衡電機子トランスデューサポンプ。
【請求項２７７】
前記内側筐体の前記後方容積の中に空間充填材料をさらに備えている、請求項２６６に記載の平衡電機子トランスデューサポンプ。
【請求項２７８】
前記ダイヤフラムと前記平衡電機子との間に位置付けられた前記後方容積内の仕切りをさらに備えている、請求項２６６に記載の平衡電機子トランスデューサポンプ。
【請求項２７９】
前記入口ポートは、前記仕切りの前記ダイヤフラム側において、前記筐体の壁にある、請求項２７８に記載の平衡電機子トランスデューサポンプ。
【請求項２８０】
前記ダイヤフラムは、ピンを介して前記アームに連結されている、請求項２６６に記載の平衡電機子トランスデューサポンプ。
【請求項２８１】
筐体であって、前記筐体において画定される開口部を有する筐体と、
前記筐体内に位置付けられた第１の基材であって、前記基材は、前記基材を通るオリフィスを有し、前記オリフィスは、前記筐体の開口部と整列している、第１の基材と、
前記オリフィスに近接して位置付けられた第１端と、前記筐体を通過する本体と、周囲に開放している第２端とを有する入口管と、
音源に取り付く連結器と、
前記連結器において取り付けられた音源と、前記基材の前記オリフィスとの間の流体連通を提供する通路と
を備えている、音作動型ポンプ。
【請求項２８２】
前記オリフィスは、前記通路の近位に円錐形を有している、請求項２８１に記載の音作動型ポンプ。
【請求項２８３】
前記入口管は、前記第１の基材を通過する、請求項２８１に記載の音作動型ポンプ。
【請求項２８４】
前記入口管は、前記第１の基材の遠位にある、請求項２８１に記載の音作動型ポンプ。
【請求項２８５】
前記入口管は、前記第１の基材の近位にある、請求項２８１に記載の音作動型ポンプ。
【請求項２８６】
前記オリフィスに近接して前記筐体の開口部の中に位置付けられ、前記筐体から延在する出口管をさらに備えている、請求項２８１に記載の音作動型ポンプ。
【請求項２８７】
前記出口管と同軸であり、膨張型部材に連結するために好適な管をさらに備えている、請求項２８６に記載の音作動型ポンプ。
【請求項２８８】
前記第１の基材の近位で前記筐体内に位置付けられた第２の基材をさらに備え、前記第２の基材は、前記第２の基材を通るオリフィスを有し、前記オリフィスは、前記第１の基材のオリフィスと整列している、請求項２８１に記載の音作動型ポンプ。
【請求項２８９】
前記入口管は、前記第２の基材を通過する、請求項２８８に記載の音作動型ポンプ。
【請求項２９０】
前記入口管は、前記第２の基材の近位にある、請求項２８８に記載の音作動型ポンプ。
【請求項２９１】
前記第１および第２の基材の間に位置付けられた膜をさらに備え、前記膜は、前記膜に画定される少なくとも１つのオリフィスを有している、請求項２８８に記載の音作動型ポンプ。
【請求項２９２】
前記連結器に流体連結された音源をさらに備えている、請求項２８１に記載の音作動型ポンプ。
【請求項２９３】
前記音源は、前記基材のオリフィスの遠位端において静圧を産生する音響波を産生する、請求項２９２に記載の音作動型ポンプ。
【請求項２９４】
音響的振動を使用して静圧を産生する方法であって、
筐体に流体連結された音源を提供するステップであって、
前記筐体は、
前記筐体を通る開口部と、
基材であって、前記基材におけるオリフィスを有し、前記オリフィスは、前記筐体の開口部と整列している、基材と、
入口管であって、前記入口管は、前記オリフィスに近接して位置付けられた第１端と、周囲に開放している第２端とを有している、入口管と
を備えている、ステップと、
前記基材において前記音源から音響波を方向付けるステップと、
を含む、方法。
【請求項２９５】
前記筐体の開口部において膨張型部材を取り付けるステップをさらに含む、請求項２９４に記載の方法。
【請求項２９６】
前記筐体の開口部において出口管を取り付けるステップをさらに含む、請求項２９４に記載の方法。
【請求項２９７】
膨張型部材を前記出口管の端に取り付けるステップをさらに含む、請求項２９６に記載の方法。
【請求項２９８】
ユーザの耳に音を伝えるためのインイヤ式デバイスであって、
音声発生源と、
前記音声発生源に連結され、前記音声発生源からの音響信号に応答して、静圧を生成することが可能な第１のトランスデューサと、
前記音声発生源に連結され、前記音声発生源からの音響信号に応答して、静圧を生成することが可能な第２のトランスデューサと、
前記第１および第２のトランスデューサのうちの少なくとも１つの出力に流体連結された膨張型部材と
を備えている、インイヤ式デバイス。
【請求項２９９】
前記第１および第２のトランスデューサは、平衡電機子トランスデューサまたは可動コイルスピーカのいずれかである、請求項２９８に記載のインイヤ式デバイス。
【請求項３００】
前記膨張型部材を前記第１のトランスデューサ、前記第２のトランスデューサ、または両方のうちの１つに連結する音響管をさらに備えている、請求項２９８に記載のインイヤ式デバイス。
【請求項３０１】
前記トランスデューサのうちの少なくとも１つに連結されたダイアフォニック弁をさらに備えている、請求項２９８に記載のインイヤ式デバイス。
【請求項３０２】
前記ダイアフォニック弁は、
トランスデューサの筐体の開口部に流体連結された入口チャネルを画定する第１の層と、
前記入口チャネルに流体連結されたシンジェットポートを画定する第２の層と、
前記シンジェットポートを覆うフラップ弁を含む膜を有する第３の層と、
前記シンジェットポートに流体連結された出口ポートを画定する第４の層と
を備えている、請求項３０１に記載のインイヤ式デバイス。
【請求項３０３】
前記第１および第２のトランスデューサは、前記膨張型部材内に完全に封入されている、請求項２９８に記載のインイヤ式デバイス。
【請求項３０４】
前記音声発生源は、前記膨張型部材内に完全に封入されている、請求項３０３に記載のインイヤ式デバイス。
【請求項３０５】
前記第１および第２のトランスデューサは、前記膨張型部材内に部分的に封入されている、請求項２９８に記載のインイヤ式デバイス。
【請求項３０６】
前記音声発生源は、前記膨張型部材内に部分的に封入されている、請求項３０５に記載のインイヤ式デバイス。
【請求項３０７】
前記第１および第２のトランスデューサ、ならびに前記ダイアフォニック弁は、前記膨張型部材内に完全に封入されている、請求項３０２に記載のインイヤ式デバイス。
【請求項３０８】
前記第１および第２のトランスデューサ、ならびに前記ダイアフォニック弁は、前記膨張型部材内に部分的に封入されている、請求項３０２に記載のインイヤ式デバイス。
【請求項３０９】
前記ダイアフォニック弁は、前記第３の層と前記第４の層との間に位置付けられた第５および第６の層をさらに備え、
前記第５の層は、前記第３の層の前記フラップ弁からオフセットされた前記第５の層において画定された逆止め弁ポートを有し、
前記第６の層は、可撓性膜と、前記第５の層の逆止め弁ポートからオフセットされた前記第６の層において画定された逆止め弁ポートとを有している、
請求項３０２に記載のインイヤ式デバイス。
【請求項３１０】
前記シンジェットポートおよび前記逆止め弁ポートは、隆起した縁を有している、請求項３０９に記載のインイヤ式デバイス。
【請求項３１１】
ユーザの耳に音を伝えるためのインイヤ式デバイスであって、
音声発生源と、
前記音声発生源に連結され、前記音声発生源からの音響信号に応答して、静圧を生成することが可能な第１のトランスデューサと、
前記第１のトランスデューサの出力に流体連結された膨張型部材と、
を備えている、インイヤ式デバイス。
【請求項３１２】
前記音声発生源に連結され、前記音声発生源からの音響信号に応答して、静圧を生成することが可能な第２のトランスデューサをさらに備えている、請求項３１１に記載のインイヤ式デバイス。
【請求項３１３】
前記第１および第２のトランスデューサは、平衡電機子トランスデューサまたは可動コイルスピーカのいずれかである、請求項３１１に記載のインイヤ式デバイス。
【請求項３１４】
前記膨張型部材を前記第１のトランスデューサに連結する音響管をさらに備えている、請求項３１１に記載のインイヤ式デバイス。
【請求項３１５】
前記第１のトランスデューサに連結されたダイアフォニック弁をさらに備えている、請求項３１１に記載のインイヤ式デバイス。
【請求項３１６】
前記ダイアフォニック弁は、
前記第１のトランスデューサの筐体の開口部に流体連結された入口チャネルを画定する、第１の層と、
前記入口チャネルに流体連結されたシンジェットポートを画定する第２の層と、
前記シンジェットポートを覆うフラップ弁を含む膜を有する第３の層と、
前記シンジェットポートに流体連結された出口ポートを画定する第４の層と
を備えている、請求項３１５に記載のインイヤ式デバイス。
【請求項３１７】
前記第１のトランスデューサは、前記膨張型部材内に完全に封入されている、請求項３１１に記載のインイヤ式デバイス。
【請求項３１８】
前記音声発生源は、前記膨張型部材内に完全に封入されている、請求項３１７に記載のインイヤ式デバイス。
【請求項３１９】
前記第１のトランスデューサは、前記膨張型部材内によって部分的に封入されている、請求項３１１に記載のインイヤ式デバイス。
【請求項３２０】
前記音声発生源は、前記膨張型部材内に部分的に封入されている、請求項３１９に記載のインイヤ式デバイス。
【請求項３２１】
前記第１のトランスデューサおよび前記ダイアフォニック弁は、前記膨張型部材内に完全に封入されている、請求項３１６に記載のインイヤ式デバイス。
【請求項３２２】
前記第１のトランスデューサおよび前記ダイアフォニック弁は、前記膨張型部材内に部分的に封入されている、請求項３１６に記載のインイヤ式デバイス。
【請求項３２３】
前記ダイアフォニック弁は、前記第３の層と前記第４の層との間に位置付けられた第５および第６の層をさらに備え、
前記第５の層は、前記第３の層の前記フラップ弁からオフセットされた前記第５の層に画定された逆止め弁ポートを有し、
前記第６の層は、可撓性膜と、前記第５の層の前記逆止め弁ポートからオフセットされた前記第６の層に画定された逆止め弁ポートとを有している、
請求項３１６に記載のインイヤ式デバイス。
【請求項３２４】
前記シンジェットポートおよび前記逆止め弁ポートは、隆起した縁を有している、請求項３２３に記載のインイヤ式デバイス。
【請求項３２５】
前記膨張型部材は、複数の横方向に整列した膨張型管を備えている、請求項２９８に記載のインイヤ式デバイス。
【請求項３２６】
前記管は、３次元楕円形態で縦方向に相互に密閉されている、請求項３２５に記載のインイヤ式デバイス。
【請求項３２７】
膨張型管の数は、４から４０の範囲である、請求項３２５に記載のインイヤ式デバイス。
【請求項３２８】
膨張型管の数は、６から２０の範囲である、請求項３２７に記載のインイヤ式デバイス。
【請求項３２９】
前記膨張型部材は、複数の横方向に整列した膨張型管を備えている、請求項３１１に記載のインイヤ式デバイス。
【請求項３３０】
前記管は、３次元楕円形態で縦方向に相互に密閉されている、請求項３２９に記載のインイヤ式デバイス。
【請求項３３１】
膨張型管の数は、４から４０の範囲である、請求項３２９に記載のインイヤ式デバイス。
【請求項３３２】
膨張型管の数は、６から２０の範囲である、請求項３３１に記載のインイヤ式デバイス。
【発明の詳細な説明】
【技術分野】
【０００１】
（関連出願）
本願は、米国特許出願第１２／１７８，２３６号（２００８年７月２３日出願、Ａｍｂｒｏｓｅ他、２００９年１月２９日出願公開第２００９／００２８３５６Ａ１）および以下の仮出願のそれぞれに基づく優先権を主張する：米国特許仮出願第６１／１７６，８８６号（２００９年５月９日出願）、米国特許仮出願第６１／２３３，４５６号（２００９年９月１２日出願）、米国特許仮出願第６１／２４２，３１５号（２００９年９月１４日出願）、米国特許仮出願第６１／２５３，８４３号（２００９年１０月２１日出願）、米国特許仮出願第６１／２９７，９７６号（２０１０年１月２５日出願）。上記出願のそれぞれの全内容が参照により本明細書に援用される。
【０００２】
（発明の分野）
本デバイスおよび方法は、流体ポンプの構造、動作、および製造、ならびにユーザの耳用の挿入型音声伝達器具等での流体ポンプの出力の利用に関する。具体的には、デバイスおよび方法は、向上した快適性および制御をユーザに提供しながら、補聴器、ＭＰ３プレーヤ、Ｂｌｕｅｔｏｏｔｈ（登録商標）デバイス、電話、および同等物等の任意の数の電子音声デバイスと連結することができる、そのような器具に関する。
【背景技術】
【０００３】
電話、電報、または同等物等のオーディオデバイスを個人的に聴くためのヘッドホンの使用は、早くも１９００年代に始まった。元のデバイスは、非常に不良な音質および低い快適性さえもユーザに提供した。そのようなデバイスは、雑音低減、音声制御、フィードバック制御、および快適性特徴によって過去２０年間で大きな進歩を遂げてきた。しかしながら、従来技術は、典型的には機能および快適性への「万能」アプローチを取っており、特定のユーザに対して個別にカスタマイズ可能であるインイヤ式デバイスを提供することができなかった。本デバイスは、完全で豊富な音質を提供しながら、各ユーザに快適に適合するように調整可能である、インイヤ式デバイスを提供することによって、従来技術でのこの問題に対処する。
【０００４】
特許文献１（２００９年１月２９日公開）（’３５６出願）は、音声を耳に連結するためのインイヤ式膨張型ダイアフォニック部材（気泡）を開示し、気泡を膨張させ、それを膨張したまま保つために、静圧および能動圧力源が使用される。この発明の開示の一部として、振動音圧を静圧に変換して、ユーザの耳の中で気泡を膨張させることができる、ダイアフォニック弁が説明される。これは、最低限の減衰および歪曲を伴って、弁を通して気泡の中へ、したがって耳の中へプログラム材料（音楽、声等）の音声を依然として通過させながら達成される。したがって、補聴器、ｍｐ３プレーヤのイヤホン、または専門インイヤ式モニタで使用される種類のスピーカまたは音響ドライバは、プログラム材料を再生することに加えて、静圧を発生させてダイアフォニック部材（気泡）を膨張させるために使用され得る。’３５６出願のダイアフォニック弁は、振動音波が薄い弾性膜の振動を引き起こす、平弁設計を使用し、したがって、ポートを開閉することが、陽圧を獲得し、スピーカのサイクルを押し、陰圧中に外気を通気し、スピーカのサイクルを引く。本発明の実施形態は、ユーザの耳の中のダイアフォニック気泡の活発な膨張および収縮の両方を行うために、音エネルギーを利用する、本発明の送出方法を補完する。
【０００５】
音波は、音圧レベルを発生させ、機械的エネルギーを伝達する。しかしながら、音波の振動性による、音圧の周期的逆転は、ＰΔＶ作業（Ｐは引加された圧力であり、ΔＶは容量の変化である）を行うために必要な静圧の種類の形態で音圧を用いることを困難にする。ＰΔＶ作業の実施例は、バルーンの膨張である。残念ながら、音圧波は、あらゆる波動サイクルで押すのと同じ程度に引き、バルーン膨張のための正味圧力をもたらさない。
【０００６】
したがって、交流（アナログからＡＣ）音圧波から静（アナログからＤＣ）圧を獲得する、ダイアフォニック弁の設計改良を達成することが望ましい。ダイアフォニック弁は、そのエネルギー源として音声を使用する流体ポンプと考えられ得、または代替として、交流電流（ＡＣ）を直流電流（ＤＣ）に変換する電気整流器に類似している。本デバイスでは、ダイアフォニック弁は、稼働部品の数の削減、設計および製造の増加した単純性、およびさらに優れた発電容量等の変更を含む。
【０００７】
シンセティックジェットは、本デバイスの別の主な改良である。シンセティックジェットは、流体（液体または気体）が小さい開口部を通して交互に押され、引かれると発生する。図１ａに示されるように、流体は、開口部を通して押し出されると、開口部を含む表面から直接離れて放出された狭い有向噴流として退出する。図１ｂに示されるように、引くストロークでは、流体が同じ開口部を通して引き戻される時に、流体が下に行くと、主に側面から開口部に進入するように、流動場は大きく異なる。各交互サイクルで開口部を通して押され、引かれる流体の量が同じである（したがって、開口部を通る材料の正味流量がない）時でさえも、押すサイクル（図１ａ）および引くサイクル（図１ｂ）によって引き起こされる流動場の非対称性は、開口部を含む表面から離れる流体の正味流量をもたらす。多数の開口部直径に等しい表面を越えた距離において、シンセティックジェットは、圧力駆動力を受けて液体または気体を放出するホース等の従来のジェットと区別することが困難である、流体のほぼ連続的噴流または運動を生じる。
【０００８】
ＬｕｏおよびＸｉａは近年、「弁のないシンセティックジェットベースのマイクロポンプ」の設計を説明している（非特許文献１）。彼らの出版物から再現された彼らのデバイスの概略図が図２ａおよび２ｂに示されている。ＬｕｏおよびＸｉａのポンプ設計は、本インイヤ用途のために検討されておらず、その構造によって、本発明では有用となり得ない。
【０００９】
本発明は、流体ポンプおよびそれらの出力の利用に関する。また、本発明は、多数の問題に対処して解決し、イヤホンデバイスおよび同デバイスの製造方法の分野で数えきれない改良を提供する。従来のイヤホンデバイスと関連付けられる他の問題への解決法は、使用目的が補聴器、ＭＰ３プレーヤ、携帯電話、または他の同様のデバイスと共であるかどうかにかかわらず、本デバイスによって達成され得る。
【先行技術文献】
【特許文献】
【００１０】
【特許文献１】米国特許出願公開第２００９／００２８３５６号明細書
【非特許文献】
【００１１】
【非特許文献１】Ｚ．ＬｕｏおよびＺ．Ｘｉａ、「Ｓｅｎｓｏｒｓ  ａｎｄ  Ａｃｔｕａｔｏｒｓ  Ａ  １２２（１３１−１４０）」、２００５年
【発明の概要】
【課題を解決するための手段】
【００１２】
本明細書では、改良型流体ポンプと、付加的な構造上および動作上の利点を得ながら従来のデバイスの不利点を回避する、ユーザの耳の中に配置するためのオーディオ受信機デバイス等でのその出力の利用とが開示される。
【００１３】
一般的に言えば、本願の発明は、音声等の音響的振動を静圧に変換することを提供する。これは、空気または別の流体を輸送し、その電源として音響的振動を使用して空気または他の流体を加圧する、発明のポンプによって達成することができる。加圧流体は、耳の中の気泡を膨張させるため、または多くの他の有用な用途に使用することができる。また、本明細書で説明されるダイアフォニック弁は、チップベースの医療診断検査またはデバイス等のマイクロ流体およびＭＥＭＳデバイス用の音駆動型マイクロポンプを含むことができる。
【００１４】
また、一般的に言えば、それを通してシンセティックジェットがその流体の噴流を放出する、開口部の周囲に、または開口部を覆って、クローズドシステムが提供される。開口部の片側の気泡および開口部の反対側の取り囲まれた空間（例えば、トランスデューサ筐体）等の、このクローズドシステムは、デバイスによって送出される流体を含み、また、デバイスが発生させる静圧も含むことができる。デバイスによって送出される流体を提供する際に、入口管または入口ポートは、シンセティックジェット開口部の縁で、またはその付近で、シンセティッジェットに源流体を供給することができる。入口管の他方の端は、その中へシンセティックジェットがその流体の噴流を放出する、クローズドシステムの外側に位置することができる。
【００１５】
さらに、一般的に言えば、構成要素の無数の組み合わせで多数に具現化される、本願の発明は、電気信号発生器、音響ドライバ、音作動型ポンプ、および膨張型部材から成る。
【００１６】
ユーザの耳の中の密閉デバイスの膨張および起こり得る収縮のための空気圧を産生するために、音響エネルギー（音）を使用する、送出デバイスの設計および構造を提供することが、本発明の側面である。
【００１７】
実施形態では、ダイアフォニック弁の改良型設計は、シンセティックジェットの原理を利用する。シンセティックジェットは、流体が小さい開口部を通して交互に押され、引き戻されると産生される。これは、音の形態の交互の圧力波を使用して頻繁に行われる。開口部を通る正味物質移動がないものの、引くストロークで吸い込む流体の流動パターンに対する、押すストロークで産生される流体の外向き噴流との非対称性は、開口部の外部の縁から開口部の前の持続流体噴流への正味移動を産生する。多大な実験および理論的研究が、シンセティックジェットの動作を理解し、モデル化することを調査してきた。参考文献第１号を参照されたい。シンセティックジェットを使用するデバイスを対象とする、論文が発表され、特許が発行されている。参考文献第１〜９号を参照されたい。
【００１８】
本発明の実施形態では、ダイアフォニック弁ポンプが、インイヤ式バルーンの膨張のために提供される。本発明のより複合的な実施形態は、複数のシンセティックジェット発生開口部の積層、ならびに振動する薄いポリマー膜を含む。本発明の１つ以上の実施形態では、膨張型部材（バルーン）を膨張または収縮させる静圧の生成のために、新規用途が提供される。加えて、音を聴く目的で、個人の耳の中の膨張型部材を膨張または収縮させるために、音を利用することができる。
【００１９】
本発明の実施形態では、ダイアフォニック（音駆動型）送出デバイスの設計、製造、および稼働機構も開示される。このデバイスは、補聴器および高性能オーディオイヤホンで現在使用されている種類の既存の平衡電機子音声トランスデューサと共に稼働する。代替として、このデバイスはまた、ヘッドホン、ヘッドセット、およびイヤホンで現在使用されている種類の既存の可動コイルスピーカと共に稼働することもできる。本発明のデバイスは、聴取者の耳の中の膨張型部材を膨張させるように空気ポンプの役割を果たすとともに、また、トランスデューサがオーディオ材料を再生する従来の機能を果たすことも可能にする。膨張型部材（気泡またはバルーン）は、本発明のダイアフォニックポンプによって膨張させられると、快適で調整可能かつ可変な耳の密閉を生じ、外耳道と連動して、安全で快適かつ豊富なサウンディングおよび音声の高忠実度再生のための可変容量共鳴チャンバを生じる。
【００２０】
本発明のこれらの側面および他の側面は、以下の説明および添付図面から、より容易に理解され得る。
【図面の簡単な説明】
【００２１】
保護されようとする本主題の理解を促進する目的で、添付図面には、その実施形態が図示されており、それを検討することから、以下の説明と関連して考慮すると、保護されようとする本主題、その構造および動作、その利点の多くが容易に理解および認識されるべきである。図面中の構成要素は、必ずしも一定の縮尺ではなく、代わりに、本発明の原理を図示することが重視されている。以下の説明において、および多数の図面の全体を通して、対応する部品を指定するために類似参照数字が使用される。
【図１】図１Ａおよび１Ｂは、シンセティックジェットの稼働原理を描写する。
【図２】図２Ａおよび２Ｂは、公知のシンセティックジェットベースのポンプ設計を描写する。
【図３】図３は、開示されたインイヤ式デバイスの実施形態の圧力発生要素の概略図である。
【図４】図４は、周波数範囲に沿ってＳｏｎｉｏｎ  ４４Ａ０３００トランスデューサによって発現されたポンプ圧力を図示する、線グラフである。
【図５】図５は、図４と同じ周波数範囲に沿ってＳｏｎｉｏｎ  ４４Ａ０３００トランスデューサによって必要とされた電力を図示する、線グラフである。
【図６】図６は、図４と同じ周波数範囲に沿ってＳｏｎｉｏｎ  ４４Ａ０３００の効率を図示する、線グラフである。
【図７】図７は、動作電圧曲線を含む、Ｄｕｒａｃｅｌｌ亜鉛空気バッテリ１０の動作パラメータの再現である。
【図８】図８は、本発明の実施形態のプロトタイプの写真である。
【図９】図９は、本発明の実施形態による、単一基材音作動型ポンプの概略図である。
【図１０】図１０は、本発明の実施形態による、単一基材音作動型ポンプの概略図である。
【図１１】図１１は、本発明の実施形態による、単一基材音作動型ポンプの概略図である。
【図１２】図１２は、本発明の実施形態による、二重基材音作動型ポンプの概略図である。
【図１３】図１３は、本発明の実施形態による、二重基材音作動型ポンプの概略図である。
【図１４】図１４は、本発明の実施形態による、二重基材音作動型ポンプの概略図である。
【図１５】図１５は、本発明の実施形態による、膨張モードでの空気流マニホールドの一定縮尺ではない表現である。
【図１６】図１６は、本発明の実施形態による、収縮モードでの空気流マニホールドの一定縮尺ではない表現である。
【図１７】図１７は、分解されたダイアフォニック弁の写真、ならびに構成要素部品の標識付き概略図である（縮尺比の目的で、米１０セント硬貨の一部分も示されている）。
【図１８】図１８は、図１７に図示されたダイアフォニック弁の組み立てられた構成要素部品の側面概略図である。
【図１９】図１９は、本発明の実施形態による、分解された６層ダイアフォニック弁の概略図である。
【図２０】図２０は、図１９に図示されたダイアフォニック弁の組み立てられた構成要素部品の側面概略図である。
【図２１】図２１は、図２０に図示された実施形態と同様のダイアフォニック弁の組み立てられた構成要素部品の側面概略図である。
【図２２】図２２は、図２０に図示された実施形態と同様のダイアフォニック弁の組み立てられた構成要素部品の側面概略図である。
【図２３】図２３は、本発明の実施形態による、気泡によって部分的に取り囲まれたトランスデューサを伴う駆動気泡システムの側面概略図である。
【図２４】図２４は、本発明の実施形態による、気泡によって完全に取り囲まれた音響管および部分的に取り囲まれたトランスデューサを伴う駆動気泡システムの側面概略図である。
【図２５】図２５は、本発明の実施形態による、気泡によって完全に取り囲まれたトランスデューサを伴う駆動気泡システムの側面概略図である。
【図２６】図２６は、本発明の実施形態による、気泡によって完全に取り囲まれた音響管およびトランスデューサを伴う駆動気泡システムの側面概略図である。
【図２７】図２７は、本発明の実施形態による、気泡の外側にトランスデューサを伴う駆動気泡システムの側面概略図である。
【図２８】図２８は、本発明の実施形態による、完全に取り囲まれた音響管および気泡の外側のトランスデューサを伴う駆動気泡システムの側面概略図である。
【図２９】図２９は、本発明の実施形態による、図２６の実施形態と同様の気泡によって完全に取り囲まれた音響管およびトランスデューサを伴う駆動気泡システムの側面概略図である。
【図３０】図３０は、本発明の実施形態による、単一のトランスデューサに取り付けられた２つの平坦ダイアフォニック弁を図示する、側面概略図である。
【図３１】図３１は、本発明の実施形態による、ダイアフォニック弁の積層および２つのトランスデューサを図示する、側面概略図である。
【図３２】図３２は、本発明の実施形態による、トランスデューサと交互になる複数のダイアフォニック弁を図示する、側面概略図である。
【図３３】図３３は、一連の振幅に沿った圧力および容量変化の図解である。
【図３４】図３４は、外耳道内に挿入された本発明の実施形態の説明図である。
【図３５】図３５は、図３４と同様の説明図である。
【図３６】図３６は、受信機と気泡との間の連結管の使用を図示する、本発明の実施形態の概略図である。
【図３７】図３７は、受信機アセンブリの取り外しを図示する、図３６に示された実施形態の概略図である。
【図３８】図３８は、本発明の実施形態による、膨張型部材のドーナツ形実施形態の１組の写真である。
【図３９】図３９は、音響管を伴う図３８のドーナツ形実施形態の接続過程を図示する、一連の写真である。
【図４０】図４０は、圧力管の接続過程を図示する、一連の写真である。
【図４１】図４１は、音響ドライバが膨張型ドーナツ形部材内に完全または部分的に含まれている、ドーナツ構成の別の実施形態を図示する概略図である。
【図４２】図４２は、外耳道の中へのドーナツ形気泡の実施形態の挿入を図示する。
【図４３】図４３は、２つの膨張圧力における膨張型膜を示す、本発明の実施形態の説明図である。
【図４４】図４４は、本発明の実施形態による、気泡内に封入されたトランスデューサおよび音響管を図示し、音響管は、円周の周囲の線に沿って配置されたポートのパターンを有する。
【図４５】図４５は、本発明の実施形態による、音響管の一部分の周囲にポリマースリーブを含む、図４４に図示されたものと同様のデバイスを示す。
【図４６】図４６は、空気入口管を含む、図４５に図示されたものと同様の実施形態を示す。
【図４７】図４７は、空気リングマニホールドを含む、図４６に図示されたものと同様の実施形態を示す。
【図４８】図４８は、図４７に図示されたものと同様の実施形態を示す。
【図４９】図４９は、図４８に図示されたものと同様の実施形態を示す。
【図５０】図５０は、音響管のみが気泡内に封入された、図４６に図示されたものと同様の実施形態を示す。
【図５１】図５１は、トランスデューサも気泡内に部分的に封入された、図５０に図示されたものと同様の実施形態を示す。
【図５２】図５２は、図５０に図示されたものと同様の実施形態を示す。
【図５３】図５３は、図４９に図示されたものと同様の実施形態を示す。
【図５４】図５４は、図５０に図示されたものと同様の実施形態を示す。
【図５５】図５５は、複数の空気入口溝を伴う、図５４に図示されたものと同様の実施形態を示す。
【図５６】図５６は、音響管の基部に空気リングマニホールドを伴う、図５５に図示されたものと同様の実施形態を示す。
【図５７】図５７は、らせん溝を伴う、図５５に図示されたものと同様の実施形態を示す。
【図５８】図５８は、交差らせん溝を伴う、図５７に図示されたものと同様の実施形態を示す。
【図５９】図５９は、本発明による、短い音響管を有する実施形態を示す。
【図６０】図６０は、圧力発生のための効率的な波形を図示するグラフである。
【図６１】図６１は、図示された付随波形の結果として平衡シンセティックジェットを有する動くダイヤフラムの図解である。
【図６２】図６２は、図示された付随波形の結果として平衡シンセティックジェットを有する動くダイヤフラムの図解である。
【図６３】図６３ａおよび６３ｂは、それぞれ、円錐開口部および隆起した漏斗を図示する、概略図の底面図および側面図である。
【図６４】図６４は、本発明の実施形態による、円錐可動ダイヤフラムの概略図の側面図である。
【図６５】図６５は、本発明の実施形態の概略図である。
【図６６】図６６は、逆止め弁を含む、図６５と同様の実施形態の概略図である。
【図６７】図６７は、本発明の実施形態による、二重トランスデューサデバイスの概略図である。
【図６８】図６８は、本発明の実施形態による、同軸ダイアフォニック弁を有するデバイスの概略図である。
【図６９】図６９は、本発明の実施形態による、同軸ダイアフォニック弁を有するデバイスの別の概略図である。
【図７０】図７０は、本発明の実施形態に対する自動挿入機構の概略図である。
【図７１】図７１は、図７０に示された自動挿入機構の一部分の概略図である。
【図７２】図７２は、本発明による、２つのトランスデューサデバイスの実施形態の概略図である。
【図７３】図７３は、トランスデューサのうちの一方の極性を他方に対して切り替えることができるような、Ｓｏｎｉｏｎ  ４４Ａ０３００二重トランスデューサの写真描写である。
【図７４】図７４は、本発明の実施形態による、１８０度位相がずれて作動する２つのトランスデューサに対応する、ユーザの鼓膜における信号に近似する、Ｚｗｉｓｌｏｃｋｉカプラで測定された音圧レベル（ＳＰＬ）の差異を示すグラフである。
【図７５】図７５は、本発明の実施形態による、音響管用の分離可能な連結器を有するデバイスの概略図である。
【図７６】図７６は、図７５と同様の概略図である。
【図７７】図７７は、短い音響管を伴う、図７５と同様の概略図である。
【図７８】図７８ａおよび７８ｂは、図７５−７７に示された連結器の考えられる実施形態の説明図である。
【図７９】図７９から８３は、図７５−７７に示された連結器の付加的な考えられる実施形態の説明図である。
【図８０】図７９から８３は、図７５−７７に示された連結器の付加的な考えられる実施形態の説明図である。
【図８１】図７９から８３は、図７５−７７に示された連結器の付加的な考えられる実施形態の説明図である。
【図８２】図７９から８３は、図７５−７７に示された連結器の付加的な考えられる実施形態の説明図である。
【図８３】図７９から８３は、図７５−７７に示された連結器の付加的な考えられる実施形態の説明図である。
【図８４】図８４は、本発明の実施形態による、二重壁膨張型部材の側面図および断面図である。
【図８５】図８５は、本発明の実施形態による、多重管膨張型部材の側面図および断面図である。
【図８６】図８６は、本発明の実施形態による、多重管膨張型部材の側面図および断面図である。
【図８７】図８７は、本発明の実施形態による、外耳道内受信機（ＲＩＣ）アセンブリに接続するための気泡アセンブリを示す概略図である。
【図８８】図８８は、本発明の実施形態による、気泡アセンブリを外耳道内受信機（ＲＩＣ）アセンブリに連結するためのコネクタ用の気泡アセンブリを示す概略図である。
【図８９】図８９は、図８７および８８のアセンブリに連結する外耳道内受信機（ＲＩＣ）アセンブリの概略図である。
【図９０】図９０は、図８７−８９のアセンブリに連結する外耳道内受信機（ＲＩＣ）アセンブリの概略図である。
【図９１】図９１は、本発明の実施形態による、平衡電機子トランスデューサの断面図である。
【図９２】図９２は、圧力均等化ポートを含む、図９１に示されたものと同様の実施形態を図示する。
【図９３】図９３は、ダイヤフラムの中のポートを含む、図９２に示されたものと同様の実施形態を図示する。
【図９４】図９４は、非対称波を図示するグラフである。
【図９５】図９５は、図９４に示されたものと同様であるが逆転している、非対称波を図示するグラフである。
【図９６】図９６は、フラップ弁を含む、図９３に示されたものと同様のデバイスの断面図である。
【図９７】図９７は、本発明の実施形態による、トランスデューサ後方容量の中の同軸ダイアフォニック弁を含む、デバイスの断面図である。
【図９８】図９８は、図９７に示されたものと同様のデバイスを図示する。
【図９９】図９９は、膨張充填管を含む、図９８に示されたものと同様のデバイスを図示する。
【図１００】図１００は、本発明の実施形態による、トランスデューサ後方容量の中の空間充填材料を含む、デバイスの断面図である。
【図１０１】図１０１は、本発明の実施形態による、後方容量仕切りの使用を図示する断面図である。
【図１０２】図１０２は、本発明の実施形態による、２部品音響管を有するデバイスの側面図および断面図である。
【図１０３】図１０３は、ポリマースリーブを含む、図１０２に示されたものと同様のデバイスを図示する。
【図１０４】図１０４は、空気入口管を含む、図１０３に示されたものと同様のデバイスを図示する。
【図１０５】図１０５は、音響管のみが気泡内に封入された、図１０４に示されたものと同様のデバイスを図示する。
【図１０６】図１０６は、トランスデューサに連結する音響管を含む、図１０５に示されたものと同様のデバイスを図示する。
【図１０７】図１０７は、本発明の実施形態による、ダイアフォニック弁の８つの層を図示する概略図である。
【図１０８】図１０８は、図１０７に図示された、組み立てられた層の側面断面図である。
【図１０９】図１０９は、弁層を通る空気および音を図示する、図１０７の概略図である。
【図１１０】図１１０は、１枚のシートの中の５００個の基材のアレイを図示する。
【図１１１】図１１１は、図１１０に図示されたシートアレイ形態で配置されている、図１０７のダイアフォニック弁の８つの層を図示する。
【図１１２】図１１２は、ともに結合された図１１１の整列シートを図示する。
【図１１３】図１１３は、個々のダイアフォニック弁に切り分けられた接合シートを図示する。
【図１１４】図１１４は、本発明の実施形態による、８層弁配置を図示する。
【図１１５】図１１５は、本発明の実施形態による、８層弁配置を図示する。
【図１１６】図１１６は、本発明の実施形態による、９層弁配置を図示する。
【図１１７】図１１７は、図１１４で具現化された弁の中の音圧流を図示する。
【図１１８】図１１８は、図１１４で具現化された弁の中の空気流を図示する。
【図１１９】図１１９は、図１１５で具現化された弁の中の音圧流を図示する。
【図１２０】図１２０は、図１１５で具現化された弁の中の空気流を図示する。
【図１２１】図１２１は、前方容量の中へ空気を送出するように逆に動作し、したがって、前方容量および音響管の中で陽圧を生成する、ダイアフォニック弁を伴う平衡電機子トランスデューサを図示する。
【図１２２】図１２２は、平衡電機子トランスデューサの後方容量の中へ空気を送出するように逆に動作する、ダイアフォニック弁を図示する。
【図１２３】図１２３は、本発明による、入口管からダイアフォニック弁を通り、出口管３８を通って音響管の中へ空気を移動させるために音響送出エネルギーを使用し、そこで、耳垢蒸気の浸潤を防止するように陽圧を生成する、平衡電機子トランスデューサの後方容量に取り付けられたダイアフォニック弁を図示する。
【図１２４】図１２４は、その前方容量の上の逆転ダイアフォニック弁、および音響管に接続された出口を伴うその後方容量の上の別のダイアフォニック弁を伴う、トランスデューサを示す。
【図１２５】図１２５は、ダイアフォニック弁の動作によって加圧される音響管が、多孔性材料の閉鎖ポリマー気泡に流れ込む、実施形態を図示する。
【発明を実施するための形態】
【００２２】
本発明は、多くの異なる形態の実施形態を許容することができるが、図面に示され、本発明の種々の構成要素の実施形態を含む、本発明の詳細な好ましい実施形態において本明細書で説明され、本開示は、本発明の原理の例示として見なされ、本発明の広範な側面を図示される実施形態に限定することを目的としていないことを理解されたい。
【００２３】
図３−１２５を参照すると、音声等の音響的振動を静圧に変換するための多数の実施形態が図示されている。これは、空気または別の流体を輸送し、その動力源として音響的振動を使用して空気または他の流体を加圧する発明のポンプによって達成することができる。加圧流体は、概して数字１０によって指定されるインイヤデバイス、およびその種々の構成要素を介して、気泡を膨張させるために使用することができる。デバイス１０は、ほとんどあらゆるサイズおよび電力規模の補聴器、ＭＰ３プレーヤ、または同等物等の外部オーディオ源と組み合わせて使用するように設計されている。「デバイス」という用語は、全ての実施形態にわたって一貫している同様の構成要素に対する参照番号によって、本発明の全ての実施形態を参照するために以下の説明の全体を通して使用される。そのような構成要素は、注記される場合を除いて、異なる実施形態間で交換可能であることを明確にすることが意図されている。
【００２４】
本発明は、概して、トランスデューサ、ダイアフォニック弁、膨張型部材、および音響管を含む４つの構成要素から構成される。トランスデューサ２０は、ダイアフォニック弁を使用して、場合によっては可逆的な流体流動を産生するように、ＡＣまたはＤＣのいずれかの電源によって電力供給される。流体は、ユーザの外耳道内に嵌合する膨張型部材３０（別名、気泡）を膨張させるために使用される。音響管４０は、外耳道、膨張型部材３０、または両方を往復して、音、流体、または両方を運ぶために使用される。
【００２５】
以下の詳細な説明は、例示目的で図示および説明される具体的な組み合わせを伴って、多数の変化例におけるこれらの一般的構成要素のそれぞれ、ならびに付加的および代替的な構成要素を対象とするように編成される。しかしながら、種々の構成要素の多数の実施形態によって本明細書では具体的に論議されてはいないが、本開示内に潜在すると見なされ、添付の請求項によって包含されるべきであるそのような実施形態の組み合わせが存在する。
【００２６】
（一般的なデバイス説明）
本明細書においてさらに詳細に説明される図３は、本デバイス１０の基本的実施形態に対する１つの特定のレイアウトを示す。
【００２７】
概して、コード５０を通して供給される電気信号に応じて音声を産生する、トランスデューサ２０は、膨張型部材３０（例えば、気泡３１）の外側にあってもよく、またはそれに封入されてもよい。気泡３１内にある場合、コード２６は、気泡３１の一方の端を通過し、トランスデューサ音声出力は、音響管４０を通る気泡３１の他方の端を通して外に方向付けられる。使用中、デバイス１０は、ユーザの耳に挿入され、コードが２６耳の外に出て、デバイスを、補聴器、携帯電話、Ｂｌｕｅｔｏｏｔｈ（登録商標）デバイス、デジタル音楽プレーヤ、または別の通信デバイス等のオーディオ信号発生デバイス６０に接続する。トランスデューサ２０からポリマー気泡３１の外側へ、ポリマー気泡３１によって中断されない直接経路を提供する音響管４０の開口は、ユーザの外耳道から、一般的に鼓膜と呼ばれるユーザの鼓膜に向かって、下方に方向付けられる。
【００２８】
（所要電力）
本デバイスの作業実施形態に基づく実験研究は、トランスデューサ周波数と対比した気泡膨張圧力、およびトランスデューサ周波数と対比した気泡膨張の電力効率の評価を可能にしてきた。例えば、これらの測定は、デンマークのＳｏｎｉｏｎによって製造および販売されている二重トランスデューサ（４４Ａ０３００）の半分の後方容量に嵌合されたダイアフォニック弁によって発生させられる圧力を用いて送出されるデバイス上で行われた。周波数の関数としてのデバイスポンプによって発現された圧力のグラフである、図４は、このデバイスの特定の実施例について、約４０００Ｈｚで最高圧力を発生させることができることを図示する。
【００２９】
しかしながら、トランスデューサは、典型的には、異なる周波数で操作されると異なる量の電力を引き出すので、図４にも示されるようなピーク圧力発生の条件は、必ずしもデバイス動作のための最適な周波数ではない。
【００３０】
図５は、周波数の関数として、この特定のデバイスを駆動するために必要とされる電力を示す。
【００３１】
デバイスが約４０００Ｈｚで最高圧力を発生させることができる（図４）一方で、図５は、この周波数が所要電力の極大値に対応することを示す。補聴器またはＭＰ３プレーヤ等のバッテリ駆動型用途において利用可能な有限電力を最大限に活用するために、送出が最もエネルギー効率的である周波数で、デバイスを操作することが望ましい。この周波数は、必要とされる電力（図５）に対する発生させられる圧力（図４）の比の最大値において見出される。この周波数と対比した比のプロットが、図６に示されている。
【００３２】
図６は、約３０００Ｈｚにおいてデバイスのこの特定の実施形態を動作させることが、最大のエネルギー効率（すなわち、１ミリワット単位の消費電力当たりのパスカル単位の発生圧力）をもたらすことを示す。この結論は、その最大エネルギー効率の周波数において、デバイスが意図された用途を遂行するように十分に高い圧力を実際に発生させることができて初めて、有用である。用途がユーザの耳の中に気泡を封入することである場合、１ｋＰａの圧力は十分以上である。したがって、３０００Ｈｚは、デバイスの参照された実施形態に対する良好な動作周波数であることがわかる。
【００３３】
比較すると、図６は、高いエネルギー効率は、８０００Ｈｚと測定される最高周波数においても達成されることを示す。データの傾向はまた、さらに高い周波数に及ぶことによって、送出効率を増加させ続けることが可能であり得ること、または少なくとも、同様に高い効率がさらに高い周波数において維持される場合があることも示唆する。この観察は、非常に高い周波数、すなわち、可聴範囲を超える周波数において動作することによって、ユーザの耳の中でバルーンを膨張させるデバイスの魅力的な可能性を高める。しかしながら、図４は、これが、少なくとも評価される特定の実施形態にとって、実用的ではない場合があることを示す。デバイスによって発生させられる圧力は、高い周波数において降下し、その傾向は、可聴範囲を上回る周波数において、デバイスが用途に対して不十分な圧力を発生させる場合があることを示す。したがって、この特定のデバイスは、性能と効率との組み合わせを提供するためには、３０００Ｈｚで操作されるべきである。
【００３４】
最後に、図４および６は、実行可能な圧力および合理的な電力効率が、Ｓｏｎｉｏｎトランスデューサを用いて、１００Ｈｚ未満から８０００Ｈｚほどの高さまでの非常に広範な周波数にわたって達成されることを示す。他のトランスデューサは、さらに広い使用可能範囲を有してもよい。データは、補聴器によって拾われる環境音、会話、音楽、および同等物を含む広範囲の音声を使用する効果的なデバイス送出を生じさせることができることを示唆する。プロトタイプの補聴器デバイスでの試験は、通常の会話、または通常のレベルで再生された録音音楽が、気泡を膨張させ、効果的な耳の密閉を生じさせるために十分な圧力を産生したことを示した。
【００３５】
（バッテリ寿命の考慮事項）
デバイス自体によって発生させられる音（以下で説明される）を使用して、耳の中において気泡を膨張させる本デバイス１０について、気泡を膨張させ、それを膨張したまま保つために必要とされる電力は、デバイス性能に悪影響を及ぼさないために、利用可能なバッテリ電力の十分わずかな割合であることが重要である。一般規則として、補聴器用途について、気泡膨張および気泡圧力の維持は、利用可能なバッテリエネルギーの約５パーセント以上を消費すべきではない。
【００３６】
実施例：耳掛け式（ＢＴＥ）外耳道内受信機（ＲＩＣ）補聴器上の耳用デバイスに電力供給する亜鉛空気バッテリ。
【００３７】
図７に示されたデータシートは、小型ＢＴＥ式ＲＩＣ型製品（５．７ｍｍ直径×３．５ｍｍ厚さ）で使用される、典型的なサイズの補聴器バッテリ（Ｄｕｒａｃｅｌｌによって製造されているＤＵＲＡＣＥＬＬ（登録商標）のＮｏ．１０亜鉛空気バッテリ）に対するものである。
【００３８】
図７に示された「典型的な放電曲線」は、間に１２時間の休止期間を伴って１２時間の期間にわたって印加される３０００オームの負荷インピーダンスを仮定する。これは、補聴器ユーザがデバイスを１日１２時間使用することを示唆する。グラフは、約１８０時間にわたって維持される場合における、約１．３ボルトのバッテリの電圧を示す。終点電圧は、２００時間を少し越えた後に、０．９ボルトを示す。これは、１８０時間にわたって消散されている電力が、１．３×１．３／３０００＝０．０００５６ワットまたは０．５６ミリワットであることを意味する。これはさらに、１８０時間の期間にわたってバッテリから消費されたエネルギーが、約０．０００５６ワット×１８０時間または約０．１０１ワット時であることを意味する。
【００３９】
この膨張ポンプが、最大で、利用可能なバッテリエネルギーの５パーセントを消費できるというガイドラインを適用すると、これは、約０．００５ワット時または５ミリワット時となる。バッテリが１日１２時間にわたって補聴器に電力供給し、そのような実働を１８０時間にわたって提供する場合、これは、約１５日のバッテリ寿命を推定する。したがって、デバイスは、気泡膨張および気泡圧力維持のために、約０．３ミリワット時／日を消費することができる。約０．９ミリワットの電力消費によって１ｋＰａをわずかに上回る圧力を発生させることが可能である３．１５ｋＨｚ（上記で論議されるように、最もエネルギー効率良好な条件）で動作する１つのプロトタイプポンプ（すなわち、上記で論議されるように、Ｓｏｎｉｏｎ二重トランスデューサ４４Ａ０３００の半分の後方容量に嵌合されたダイアフォニック弁によって発生されられる圧力で送出されるデバイス）について行われる測定に基づくと、これは、１時間の約１／３または２０分／日の最大の膨張時間を示す。
【００４０】
気泡が静的に膨張させられる（低透過性）気泡であり、ダイアフォニック弁が、以下でさらに詳細に説明されるように、逆止め弁の追加によって漏出が防止されるならば、１日に１２時間送出するうちの２０分（バッテリエネルギーの５％の制限によって許容される理論的最大値）は、本発明の気泡を膨張させ、維持するために必要とされる送出の量をはるかに超過している。。
【００４１】
（１．トランスデューサ）
本デバイス１０の実施形態は、補聴器および高性能オーディオイヤホンにおいて現在使用されている種類の、図９１に図示されるような既存の平衡電機子音トランスデューサとともに稼働する。本デバイスの実施形態はまた、可動コイルスピーカとともに稼働することもできる。本トランスデューサ２０は、聴取者の耳の中で膨張型部材を膨張させるための空気ポンプの役割を果たすとともに、また、トランスデューサ２０がオーディオ材料を再生する従来の機能を果たすことも可能にする。膨張型部材（気泡またはバルーン）は、本発明のダイアフォニックポンプによって膨張させられると、快適で調整可能かつ可変な耳の密閉を生じさせ、外耳道と連動して、安全で快適かつ豊富な鳴動およびオーディオの高い忠実度の再生のための可変容量の共鳴チャンバを生じさせる。
【００４２】
そのような平衡電機子トランスデューサの動作は、当業者に周知である。異なる製造業者からの平衡電機子トランスデューサ２０の異なる設計および異なる物理的実施形態は、構成要素の異なる物理的レイアウトを有してもよい。しかしながら、全ての考えられる平衡電機子トランスデューサは、ある基本的な構成要素を有する。これらは、平衡電機子２１に機械的に接続される音声の産生のためのダイヤフラム２８を含む。永久磁場と、電気コイル２９に電気を通すことによって産生される電磁石との間の相互作用を使用して、電機子は、ダイヤフラム２８の振動を生じさせるように電気的に作動させられる。平衡電機子２１および電気コイル２９は、ダイヤフラム２８の後ろの後方容量空間の中に存在する。ダイヤフラム２８の反対側の前方容量は、それによってオーディオがトランスデューサ２０から退出する音響管に続いている。ここで説明される本発明は、特定の平衡電機子トランスデューサ実施形態でのこれらの構成要素のレイアウトまたは配置の詳細にかかわらず、これらの基本的構成要素を含有する任意の平衡電機子トランスデューサを使用して産生することができる。加えて、ここで説明される本発明の実施形態は、平衡電機子トランスデューサよりもむしろ、そのオーディオおよび音声エネルギー源として可動コイルスピーカを使用することができる。そのようなデバイスの基本的レイアウトは、音源が平衡電機子であるか可動コイルであるかにかかわらず、同様である。本明細書で示される説明図は、平衡電機子音源を使用する。
【００４３】
図９２に示されたもののように、従来技術のトランスデューサでは、内側筐体４４の中に小さい穴またはポート５６を有することが一般的である。内側筐体４４は、ダイヤフラム前方容量からダイヤフラム後方容量を分離する。ポート５６は、後方容量と前方容量との間の大気圧の均等化を可能にする。ダイヤフラム２８の反対側を超える片側での過剰な圧力は、その振動を付勢し、その音声発生特性を修正する（妨げる）。圧力均等化ポート５６は、それによって空気が前方および後方容量の間を移動することができる小さい物理的経路を提供し、したがって、それらの間の圧力を均等化する。圧力均等化ポート５６は、内側筐体４４によってダイヤフラムを密閉する可撓性膜の中を含む、内側筐体４４の中のどこにでも配置することができる。
【００４４】
（シンセティックジェット）
本開示を検討した後に理解されるように、それを通してシンセティックジェットがその流体の噴流を放出する開口部の周囲に、または開口部を覆って、クローズドシステムが提供される。シンセティックジェット開口部の片側の気泡および開口部の反対側の取り囲まれた空間（例えば、トランスデューサ筐体）等の、このクローズドシステムは、気泡の中等に、デバイスによって送出される流体を含有し、また、デバイスが発生させる静圧も含有することができる。デバイスによって送出される流体を提供する際に、入口管または入口ポートは、シンセティックジェット開口部の縁で、またはその付近で、シンセティッジェットに源流体を供給することができる。入口管の他方の端は、その中へシンセティックジェットがその流体の噴流を放出する、クローズドシステムの外側に位置することができる。
【００４５】
デバイスの使用を通して、シンセティックジェット開口部の両側における噴流状の陽圧および陰圧の両方が方向付けられ、またはクローズドシステムに貯蔵され、したがって、相互から隔離されてもよい。したがって、蓄積した圧力および／または真空に、機能するように指図することができる。
【００４６】
いくつかの実施形態に存在する基礎的デバイスへの他の追加は、シンセティックジェットポンプが動作していないときに逆流を防止するために、シンセティックジェット開口部および逆止め弁を覆うフラップを含むが、必ずしもそれらに限定されない。シンセティックジェット開口部を覆うフラップまたは膜の使用は、ダイアフォニック弁によって生成される陽圧および陰圧の分離を強化し、したがって、それらが両方とも、より優れた効率で別個のクローズドシステムに含有されることを可能にする。
【００４７】
（可動シンセティックジェット開口部に基づく送出）
ダイアフォニック送出デバイスの１つの特定の実施形態は、平衡電機子トランスデューサの可動ダイヤフラムまたは可動コイルスピーカのダイヤフラムの表面に位置する開口部を使用する。ダイヤフラム２８が前後に振動するとき、ダイヤフラム２８の開口部６１（図９３のトランスデューサ２０を参照）は、図６１に示されるように、この開口部６１の両側に１つ、１対のシンセティックジェットを生成する。所与の方向への開口部６１の移動は、反対方向にシンセティックジェットを生成する。ダイヤフラム２８、したがって、開口部の上向きの偏位は、トランスデューサ２０の後方容量の中へ下向きにシンセティックジェットを発生させる。同様に、ダイヤフラム２８および開口部の下向きの偏位は、トランスデューサ２０の前方容量の中へ上向きのシンセティックジェットを発生させる。
【００４８】
ダイヤフラム２８を駆動する波形が対称である場合には、図６１に示されるように、２つのシンセティックジェット（前方容量の中へ上向き、および後方容量の中へ下向き）は、強度が等しくなる。物質輸送および／または圧力発生に関する正味の影響は、別の影響を取り消し、いずれの正味送出作用も達成されない。図６２に示されるように、非対称波形が非対称シンセティックジェットを産生し、可動開口部のより急速または活発な運動とは反対の方向に正味流量または送出をもたらす。
【００４９】
図９４に示されるように、上昇波がダイヤフラム２８の外向き（上向き）推進を示すように配線接続されるトランスデューサ２０を用いると、前方容量から後方容量に向かった送出作用が生じる。図９４は、その後により遅い上向き推進が続く、活発な下向きの引き込みを伴う反対波形を示す。この波形は、後方容量から前方容量に向かった正味送出作用を生じる。
【００５０】
図９３はまた、後方容量を周囲空気に直接接続する、入口ポート５２も示す。ポート５２は、外側からデバイスを通したユーザの耳の中の膨張型部材３０の中へ空気の正味輸送のためのポンプとして、デバイスが操作される場合に所望される。ポート５２はまた、デバイスを通して気泡から空気を引き出し、それを外側に放出することによって、膨張型部材３０を能動的に収縮させるために、（ダイヤフラム２８を駆動する波形を逆転させることによって）デバイス１０が使用される場合にも所望される。
【００５１】
入口ポート５２のサイズおよび場所の両方、ならびにダイヤフラム２８上の開口部６１のサイズおよび場所は、存在する場合、それぞれデバイス１０に貢献する音響インピーダンスおよび空気流インピーダンスに影響する。これらのインピーダンスを調節することによって、デバイス１０を通る音声および空気（圧力）の両方の流量を制御することが可能である。例えば、ダイヤフラム２８によって発生させられるオーディオプログラム音声が、独占的に、または少なくとも主にダイヤフラム２８の前方容量を通って、音響管４０を下り、膨張型部材３０の中へ（すなわち、鼓膜に向かって）伝播することが望ましい。したがって、ダイヤフラム２８の中の開口部６１および入口ポート５２は、可聴周波数範囲内の高い音響インピーダンスを有する。この高い音響インピーダンスが達成される１つの方法は、これらのポート（５２および開口部６１）を非常に小さくすることである。音響インピーダンスに関する同じ考慮事項が、存在するときに圧力均等化ポート５６に該当する。逆に、音響管４０は、はるかに低い音響インピーダンスを有する。
【００５２】
空気流に対するインピーダンスの平衡は、ポンプとしてのデバイスの動作に影響する。入口ポート５２およびダイヤフラムの中の開口部６１の空気流インピーダンスが平衡を保たれるか、またはほぼ平衡を保たれる場合には、図９５のように、ダイヤフラム２８を駆動する波形を変化させることによって、全体的な空気流の方向を逆転させることが可能である。
【００５３】
図９６は、入口ポート５２の内側（ダイヤフラム後方容量内の側面）がフラップ弁５４によって覆われる、以前の実施形態の修正を示す。フラップ弁５４は、空気が外側から後方容量の中へ流れることを可能にするが、後方容量から外側への空気の逆流は防止する。フラップ弁５４は、順方向への（外側からデバイスを通って膨張型部材の中への）送出効率が強化されるが、送出作用を不可逆的にするという犠牲を負うように、空気流に対するインピーダンスにおいて極度の不均衡を生成する。フラップ弁５４が定位置にあると、波形を逆転させ、気泡３１を能動的に縮小または収縮させることが可能ではない。
【００５４】
（同軸ダイアフォニック弁）
図９７は、好ましくは直径が数ミリメートルである管２３から成る同軸ダイアフォニック弁２２を示す。環状の小さいポートまたは穴２４（概して１から６個の穴）が、管２３の円周の周囲に穿孔される。緊密に嵌合するポリマースリーブ２５が、環状の穴２４を覆って管２３の外側に配置される。ポリマースリーブ２５は、一方の端（Ａ）ではその円周の周囲において管２３に固定され、他方の端（Ｂ）では開放している。固定端および開放端（ＡおよびＢ）は、デバイスの性能を損なうことなく切り替えられてもよい。
【００５５】
トランスデューサ２０の外側で周囲空気の中へ延在する同軸ダイアフォニック弁管２３の端は、開放している。トランスデューサ２０の後方容量内の管２３の他方の端は、閉鎖されている。
【００５６】
図９７の実施形態は、ダイヤフラム２８の中にポートを持たないことに留意されたい。しかしながら、内側筐体４４の中に圧力均等化ポート５６を有し、トランスデューサ２０の前方および後方容量の圧力均等化を可能にする。この実施形態では、送出作用は、ダイヤフラム２８の裏面によって後方容量の中で提供される音響的作動に応じて、ダイアフォニック弁２２によって提供される。同軸ダイアフォニック弁２２は、後方容量の中へ空気を送出し、その圧力を増加させる。空気は、圧力均等化ポート５６を通って漏出し、前方容量の中の圧力を均等化する。前方容量が音響管４０を通して膨張型部材３０に接続されるので、前方容量が加圧されるにつれて気泡も膨張させられる。この実施形態は、後方および前方容量の間の圧力均等化が、ダイヤフラム２８への正味の圧力をもたらさず、したがって、オーディオの歪曲をもたらさないという利点を有する。
【００５７】
図９８は、管７９がダイアフォニック弁２２を保持するようにトランスデューサ筐体４４の後から外れて延長されている、以前の実施形態のわずかな修正を示す。これは、同軸ダイアフォニック弁２２を収容するように市販の平衡電機子トランスデューサ２０のコンパクトに構築された筐体内に十分な空間がない場合があるという、単純な理由で行われる。図９８では、同軸ダイアフォニック弁２２の開放端は、依然として周囲空気および管２３の中の環状ポート２４にアクセスし、ポリマースリーブ２５は、延長管の容量内に位置し、この容量は、トランスデューサ２０の後方容量に続く。
【００５８】
図３に戻ると、より大型の総合デバイスへの音作動型ポンプ２７（実際には２つのポンプ）の組み込みが示されている。ポンプ２７は、ユーザの耳の中の気泡を膨張させるため、および気泡にオーディオプログラム材料を供給するために使用される。これは、同時係属の’３５６出願において説明されているデバイスの種類と同様である。
【００５９】
電気信号が、概略図でコンピュータチップ６４として示される、従来技術の電子デバイスによって発生させられる。この信号は、示された圧力発生受信機６５において機械的振動を発生させる。ユーザの耳のそれぞれに１つずつ、２組の受信機６５および他の構成要素が図に示されている。受信機６５は、従来の補聴器、ヘッドセット、および同等物においてオーディオ信号を生成するために使用される、一般的な種類の電気駆動型音響ドライバ（平衡電機子または可動コイル）である。しかしながら、開示された音響ドライバ（受信機６５）は、振動音圧を圧力駆動型送出デバイス２７に供給する。’３５６出願においては、圧力をインイヤ式気泡に供給するとともに、また、音声も伝達する、音駆動型ダイアフォニック弁のための設計が開示されている。このデバイスは、一連の振動する平坦な膜弁を利用する。本発明による実施形態では、音駆動型ポンプ２７は、部分的または全体的にシンセティックジェットの原理（本明細書でさらに説明される）で稼働する。例えば、弁座と協働して動作する膜を含むことができる、ポンプ２７の種々の実施形態が利用可能である。そのような実施形態では、音声ポンプ２７は、静圧ならびにオーディオプログラム材料に対応する音声をインイヤ式気泡に伝える。別の実施形態では、ポンプ２７は、静圧を伝えるが、ポンプ２７を駆動する振動ドライバ（受信機）６５によって発せられる雑音に対応する音声の伝達を阻止し、この音声がユーザの耳に到達することを防止する。これらの実施形態では、音響プログラム材料は、別の一式の音響ドライバ（図示せず）を介して別個に供給される。これらの他の音響ドライバへの電気信号は、図３の線１４および１６によって示される。
【００６０】
（音作動型ポンプ設計）
音作動型ポンプ２７は、短い管または長い管を介して、圧力発生受信機（音響ドライバ）６５に接続される。加えて、入口ポート５２は、管インピーダンスを有し、空気を音作動型ポンプ２７に供給し、出口管４１は、インイヤ式デバイス１０の気泡を膨張させるように発生させられた静圧を運ぶ。いくつかの実施形態では、音作動型ポンプ２７から気泡に圧力を運ぶ管４１は、イナータンスフィルタ４２を組み込んで、圧力発生受信機（音響ドライバ）６５によって生成される音声を弱める。図８は、図３の圧力発生要素の特定の実施形態を包含するプロトタイプデバイスの写真である。
【００６１】
図９−１４は、シンセティックジェット発生開口部に基づく音作動型ポンプ２７の設計を示す。これらはおそらく、本発明による音作動型ポンプ２７の最も単純な実施形態である。より複雑な設計は、向上した送出効率を生じさせる傾向がある。しかしながら、これらの図の実施形態は、本発明の１つ以上の基本原理を示すために検討することが重要である。
【００６２】
図９では、補聴器受信機等のオーディオ信号デバイス６０（音響ドライバ）が、円形基材３４に近接して密閉され、その中心では円錐形のくぼみ３５がフライス加工され、その基部には小さい開口部３６がある。信号デバイス６０からの振動は、錐体３５へ、および基材３４の開口部３６を通る振動流を生成する。これは、シンセティックジェット効果を生じ、出口管３８および加圧システム（例えば、気泡）に接続される出口管４１の中で正味圧力を生成する。このポンプシステム用の補給空気は、基材３４を通過し、錐体３５の側面を通って進入する入口管３７を通して供給される。
【００６３】
図１０のデバイスは、とりわけ、図１０のデバイスが、図２のＬｕｏおよびＸｉａのデバイスには存在しない錐体幾何学形状内の開口部３６のすぐ近位で補給空気を供給するという点で、図９の設計とは異なる。加えて、図２の設計は、実際にはボックスの最上部に沿った狭いスリットである開口部を有する長方形の箱形デバイスを表す。対照的に、本ポンプ２７の１つ以上の実施形態は、円形の開口部幾何学形状を伴って円筒形に成形される。加えて、シンセティックジェットが形成される流体から、空気入口が物理的に分離または隔離されていないため、図２のデバイスは、クローズドシステムではない。図２のデバイスは、アクチュエータとして使用するための流体噴流を産生することが可能であるが、例えば、バルーンを膨張させるために必要とされる種類の静圧を発生させることは可能ではない。
【００６４】
図１０は、入口管３７が基材３４の近位でデバイスに進入する音響作動型ポンプ２７の異なる実施形態である。図１１は、入口管３７が基材３４の遠位でデバイスに進入し、開口部３６をちょうど越えた側面から補給空気を供給するデバイスの別の実施形態である。図９−１１に示された、これらの３つの幾何学形状を伴うデバイスが構築され、オーディオで作動させられると、効果的に空気を送出することが分かっている。加えて、１つより多くの入口管があってもよく、これら複数の入口管は、基材３４を通過する複数の管等の、所与の場所における複数の管を含む、記載される場所の任意の組み合わせで配置されてもよい。
【００６５】
図１２は、それぞれ独自の錐体３５および開口部３６とともに、２つの基材３４ａおよびｂを有する音作動型ポンプ２７を示す。入口管３７は、近位基材３４の側面を通って進入して示されている。他のポンプが、３つ以上の基材および開口部を含有して構築されている。図９−１１のような１個から図１２のような２または３個まで、基材の数を増加させることは、送出効率を増加させることが分かっている。しかしながら、３個を超えて基材の数を増加させることは、ポンプ性能のさらなる改良につながるとは考えられない。複数の基材設計において、入口管３７は、第１の基材３４ａの近位、第１の基材３４ａの円錐３５の中、第１および第２の基材３４ａ、ｂの間、第２の基材３４ｂの円錐３５の中、第２の基材３４ｂの開口部３６を越えて、およびそのような他の場所で進入することができる。入口管３７は、第１の基材３４ａの直前から最後の基材３４（ｚ）の開口部３６をちょうど越えた、事実上あらゆる場所で進入することができる。加えて、１つより多くの入口管があってもよく、これら複数の入口管は、同じ基材を通過する複数の管等の、所与の場所における複数の管を含む、記載される場所の任意の組み合わせで配置されてもよい。
【００６６】
送出効率はまた、基材の間の薄膜３９の取り込みによって向上させられてもよい。この膜３９は、最近位基材３４の開口部３６の場所からオフセットされた細孔４３（または複数の細孔）を含有する。膜材料自体は、空気に対して不透過性であってもよく、または発泡ポリテトラフルオロエチレン（ｅＰＴＦＥ）等の半透過性材料であってもよい。図１３−１４は、オフセット細孔４３を有するｅＰＴＦＥ膜４３が近位（または第１の）基材３４ａと遠位（または最後の）基材３４ｂとの間に位置する音響作動型ポンプ２７の２つのバージョンを示す。図１３および１４の実施形態は、入口管３７の場所のみが異なる。膜弁を伴うデバイス１０の全てのバージョンは、望ましくは、膜４３の近位に入口管を有する。図１３および１４の実施形態の両方は、同様の効率で送出する。
【００６７】
（ルーティングマニホール）
気泡３１の挿入およびユーザの耳からの除去を容易にするために、音響作動型ポンプ２７の入口および圧力出力を切り替える手段を有することが望ましい。これは、ポンプ２７が、耳への挿入時に気泡３１を能動的に膨らませること、また、耳からの除去時に気泡３１を能動的に収縮させるか、またはそこから空気を送出することを可能にする。この機能性は、異なる方法で達成することができる。例えば、これは、音エネルギーを音響作動型ポンプ２７に提供する音響ドライバに送信される、電気波形信号の操作によって達成することができる。送出方向を逆転させる別の方法は、図１５−１６に示された一般的な種類のルーティングマニホールド４６である。
【００６８】
圧力駆動ガス流を逆転させるマニホールド４６または弁が新規ではない一方で、インイヤ式気泡の膨張または収縮のための図１５−１６に示されるようなその適用は、完全に新しい。トグル機構４７の作動によって、ルーティングマニホールド４６は、膨張モード（図１５）および膨張モード（図１６）での動作に切り替えることができる。
【００６９】
（トランスデューサケース上に載置される平坦ダイアフォニック弁）
外耳道に挿入するための最もコンパクトな設計を産生するために、トランスデューサケースの側面に取り付き、０．４ｍｍ以下を全体的なデバイス幅に追加する平坦ダイアフォニック弁５０が構築された。平坦ダイアフォニック弁５０の稼働原理および実用的動作は、上記で説明されるものと異ならない。しかしながら、ここで開示されるデバイスは、平衡電機子トランスデューサ２４の側面上へのコンパクトな設計嵌合という利点を有する。トランスデューサおよびダイアフォニック弁５０を含むデバイス全体は、ユーザの耳の中へ嵌合するように十分小さく、気泡３１内に部分的または完全に含有されるように十分小さい。
【００７０】
図１７は、分解された稼働ダイアフォニック弁５０の写真、ならびに構成要素部品の標識付き概略図を示す。縮尺比の目的で、米１０セント硬貨も画像中に提供されている。図１８は、組み立てられた多層弁５０の断面図を示す。弁５０は、その外側ケーシング４５の中央に穴を有する、平衡電機子トランスデューサ２４の側面上に構築される。穴５７は、この特定のトランスデューサ２０の製造の副産物であり、トランスデューサ２０の後方容量の中へ直接つながる。この種類のダイアフォニック弁と嵌合される特定のトランスデューサ上に、そのような穴が存在しない場合には、穴が掘削される必要がある。
【００７１】
弁構造の層１は、全ての層が相互の上に積層されると最終弁の中の空気入口チャネルになる、溝またはスロット５１を含有するプレートである。スロット５１の閉鎖端には、円形末端５５がある。層２は、単一の小さい穴５３を伴うプレートである。組み立てられると、穴５３は、トランスデューサ筐体４５の中の穴５７と、ならびに空気入口チャネルの円形末端５５と整列される。層２の中の穴５３は、イアフォニック弁５０の中心である、シンセティックジェットの開口部である。この開口部は、トランスデューサ筐体４５の中の穴５７よりも小さく、空気入口チャネルの円形末端５５よりも小さい。
【００７２】
平坦ダイアフォニック弁の層３は、薄い可撓性ポリマー膜またはフィルム５８によって横断される中心領域を有する剛性フレームである。この特定のデバイスでは、膜５８は、ポリエチレンテレフタレート（ＰＥＴ）から構成される。膜５８は、平坦ダイアフォニック弁で膜として使用するために好適であるような、参照することにより本明細書に組み込まれている’３５６出願において開示されているポリマー材料のうちのいずれかから構成されることができる。膜５８はまた、薄い金属箔等の非ポリマーフィルムまたは箔にもなり得る。膜５８は、組み立てられたデバイスにおいて、この可撓性膜が層２のプレートの最上部の上に直接静置するように、層３の剛性フレームの裏面上に載置される。膜５８より上側には、層４の底部より下側にある可撓性フィルム５８が上向きに屈曲することを可能にする、狭い間隙がある。フラップ５４が、層３の膜５８の中心に切り込まれる。組み立てられたデバイスでは、フラップ５４は、層２の中のシンセティックジェットポート５３を直接覆っている。層４は、ダイアフォニック弁５０用のトッププレートまたはカバーである。このカバーは、それによって、ダイアフォニック弁によって送出される空気がデバイスから退出する、出口ポート５９を含有する。示される特定の実施形態では、この出口ポート５９は、膨張のための空気を気泡に送るために使用されてもよい、出口空気管３８に接続する。
【００７３】
プロチタイプデバイスを用いた実験は、ダイアフォニック弁が送出していない期間中であるが、気泡が静的に膨張させられたままである必要がある期間中に、ダイアフォニック弁を通した逆漏出による、膨張した気泡からの空気の漏出を防止することが、しばしば望ましいことを示している。ダイアフォニック弁を通した空気の逆漏出を防止するために、漏出を最小化するようにダイアフォニック弁自体を設計することができ、または、図１９に示されるように、図１７および１８の構造にさらに２つの層を追加することによって、逆止め弁がダイアフォニック弁に追加されてもよい。
【００７４】
追加逆止め弁６２を伴うダイアフォニック弁５０の分解された層が、図１９で概略的に示されている。図２０は、組み立てられた６層構造を示す。
【００７５】
層１から３は、以前に論議された平坦ダイアフォニック弁５０の中の最初の３つの層と同じである。層４は、単一の小さい穴６３を伴うプレートである。穴６３は、プレートの中心にはないが、その長軸に沿って、プレートの端のうちの一方のより近くにある。層５は、層３と同様に、その下側に可撓性膜５８を伴う剛性フレームである。しかしながら、層５には、フラップがないが、むしろ層４のプレートの中の穴から構造の反対端に位置する、膜５８の中の別の小さい穴６６がある。層４および５は、逆止め弁６２を備える。層４の中の穴６３と層５の可撓性フィルム５８の中の穴６６との間にある、層４のプレートの最上部および層５のフィルムの底部の接触領域は、逆止め弁６２の密閉機能を備える。構造の反対端に、層４および５の中の穴６３、６６を配置することは、逆止め弁６２に対する可能な限り最大の弁座を作成し、したがって、密閉を向上させる。最終的に、層６は、空気出口ポート５９を有する同じカバープレートである。
【００７６】
図２１に示されるように、層２および４の中のポート５３および６３の周囲の周縁６７を上昇させることは、これらのポートを横断する可撓性膜５８の設置を改善させる。これは、ダイアフォニック弁５０の送出効率を増加させ、逆止め弁６２に対するより緊密な密閉を生じさせる。図２１は、ポート５３および６３の周囲の周縁６７を厚くすることによって、これを達成できることを示す。図２２は、ポート５３および６３下のプレートを押し上げるか、または浮き出させることによっても、これを達成できることを示す。これはまた、ポート５３および６３の周囲の周縁６７を上昇させ、性能の所望の改善を生じさせる。
【００７７】
図２３−２８は、トランスデューサの側面上に載置された平坦ダイアフォニック弁５０を、気泡３１と合併することができる、種々の方法を示す。これらの図は、付加的な逆止め弁がない平坦ダイアフォニック弁５０を示す。しかしながら、上記で説明されるような逆止め弁６２を含有する、平坦ダイアフォニック弁５０を用いて、同じ構成が可能である。図２３は、気泡３１によって部分的に取り囲まれたトランスデューサ２０を伴うデバイス１０を示す。図２４は、音響管４０および気泡３１内に部分的に封入されたトランスデューサ２０を伴うドーナツ形気泡３２を示す。図２５は、気泡３１によって完全に取り囲まれたトランスデューサ２０を伴うデバイス１０を示す。図２６は、気泡３１によって完全に取り囲まれたトランスデューサ２０を有するドーナツ形気泡３２を示す。図２７は、気泡３１の完全に外側にトランスデューサ２０を有するデバイス１０を示す。図２８は、気泡３１の完全に外側にトランスデューサ２０を有するドーナツ形気泡３２を示す。
【００７８】
図２９は、空気入口チャネルが存在しない平坦ダイアフォニック弁５０を有するデバイス１０の実施形態を示す。これは、気泡３１内に完全に封入されたトランスデューサ２０とともに示されているが、空気入口ポートが欠けている他の実施形態はまた、気泡３１によって部分的に取り囲むこともでき、または気泡３１の完全に外側にもあり得る。
【００７９】
空気入口チャネルが欠けているデバイスでは、気泡３１を膨張させる空気は、外耳道から音響管４０を下ってトランスデューサ２０の前方容量の中へ、圧力補正ポート５６を通してトランスデューサ２０の後方容量の中へ、送出ダイアフォニック弁５０を通して最終的に気泡３１の中へ引き込まれる。この実施形態は、ユーザの耳に気泡３１を引き入れ、良好な音響的密閉を生じさせるために空気圧を使用するという利点を有する。
【００８０】
（圧力出力を高める複数のダイアフォニック弁）
図３０は、２つの平坦ダイアフォニック弁５０が、単一のトランスデューサ２０に取り付けられている、実施形態を示す。
【００８１】
前方容量上のダイアフォニック弁５０ａは、外側から前方容量の中へ送出し、したがって、前方容量を加圧するように向きを変えられる。この圧力は、補正ポート５６を通って後方容量の中へ漏出し、したがって、後方容量の圧力を増加させる。後方容量上の他方のダイアフォニック弁５０ｂは、圧力をさらに増加させ、出口ポート５９を介してデバイスから空気を送出する。このデバイスは、後方容量上の単一のダイアフォニック弁のみよりも高い圧力を産生することができる。２つのダイアフォニック弁５０を用いると、第１の弁は、トランスデューサ２０の内側の圧力を増加させ、第２の弁は、退出前に圧力をさらに高める。図３０のデバイスは、平坦ダイアフォニック弁５０を使用して図示される。しかしながら、この同じ配置はまた、以前に開示されたダイアフォニック弁設計（例えば、同軸ダイアフォニック弁２２）のうちのいずれかと連動する。
【００８２】
図３１は、それらの間にダイアフォニック弁５０ａを伴って、かつ第１のトランスデューサ２０ａの前方容量上および第２のトランスデューサ２０ｂの後方容量上に付加的なダイアフォニック弁５０ｂ、ｃを伴って、２つのトランスデューサ２０を一緒に積層することが可能であると示す。
【００８３】
これは、圧力上昇の連鎖を生じる。各トランスデューサおよびダイアフォニック弁の組み合わせは、それほど大きく（最大でも約１ｋＰａ）圧力を上昇させることしかできない。しかしながら、示されるようにデバイスを積層することによって、第２のトランスデューサ／ダイアフォニック弁の組み合わせは、すでに加圧されている空気から始まる。したがって、圧力をより高く引き上げることができる。図３１に示されたもの等のデバイスを操作する時、２つのトランスデューサ２０間の膨張のトーンの位相を協調させて、ダイアフォニック弁５０が全て同じ方向に稼働することを確実にすることが必要である。加えて、第１のトランスデューサ２０ａと第２のトランスデューサ２０ｂとの間に位置するダイアフォニック弁５０ａは、２つのトランスデューサが、相互と一致した膨張のトーンを有することを余儀なくさせる。
【００８４】
図３２は、トランスデューサおよびダイアフォニック弁の積層の概念をさらに支える。ますます高い圧力を発生させるように、恣意的な数の交互のトランスデューサおよびダイアフォニック弁の積層を構築することができる。達成可能な圧力は最終的に、増加する圧力に抵抗するように、構成要素の機械的強度によって制限される。
【００８５】
図３１および３２に示されたデバイスは、開放音声ポートを有し、したがって、いくらかの圧力がトランスデューサおよびダイアフォニック弁の積層から脱出することを可能にする傾向がある。他の実施形態は、さらに大きい圧力を生成するように、これらの音声ポートのうちのいくつかまたは全てを遮断させてもよい。図３１および３２のデバイスの実施形態は、空気がトランスデューサの積層の上方へ進行するにつれて、（例えば、ポートのサイズを変化させることによって）補正ポートの流量および音声インピーダンスの変動を有してもよい。これは、デバイス１０の中の圧力の逆流を防止するのに役立ってもよい。図３１および３２等の積層の中のトランスデューサ２０は、デバイスから異なる圧力および音声出力を産生するように、同相で、または位相および振幅差の他の複雑な組み合わせで、作動させられてもよい。
【００８６】
図３１および３２のデバイスは、交互配置された平衡電機子トランスデューサ２０およびダイアフォニック弁５０を図示する。圧電ダイヤフラムまたは可動コイルスピーカ等の他の音声発生デバイス（図示せず）と、ダイアフォニック弁を交互配置することによって、圧力発生、送出、および音声発生の目的のための同様の積層デバイスを生産することができる。これらの場合において、圧電ダイヤフラムまたはスピーカは、前方容量から後方容量に、またはその逆も同様に圧力が移動することを可能にするために、それらの中に、またはそれらの周囲に、小さい補正ポートを有してもよい。
【００８７】
（２．膨張型部材）
膨張型部材３０、またはより具体的には図示された実施形態について気泡３１は、本発明の主要構成要素である。全て以下で詳述されるような、ほぼ無限数の形状、サイズ、色、および材料から構成されることができる気泡３１は、保持、快適性、調整可能性、およびコンパクト性を提供することを含む、種々の機能を果たす。
【００８８】
（気泡組成）
発泡ポリテトラフルオロエチレン（ｅＰＴＦＥ）またはＰＴＦＥは、強度、軽量（低密度）、（制御された多孔性を通した）調節可能な空気透過性、表面感触の平滑性、ならびに汚染または汚れの蓄積に対して材料に耐性を持たせる低表面エネルギーを含む、性質の組み合わせによって、気泡の生産に対して有利な材料である。気泡生産に好適なｅＰＴＦＥおよびＰＴＦＥは、種々の厚さおよび多孔性のシートおよびフィルムの形態で市販されている。概して、より薄いグレードのｅＰＴＦＥまたはＰＴＦＥシートが、より厚いグレードよりも気泡生産に対して良好である。調節された気泡設計の詳細、および使用される製造過程に応じて、出発フィルム材料の厚さは、典型的には１０ミリ未満、好ましくは３ミリ未満、最も好ましくは１ミリ以下である。
【００８９】
この充填時に、ｅＰＴＦＥおよびＰＴＦＥフィルムからの気泡生産は、低い、またはわずかな空気透過性を有するポリマーフィルムのグレードを使用して、最良の結果をもたらしている。これは、使用中、より多孔性の気泡よりも、低い、またはわずかな透過性の気泡を音響ポンプの作用によって膨張させられたままに保つことが容易であるためである。しかしながら、より多孔性で、したがって、より通気性の気泡性によって有効にされる、耳の快適性および耳の健康のための音響特性および利点が存在する。これは、以下で論議されるように、耳垢の蓄積の軽減を含む。したがって、より空気透過性のグレードのｅＰＴＦＥまたはＰＴＦＥフィルムを気泡において使用することは、本発明から除外されない。
【００９０】
ポリウレタンフィルム、熱可塑性ポリウレタンフィルム、芳香族ポリウレタンフィルム、および脂肪族ポリウレタンフィルムを含む、他の薄い可撓性ポリマーフィルムも、それらの強度、拡張性、加工可能性、および低い空気透過性により、気泡生産に対して有利な材料である。ポリウレタンは、静的に膨張させられる非通気性気泡が所望されるときに、特に有用である。調節された気泡設計の詳細、および使用される製造過程に応じて、出発ポリウレタンフィルム材料の厚さは、典型的には１０ミリ未満、好ましくは３ミリ未満、最も好ましくは１ミリ以下である。
【００９１】
（気泡形状の製造）
同軸ダイアフォニック弁２２または開示される実施形態のうちのいずれかに対するポリマー気泡の製造では、閉鎖凸状気泡形状を形成する必要性がある。音響管４０が気泡の端を穿刺する実施形態（種々の図）では、閉鎖凸状気泡を生産することから始めることが、依然としてしばしば便利である。音響管４０は後に、気泡の中心に挿入し、気泡先端に取り付けることができ、次いで、音響管の端を覆う気泡材料を切り取ることができる。よって、大量製造は、閉鎖凸状気泡の生産によることができる。
【００９２】
いくつかのポリマーフィルム、ｅＰＴＦＥおよびＰＴＦＥの薄いフィルム、ならびにポリウレタンフィルムは、破損することなく面内伸張または拡張を支援することができる。この面内拡張は、伸張または拡張力が除去された後に残る、材料内のいくらかの永久ひずみまたは変形を生じさせることができる。したがって、球形、半球形、半球形キャップを有する円筒形、より薄い円筒形柄部の上の球形、電球形（より狭い円筒形柄部へと先細になったほぼ球形の最上部）といった、種々の形状を有する凸状マンドレルを覆ってポリマーフィルム、ｅＰＴＦＥまたはＰＴＦＥフィルム、あるいはポリウレタンフィルムを伸張させることによって、気泡を形成することができる。より大きい球状の最上部および狭い柄部を有する気泡形状、例えば、電球形は、より薄い気泡柄部を伸張、変形、または破壊することなく、より薄い気泡を通してマンドレルのより大きい最上部を除去するという問題を提示する。この問題は、膨張型マンドレル（図示せず）を使用することによって対処されると考えられる。方法の一実施形態では、ポリマーフィルム、ｅＰＴＦＥフィルム、またはポリウレタンフィルムを正しい気泡形状に形成するように膨らまさられる小さいゴムバルーンである。次いで、ゴムバルーンは、形成されたポリマー、ｅＰＴＦＥ、またはポリウレタン気泡の頸部を通して容易に除去することができるように収縮させられる。
【００９３】
球状の最上部およびより狭い頸部を有する気泡に、ポリマーフィルムを伸張させることへの別のアプローチは、所望の形状（図示せず）の凹状（メス型）金型を使用することである。ポリマーフィルムは、真空下で金型空洞の中へ引き込まれ、および／または陽圧あるいはガス圧下で金型空洞の中へ吹き込まれる。ポリマーフィルムは、狭い金型頸部を通って進入し、球状の金型形状に拡張する。気泡の球状端は、除去前に気泡を収縮させることによって、金型の狭い頸部を通して容易に除去することができる。
【００９４】
気泡はまた、フィルム材料の面内伸張を伴わずに、ポリマーフィルム、ｅＰＴＦＥまたはＰＴＦＥフィルム、あるいはポリウレタンフィルムから生産することもできる。これを行う１つの方法は、凸状マンドレル（図示せず）を覆うようにフィルム材料を折り畳むか、または折り目を付けることである。フィルム材料は、マンドレルの基部の周囲に収集されるか、または締め上げられ、気泡の基部を画定する金属またはプラスチックリング（図示せず）に固定することができる。この気泡を生産する方法では、マンドレルが膨張可能であり、したがって、膨張によって気泡の内側から容易に除去することができれば、有益である。
【００９５】
最後に、気泡形状の形成は、いくらかの量のポリマーフィルム、ｅＰＴＦＥまたはＰＴＦＥフィルム、あるいはポリウレタンフィルムの伸張、（特に気泡柄部および基部の周囲での）いくらかの折り畳みおよび折り目作成、およびリングまたはカラーへの気泡の基部の固定の組み合わせを伴ってもよい。リングまたはカラーは、同軸デバイスの音響管の一部であってもよく、分離可能な連結器の一部であってもよく、またはこれらの機能の両方を果たすとともに、気泡の基部のための接続であってもよい。
【００９６】
（気泡材料修正）
本発明の気泡が生産されてもよいポリマーフィルム、ｅＰＴＦＥまたはＰＴＦＥフィルム、あるいはポリウレタンフィルムは、フィルムの表面に塗布される被覆によって修正されるか、またはフィルムが多孔性材料である場合にはフィルムの多孔性構造に注入されることができる。被覆および注入剤は、ポリマーラテックス被覆を含み、特に、ポリウレタンラテックス被覆、具体的には、水溶性ポリウレタンラテックス被覆が好ましい。これらの被覆は、単独で使用されてもよく、または他の充填材、修飾物質、色素、および同等物と組み合わせられてもよい。例えば、着色ポリマーラテックス被覆が、気泡を着色するために使用されてもよい。あるいは、色素または染料が、気泡を着色するために未着色ラテックス被覆材料に添加されてもよい。気泡の着色は、気泡の異なるグレードまたは処方（以下でより詳細に論議される）を区別する１つの手段である。気泡材料被覆と、付加的な材料、特に、タルクおよびヒュームドシリカを組み合わせることは、気泡表面性質を修正して、気泡膜がそれ自体に張り付くこと、および／または気泡膜がユーザの外耳道に張り付くことを防ぐために使用されてもよい。
【００９７】
実験的に、ポリウレタンラテックスを有するｅＰＴＦＥ等の多孔性材料でできている被覆気泡は、非常に低い空気透過性を含む、優れた気泡性質を生じさせることが分かった。ポリウレタン被覆は、元の気泡材料の細孔構造の大部分のサイズを排除するか、または少なくとも縮小するように充填することに効果的であることが示された。ヒュームドシリカと混合されたポリウレタンラテックス被覆の使用もまた、非常に低い空気透過性を含む、気泡にとって優れた性質を有することが分かった。被覆は、いくつかの細孔を充填し、気泡フィルムの中の他の細孔のサイズを縮小する。加えて、フィルムの表面は、電子顕微鏡撮像によって、ヒュームドシリカの小さく尖った埋め込み粒子を有することが示された。そのような気泡表面のうちの２つが相互に接触すると、ヒュームドシリカ粒子が、密接した表面対表面の接触を妨害し、したがって、２つの表面が共に張り付くことを妨げる。
【００９８】
表面被覆が、気泡製造前に、ポリマーフィルム、ｅＰＴＦＥまたはＰＴＦＥフィルム、あるいはポリウレタンフィルムに追加されてもよい。これは、従来の噴射またはウェブ被覆技法で行うことができる。シルクスクリーニングおよびインクジェット印刷等の被覆技法は、いくつかの領域中の気泡形成材料に被覆を塗布し、他の領域では塗布しないために、またはフィルムの異なる領域中で異なる量において被覆を塗布するために使用される。この過程は、次いでフィルムが気泡に製造されるときに、気泡材料特性の勾配またはパターンを生産する。例えば、気泡表面上で同心円状の輪をもたらす、気泡形成フィルム材料に塗布される被覆のパターンは、本デバイスにおいて音声を集束し、反映し、屈折させ、弱め、またはそうでなければ修正するために使用されてもよい。
【００９９】
被覆はまた、気泡を被覆溶液に浸漬すること、または気泡を被覆溶液で充填することによって、以前に形成された気泡の内面および／または外面上で生産されてもよい。例えば、膨張した気泡の上または下半分が、気泡の他の部分とは異なる時間量にわたって被覆溶液の中へ浸漬される場合に、パターン化または勾配被覆パターンを生産することができる。被覆溶液は、膨張した気泡の最上部または底部の内側に配置されてもよく、したがって、気泡の内側に被覆のパターンまたは勾配を生産する。被覆溶液の濃度、および気泡材料がそのような溶液に暴露される時間は、付加的なパターン形成融通性を生成するように、浸漬および内部被覆過程で変化させることができる。
【０１００】
（静的に膨張した気泡の空気損失）
以下の計算は、静的に膨張した気泡からの空気損失の理論的速度を決定する。特定の計算例は、Ｋｒａｔｏｎ（登録商標）ポリマー（ポリスチレンおよびポリジエンのブロック共重合体、またはその水素化バージョン）から構成される気泡に対するものである。これらの計算はまた、Ｋｒａｔｏｎ（登録商標）で被覆されている発泡ポリテトラフルオロエチレン（ｅＰＴＦＥ）気泡の挙動に対する、およびポリウレタンから構成される気泡またはポリウレタンラテックスで被覆されたｅＰＴＦＥ気泡に対する良好な近似式でもある。Ｋｒａｔｏｎ（登録商標）で被覆されたｅＰＴＦＥ気泡の場合、Ｋｒａｔｏｎ（登録商標）は、ｅＰＴＦＥのＰＴＦＥ足場よりもはるかに空気透過性である。ガスが、全気泡壁厚さ（Ｋｒａｔｏｎ（登録商標）およびｅＰＴＦＥを含む）に等しいＫｒａｔｏｎ（登録商標）の膜を通って漏出することが仮定される。これは、空気損失の過大評価を提供し、したがって、最悪の場合のシナリオである。
【０１０１】
推定に使用される気泡の特性は、０．１ｍｉｌ（０．０００２５ｃｍ）の壁厚さを有する、直径１ｃｍの球形である。計算は、（外側大気圧に対して）１００Ｐａおよび１ｋＰａの２つの内圧について行われた。
【０１０２】
一般に、ポリマーを通したガスの輸送について、
Ｊ＝Ｐ（ｄｐ／ｄｘ）
であり、ここで、Ｊは、単位（ガスのｃｍ３／（（膜のｃｍ２）（秒））を有するポリマー膜を通るガスの流束であり、Ｐは、膜のガス透過性であり、（ｄｐ／ｄｘ）は、膜を横断する駆動圧勾配であり、ｘ座標は、膜の厚さ方向の距離を表す。
【０１０３】
空気に対するＫｒａｔｏｎ（登録商標）の透過性は、１×１０−９（（空気のｃｍ３）（膜厚さのｃｍ））／（（ｃｍ２膜面積）（秒）（ｃｍ  Ｈｇの圧力））である。［参考文献：Ｋ．Ｓ．Ｌａｖｅｒｄｕｒｅ“Ｔｒａｎｓｐｏｒｔ  Ｐｈｅｎｏｍｅｎａ  ｗｉｔｈｉｎ  Ｂｌｏｃｋ  Ｃｏｐｏｌｙｍｅｒｓ：  Ｔｈｅ  Ｅｆｆｅｃｔ  ｏｆ  Ｍｏｒｐｈｏｌｏｇｙ  ａｎｄ  Ｇｒａｉｎ  Ｓｔｒｕｃｔｕｒｅ”  Ｐｈ．Ｄ．  Ｄｉｓｓｅｒｔａｔｉｏｎ，  Ｃｈｅｍｉｃａｌ  Ｅｎｇｉｎｅｅｒｉｎｇ，  Ｕｎｉｖｅｒｓｉｔｙ  ｏｆ  Ｍａｓｓａｃｈｕｓｅｔｔｓ  ａｔ  Ａｍｈｅｒｓｔ，  ２００１．］
駆動圧勾配（ｄｐ／ｄｘ）≒（Δｐ／Δｘ）は、内部気泡加圧が１００Ｐａである場合には２９５（ｃｍ  Ｈｇ）／（ｃｍ厚さ）であり、内部気泡加圧が１ｋＰａである場合には２９５０（ｃｍ  Ｈｇ）／（ｃｍ厚さ）である。
【０１０４】
結果として生じる膜を通る空気の流束Ｊは、内部気泡加圧が１００Ｐａであるときには３×１０−７（空気のｃｍ３）／（膜のｃｍ２）（秒）であり、Ｊは、内部気泡加圧が１ｋＰａであるときには３×１０−６（空気のｃｍ３）／（膜のｃｍ２）（秒）である。直径１ｃｍの気泡の体積および表面積に基づいて、これらの計算は、１００Ｐａ内圧を用いると、気泡が１２時間でそのガスの約２パーセントを失い、１ｋＰａでは、１２時間でそのガスの約２０％を失うことを示し、この期間は、毎日の装着が仮定される通常の長さである。計算は、気泡の内側の空気が過程の全体を通して一定のままであると仮定した推定である。これは、１００Ｐａについて求められる２パーセント損失に対する良好な近似式であり、したがって、計算は極めて正確である。しかしながら、推定は、１ｋＰａにおいて２０％損失より少ない、何故なら、そのような有意な損失は、気泡圧力、したがって、さらなる空気損失のための駆動力を明らかに低減するからである。したがって、１ｋＰａにおける２０％は、最悪の場合の推定である。計算は、気泡壁の厚さに敏感である。例えば、０．２ｍｉｌまでの壁厚さの倍加は、１００Ｐａについて１パーセントまでガス損失率を半減させる。壁厚さを１ｍｉｌ（依然として本発明にとって完全に実行可能な気泡壁厚さ）まで増加させることは、全ての計算される損失率を１０分の１に削減する。
【０１０５】
計算は、ダイアフォニック弁が気泡の中の圧力を周期的に最高にするために使用される場合に対して最も正確である。この場合において、ダイアフォニック弁（本明細書でさらに説明される）の断続的使用によって、１２時間以上にわたって０．１ｍｉｌの厚さの気泡の中に１ｋＰａの圧力を維持するために、デバイスは、１２時間で気泡体積の約２０％を作成する必要がある。これは、非常に少量の送出であり、バッテリ使用量の５％を下回ったままであることに必要な１日あたり２０分という送出のおよその最大値を下回る。
【０１０６】
本発明の気泡の実際の実験調査は、少なくとも１日、場合によっては最大で１週間にわたって、圧力の顕著な損失を伴わずに気泡を膨張させることができ、膨張したままであることができると示している。
【０１０７】
（気泡に対する大気圧の影響）
本デバイス等の膨張型外耳道密閉デバイスは、その密閉を損失することなく、またはユーザの不快感を引き起こすことなく、外側大気圧の変化に耐えることができなければならない。例えば、耳の中に膨張した気泡があるユーザが、高い建物の最上部まで急速に昇るか、または飛行機で昇る場合、結果として生じる大気圧の降下は、耳の中の気泡が拡張することを可能にする。耳の中の気泡の過剰な拡張は、不快感を引き起こす場合がある。逆に、例えば、耳の中に膨張した気泡があるユーザが、高い建物の最上部から急速に降りるか、または飛行機で降りる場合、結果として生じる大気圧の上昇が気泡体積を削減減する。気泡の過剰な収縮は、音響的な耳の密閉の損失を引き起こす場合がある。
【０１０８】
第１のステップとして、膨張した気泡がユーザの耳の中で受ける場合がある最大大気圧変化を決定する必要がある。次いで、説明される種類の必要以上の悪影響を伴わずに、これらの大気圧変化に耐えるように気泡および膨張システムを設計する必要がある。
【０１０９】
気泡の中の空気について、ｐＶ＝一定であり、ここでｐは圧力であり、Ｖは体積である。これは、ボイルの法則と呼ばれる理想気体の法則のサブパーツである。それは、地球上で自然に見られる圧力、温度、および湿度の範囲にわたる空気に対して有効である。
【０１１０】
Δｐが、初期圧力値Ｐからの圧力の変化に等しいとされ、ΔＶが、初期体積値Ｖからの気泡の体積の変化い等しいとされる場合には、ｐＶは一定であり、以下の式を得る。
【０１１１】
ｐＶ＝（ｐ＋Δｐ）（Ｖ＋ΔＶ）      （式１）
これは、以下に示すように再整理されことができる。
【０１１２】
ΔＶ／Ｖ＝体積の分数変化＝（１／（１＋Δｐ／ｐ））−１      （式２）
式２において、ΔＶ／ＶおよびΔｐ／ｐは、必ず反対の記号を有し、つまり、圧力の正の変化（上昇）（Δｐ／ｐ）は、体積の負の変化（減少）（ΔＶ／Ｖ）となる。また、−（１００％）＊ΔＶ／Ｖは、圧力変化に起因して対処される必要がある膨張した気泡の体積の変化率を（正の数として）与える。
【０１１３】
図３３は、インターネット上で見られる大気圧計算機（ｈｔｔｐ：／／ｈｙｐｅｒｐｈｙｓｉｃｓ．ｐｈｙ−ａｓｔｒ．ｇｓｕ．ｅｄｕ／ｈｂａｓｅ／Ｋｉｎｅｔｉｃ／ｂａｒｆｏｒ．ｈｔｍｌを参照）を使用して構築される、メートル単位の高さと対比した大気圧のプロットを示す。計算は、高い建物でエレベータに乗ることが、気泡収縮または拡張に関して大した問題を提起するべきではないことを示唆する。例えば、世界で最も高い建物は高さ８００ｍであり、したがって、気泡は、底部（海水面）から最上部まで昇ると、約８パーセントだけその体積を増加させる。米国およびアジアの他の非常に高い建物は、５００ｍ範囲であり、約５パーセントだけの体積増加を表す。ヨーロッパの最も高い建物は３００ｍ（エッフェル塔と同様）であり、これは、約３パーセントの気泡体積変化を生じる。
【０１１４】
高い山を上下する旅客機の乗車および旅行は、気泡の圧力変化に関して、さらなる挑戦である。図３３が示すように、そのような高度変化は、１５％から２５％範囲の気泡体積変化をもたらし得る。図３４および３５は、外側大気圧の有意な変化を受ける際の耳の中の本発明の気泡３１を示す。気泡３１は、緩く膨張した袋のように外耳道の中に位置し、外耳道壁の有意な長さと接触する。より低い大気圧（図３４）では、気泡３１は、外耳道に沿って、もう少し遠く明確に延在すると、著しくより大きい。より高い大気圧（図３５）では、気泡３１は、より小さく、外耳道に沿って、より小さい距離に延在する。図３４および３５の間の気泡体積および外耳道の中の位置の違いは、気泡体積の２５％変化（すなわち、最悪の場合のシナリオ）があっても、ユーザの不快感を引き起こすか、または耳の中の音響的密閉を乱すほど十分有意ではない。
【０１１５】
本発明の気泡に対する別の問題は、表面のしわである。気泡表面のしわは、例えば、毛の存在により、起伏があってもよい、外耳道表面に沿った気泡の自然な静置に起因してもよい。また、気泡表面は、エンボス加工または別の機械あるいは化学加工技法によって、意図的にしわを付けられてもよい。気泡壁のしわの利点は、外部大気圧のわずかな変化または中程度の変化に応じて、わずかな、または中程度の体積変化に適応するのに気泡を補助できることである。
【０１１６】
（ドーナツ形気泡構成）
図３６および３７には、概略的に示されている「膨張型ドーナツ」が描写されている。この実施形態では、ユーザの耳に挿入される膨張型ドーナツ形気泡３２は、円環体の中心の穴を通って及ぶ管４０を有する、円環状またはドーナツ形膨張型部材３０から構成される。ドーナツ形気泡３２の中心を通る穴は、音響ドライバ（受信機）によって発生させられる音声が、耳の中で密閉される気泡を通過するため、および密閉とユーザの鼓膜との間で外耳道に進入するための直接経路を提供する。
【０１１７】
図３６および３７の実施形態は、本明細書で論議される音響駆動型ポンプ２７によって発生させられる圧力を運ぶための圧力管、ならびにケーブル４８を通ってデバイス１０に進入するオーディオ信号を伝えるための電線を示す。ワイヤは、音響ドライバ（受信機）を駆動する信号を提供する。ケーブルの中の圧力は、イヤホン筐体４９を加圧する。イヤホン筐体４９は、内側音響管４０を包囲する外管６９を介して、膨張型ドーナツ形気泡３２に接続される。圧力は、気泡３２を耳の中で膨張させ、または、（本明細書で説明されるような）圧力ルーティングマニホールド４６を使用して、圧力を逆転させることによって、耳から除去するために能動的に収縮させる。
【０１１８】
図３７は、清掃または交換のためにドーナツ形気泡３２をイヤホンから除去できることを示す（本明細書でさらに詳細に説明される）。これは、イヤホン筐体６９をドーナツ形気泡３２に接続する音響管４０の部分の間の連結器７０によって、達成される。中心管は、当然ながら音響管４０であり、外側同軸管６９は、ドーナツ形気泡３２を膨張させるように圧力を運ぶ。
【０１１９】
図３８は、ドーナツ形気泡３２の写真を示す。図３９は、音響管４０の接続である、気泡３２をイヤホンに取り付ける第１のステップの写真を示す。図４０は、気泡３２を圧力または膨張（外）管６９に取り付ける第２のステップの写真を示す。
【０１２０】
図４１は、膨張型インイヤ式デバイス１０のドーナツ構成の別の実施形態を示す。この設計では、オーディオ信号を提供する音響ドライバ６０は、ドーナツ形気泡３２内に完全または部分的に含有される。
【０１２１】
（気泡膨張トーン）
開示された構造の全ての実施形態は、ユーザの耳の中のポリマー気泡３１を膨張させるため、または別の外部手段によって最初に生成されてもよい膨張を維持するために、音声を利用する。気泡３１を膨張させる音声は、プログラム材料自体であってもよく、または気泡３１を膨張（収縮）させるように設計された特殊なトーンであってもよい。膨張トーンがユーザにとって不愉快になり得る程度まで、音響管４０の端は、膨張トーンの再生中に閉鎖されてもよい。しかしながら、この特徴は、音響管４０以外の空気進入のための手段を採用する実施形態についてのみ可能である。例えば、空気入口管３７または溝は、音響管４０の外側に位置付けられてもよい。空気入口管３７がなければ、気泡３１を膨張させる唯一の空気源は、音響管４０を通る。空気入口管がないデバイスの中の音響管４０を閉鎖することは、気泡３１を膨張させることを不可能にする。
【０１２２】
膨張トーンは、必ずしもユーザにとって不愉快となる必要はない。シンセティックジェットベースの音駆動型送出は、そのような設計パラメータ、ならびに音響管の直径および長さ、ポートの場所、ポートのサイズ、および同等物を調整することによって、異なる周波数に同調することができる。したがって、デバイス１０は、膨張トーンまたは一連のトーンがユーザにとって快適であり、パーソナルコンピュータ、携帯電話、および同等物によって一般的に再生される起動トーンと同様に、デバイスに対する特徴起動トーンになってもよいように、構築することができる。加えて、膨張トーンは、ユーザの可聴範囲を上回る、または下回る周波数であってもよい。
【０１２３】
膨張トーンは、本技術を使用するように特異的に構築されるデバイスにプログラムされてもよい。しかしながら、膨張トーンはまた、外部音源によって供給されてもよい。例えば、録音プログラム材料を含有しないが、周囲音を広い、増幅し、伝達するのみである、補聴器では、膨張トーンは、トーンまたは起動音シーケンスを再生する外部デバイスによって、デバイス１０に供給されてもよい。この外部デバイスは、デバイス１０を起動する過程の一部として耳に固持される、小型の手持ち式スピーカまたは音発生器の形態を成すことができる。
【０１２４】
（外耳道を可変捕捉容量の共鳴部材に変化させる）
図４２は、鼓膜と密閉ドーナツのポリマー膜との間の外耳道の中の空間から、可変捕捉容量を生成する、ユーザの耳への膨張型ドーナツ形気泡３２の挿入の結果を示す。この可変捕捉容量は、’３５６出願で説明されるような、駆動された閉鎖気泡の内側の可変捕捉容量と類似しており、完全で豊富な音声を産生するという同じ有益性を有する。耳の中のドーナツ形気泡の構成はまた、過剰な音エネルギーが鼓膜よりもむしろ気泡に吸収されることを可能にすることによって、鼓膜の過剰偏位を低減する。本明細書で論議される、ドーナツ気泡膨張のインピーダンス整合側面は、この特徴に関する。具体的には、鼓膜の後ろの空間（中耳）に対して、ドーナツ気泡膨張、したがって、そのインピーダンスを調節することによって、過剰な音エネルギーが鼓膜から引き離される。次いで、ドーナツ形気泡に進入するこの過剰な音エネルギーのうちのいくらかは、一般的に骨伝導として知られている過程を通して、蝸牛への直接伝達のために外耳道壁の中へ伝導される。ドーナツ形気泡のインピーダンス整合および音エネルギー吸収側面はまた、密閉された外耳道内の共鳴による、閉塞効果または自分自身の声が響くことも低減する。
【０１２５】
したがって、この構成では、空気容量が、膨張型密閉と鼓膜との間の外耳道の中で捕捉される。ドーナツ形気泡３２の中央を通る音響管４０および音声ポートは、音響ドライバ（受信機）から外耳道の中の捕捉容量の中へ直接、音声が通過することを可能にする。この実施形態では、音響管は、鼓膜に向かって音エネルギーを輸送するように作用するとともに、また、音響管を包囲する気泡空間の中へ音エネルギーを送達するためのトランスデューサの役割も果たす。
【０１２６】
この構成は、’３５６出願で詳細に論議されている、効果的に密閉気泡構成の向きを変える。上記で以前に示されたように、この密閉気泡構成では、音は、耳の中で共鳴空洞または可変容量を形成する、密閉気泡３２の中へ輸送される。
【０１２７】
本願のドーナツ構成では、音声は、鼓膜と外耳道の中のドーナツ形気泡３２との間の容量の中へ輸送される。したがって、外耳道の中の空間は、可変捕捉容量の共鳴空洞になる。加えて、ドーナツ形気泡３２の中の圧力を調整することによって、気泡３２の位置および振動従順性を調節することができるため、ドーナツ形気泡３２は、この鼓膜の中の共鳴空洞が可変捕捉容量になることを可能にする。これは、外耳道の中の共鳴容量、したがって、鼓膜に登録される音声の音響特性の精密な制御を可能にする。
【０１２８】
鼓膜は、内耳の容量によって提供される背圧を有する振動膜である。膨張型ドーナツ形気泡３２もまた、外耳道の捕捉容量の中へ伝導される音声に応じて振動する、膜である。したがって、外耳道の捕捉容量は、鼓膜およびドーナツ形気泡３２の表面といった、２つの振動膜によって閉鎖される共鳴空洞である。ドーナツ形気泡３２の中の圧力を調整することによって、機械的柔軟性を調整することができる。これは、音のどのような部分（振幅および周波数）が、鼓膜の中と対比して気泡３２の中へ伝達されるかに影響する。この形態のインピーダンス整合は、ユーザによって体験される音量および音質に対する精密な制御を可能にする。
【０１２９】
代替的または補完的な見解では、外耳道の中の共鳴空洞は、受信機からの音響信号をダイヤフラム／気泡に連結するようにコンプライアンスの役割を果たす、捕捉容量と見なすことができる。
【０１３０】
（ハイブリッドイヤモールド）
本デバイス１０は、それを通してデバイスの振動がユーザの鼓膜にアクセスすることができる、鼓膜に対面するイヤモールドの中の少なくとも１つの膜ウィンドウ７１を伴って、従来のイヤモールドの内部に構築することができる。いくつかの実施形態では、イヤモールドの中の少なくとも１つの他のポートは、膨張型気泡３１が耳の外部の周囲環境に暴露されることを可能にする。膜ブラダー７２の可変加圧は、従来のイヤモールドの枠内で、デバイスのオーディオ（可変インピーダンス整合および可変共鳴容量）および閉塞能力を得る。従来のイヤモールドは、単独では（内部ダイアフォニックイヤレンズを含まずに）可変インピーダンス整合および可変共鳴容量特性を達成しない。
【０１３１】
図４３では、可変圧力膜７２が、２つの膨張容量レベルで示されている。膜の体積が変化して柔軟性を増加させるにつれて、これは、ユーザによって体験される閉塞の量を最小化させる働きをする一方で、同時にユーザの鼓膜に伝達される外部音の量を増加させる。
【０１３２】
（処方気泡の製造）
本明細書で以前に論議されたような気泡材料の物理的特性は、耳の中の気泡の性能に影響する。関連気泡材料特性は、厚さ、面密度（フィルムの単位面積あたりの質量）、引張係数、強度、弾性、空気透過性、表面疎水性または親水性、貯蔵弾性率、損失弾性率、複素弾性率、および機械的減衰係数を含む。気泡製造で使用される、薄いポリマーフィルム材料の特定の方向依存性質（引張係数、強度、弾性、貯蔵弾性率、損失弾性率、複素弾性率、機械的減衰係数）は、面内方向の変化とともに変動してもよい。言い換えれば、気泡構築のためのポリマーフィルムは、特定の性質に関して異方性であってもよい。ポリマーフィルムはまた、方向依存性の面内性質に関して等方性であってもよい。気泡構築に使用されるポリマーフィルムは、いくつかの方向依存性の面内性質に関しては異方性であり、他の方向依存性の面内性質に関しては等方性であってもよい。
【０１３３】
これらのポリマーフィルム性質の値、およびこれらの性質の変動は、方向を伴って、かつポリマー気泡表面にわたって、気泡の性能を制御する。それにより影響を及ぼされる性能側面は、鼓膜への音の音響伝達、外耳道の密閉、外耳道の閉塞、着用者の快適性、密閉気泡および外耳道の密閉部分の共鳴および可変共鳴、音インピーダンスを含む。
【０１３４】
種々の気泡材料特性は、所与のユーザまたは患者の聴覚問題に対処するように調節された気泡を生産するように選択することができる（種々の種類およびグレードの気泡フィルム材料の慎重な選択によって）。例えば、音伝達および共鳴は、ユーザが最大の聴力損失を有する周波数範囲で最大限化されてもよい。異なる所定の処方気泡は、種々の一般的に遭遇する周波数範囲での聴力損失等の、一般的な聴覚問題に対処するように生産される。これらの処方気泡は、それによって気泡が聴取デバイス（トランスデューサを含む）の本体に接続される、分離可能な連結器において、色分けによって、または異なるキーコードによって区別される。正しい規定の気泡および音響管アセンブリのみが、デバイス上の連結器に嵌合する。より特異な聴覚の必要性のために、個人の必要性に併せた気泡を生産することが可能である。個別化気泡は、それらの分離可能な連結器上の独特なキーコードが割り当てられてもよい。したがって、特注の規定の気泡が、独特な聴覚または耳の健康問題があるユーザの聴取デバイスに嵌合する。
【０１３５】
さらに、異なる機能を選択的に強化するように、気泡３１の異なる部分を最適化することができる。例えば、音伝達を阻止し、したがって、隔離を向上させ、フィードバックを回避するように、（耳の外側に向かった）気泡の裏が最適化されてもよい。気泡の腰部（外耳道の側面に接触する場所）は、気泡の密閉機能を向上させるように、または快適性および耳の健康のためにいくらかの空気透過性を提供するように、最適化されてもよい。（鼓膜に向かって対面する）気泡の正面は、外耳道内の捕捉容量の音響特性を強化するように最適化されてもよい。表面にわたる種々の性質（弾性率、透過性、弾性、減衰等）における勾配を有する単一の気泡が、求められる特定の機能の全てまたはいくらかを果たす。
【０１３６】
調節された気泡材料特性を生じさせるため、および気泡表面にわたるこれらの性質の調節された勾配を生じさせるための方法の実施例は、ベースポリマー気泡材料を修飾剤によって被覆または注入することによるものである。過程の具体的実施例は、半透過性ポリマー材料から形成された気泡を得て、ポリマーラテックスを半透過性構造に注入し、したがって、気泡材料の密度、透過性、厚さ、ならびに種々の機械的弾性率および係数を改変することである。この種類の注入は、気泡表面上の異なる領域において異なる程度で行うことができ、したがって、気泡材料特性における勾配につながる。同様に、気泡材料の表面にわたって、被覆過程を変化させることができ、性能関連性質の表面勾配を生成する。
【０１３７】
ベース気泡材料が発泡ポリテトラフルオロエチレン（ｅＰＴＦＥ）であり、注入ラテックスが水性ポリウレタンラテックスであるときに、説明された過程は、気泡性質の有用な修正をもたらしている。気泡の異なる領域において異なる程度でポリウレタンラテックスをｅＰＴＦＥ気泡に注入することによって、性能関連性質における勾配が気泡表面上で発生させられる。ｅＰＴＦＥへのラテックス注入の程度は、ｅＰＴＦＥを処理するために使用される溶液中のラテックス粒子の濃度を制御することによって、または処理溶液へのｅＰＴＦＥの暴露の長さによって、あるいは両方によって制御される。
【０１３８】
（３．音響管への同時ダイアフォニック弁の統合）
本発明の音響管４０は、デバイス10の所望の特性に基づいて、いくつかの形態で具現化することができる。
【０１３９】
音響管４０の壁の中の１つ以上の小さいポートまたは開口部７３は、音響管４０の内側とポリマー気泡３１（またはドーナツ形気泡３２）の内側の空間との間に経路を提供する。音響管の中の小さいポートまたは開口部は、本明細書で説明されるように、シンセティックジェットベースのポンプのためのポートとしての機能を果たすだけでなく、音声が気泡の中へ入ることも可能にする。そのようなものとして、気泡における音エネルギーは、外耳道壁に伝導され、音の豊かさを増大させる。
【０１４０】
したがって、トランスデューサ２０が音声を産生するとき、シンセティックジェットの原理（上記でより詳細に説明される）、ならびに存在するときにポリマースリーブ、入口ポート、および同等物を含む、ダイアフォニック弁の他の稼働側面は、音響管４０から音響管４０の壁の中の小さい開口部７３を通る、ポリマー気泡３１の中への空気流につながる。このようにして、ユーザの耳の中のポリマー気泡３１を膨張させるために、トランスデューサ２０からの音エネルギーを使用することができる。
【０１４１】
耳への挿入および膨張の過程中に、図４４に示されるようなデバイスは、外耳道から音響管４０を下って気泡３２の中へ、気泡３２を膨張させるために必要な空気を引き込む。そうでなければ、すでに外耳道の中にある空気を加圧させる（潜在的に不快感につながる）か、または気泡３２のための空間を外耳道の中で作るために放出させる必要があるため、この過程は、デバイスを外耳道の中へ引き込むのに役立つ。
【０１４２】
図４４は、音響管４０の円周の周囲の線に沿って等距離に（６０度の角度ごとに）配置された、６つのポート７３のパターンを示す。この特定のポート配置が非常に良く機能するが、より少数および多数のポートを有する配置、ならびに２つ以上の環状ポートが音響管４０に沿った異なる場所で音響間を取り囲む配置を含む、他のポート配置も機能する。ポート７３のサイズ、および音響管４０に沿ったそれらの場所は、トランスデューサ２０によって産生される音声周波数の関数としての送出効率に影響を及ぼす。所与の音声周波数に対するポート７３の場所を改変することによって、またはポート７３の所与の場所に対する音声周波数を改変することによって、デバイスの送出作用を逆転させること、および耳から除去するためにポリマー気泡３２を能動的に収縮させることも可能である。したがって、ポート７３の固定構成を用いると、トランスデューサ２０は、気泡32の膨張が所望されるときには１つのトーン（音声の周波数）を、収縮が所望されるときには別のトーンを産生することができる。
【０１４３】
図４４に示されるようなデバイスは、気泡３２の膨張および気泡圧力の維持のため、ならびに個人が聴いているプログラム材料のための音声を産生するために、単一のトランスデューサ２０を使用する。デバイス１０は、依然としてポリマー気泡３２を膨張させるエネルギーを取り込みながら、トランスデューサ２０からユーザの鼓膜までの遮られていない経路を可能にするという利点を有する。
【０１４４】
この技術の他の実施形態は、図４４に示されたものと同様のデバイス１０を含むが、２つのトランスデューサ（本明細書でさらに詳細に論議される）を有し、１つは気泡３１（または３２）膨張させるようにトーンを産生し、もう１つはユーザ用のプログラム材料を産生する。この場合において、２つのトランスデューサは両方とも、気泡３１用の送出機構および鼓膜までのプログラム材料用の音声経路の両方として機能する、共通音響管４０の中へ、それぞれの音響出力を供給することができる。
【０１４５】
図４５は、デバイス１０の空気送出効率を増加させる、図４４に示された同軸構造の改良を示す。図示した実施形態では、薄いポリマーフィルムの緊密に嵌合するスリーブ３３が、ポート７３を含有する領域を含む、音響管４０の一部を覆う。スリーブ３３は、位置Ａにおける機密シールを用いて音響管４０の外側に取り付けられる。スリーブ３３は、位置Ｂで終端するが、この点においては付着（密閉）されない。
【０１４６】
デバイス１０はまた、ポリマースリーブ３３の密閉端および開放端が逆転される、すなわち、スリーブ３３がＢで密閉され、Ａで開放している場合にも機能する。デバイス１０はまた、スリーブ３３の両端ＡおよびＢが開放している場合にも機能する。
【０１４７】
別の作業実施形態では、スリーブ３３の両端ＡおよびＢが密閉される。この実施形態では、ポリマースリーブ３３は、１つ以上の小さい穴またはポート７４を有する。ポリマースリーブ３３の中のこれらの穴７４は、音響管４０の中の開口部またはポート７３と一致せず、いずれの空気入口管（本明細書でさらに論議される）の開口とも一致しない。
【０１４８】
しかしながら、本発明の例示を続ける目的で、スリーブ３３がＡで密閉され、Ｂで開放している実施形態が考慮される。
【０１４９】
図４５の断面図に示されるように、ポリマースリーブ３３は、音響管４０の壁の中のポート７３を覆っている。
【０１５０】
図４５の実施形態は、音響管４０からポリマー気泡３２を膨張させるために必要な空気を引き出す。したがって、耳に挿入されると、この実施形態は、外耳道から気泡３２の中へ空気を引き込む。
【０１５１】
図４６は、ポリマー気泡３１を膨張させる目的で、空気が外耳道の外側から引き込まれることを可能にするように、空気入口管３７が追加される、同軸デバイスの別の実施形態を示す。
【０１５２】
空気入口管３７は、気泡３１の外側かつ外耳道の外側に一方の端を有する。空気入口管３７は、気泡３１の中へ及び、音響管４０の壁の中のポート７３のうちの１つの側面まで進む。
【０１５３】
空気出口管類３７の構成の多大な考えられる設計変動性がある。図４７は、空気入口管３７が、音響管４０の壁の中の６つ全てのポート７３の側面の中へ接続する、実施形態を示す。当然ながら、このポート７３の特定の配置は例示的であり、本発明にとって限定的ではない。より多い、または少ないポート７３があってもよく、異なるパターンで配置されてもよい。
【０１５４】
図４７は、各ポート７３用の個別空気入口管セクション７６を、気泡３１の外側かつ外耳道の外側につながる主要空気入口管３７に接続するために、音響管４０の基部における円形マニホールド７５を使用する空気入口管３７を示す。主要空気入口管３７が複数のポート７３に到達することを可能にする、空気入口管７６に対する他の分岐スキームが、本発明の一部として請求される。図４６および４７は、入口管７６が音響管壁の中のポート７３に交差する点まで、音響管４０の壁の内側に及ぶ入口管７６を図示する。管７６はまた、音響管４０の外面または内面に取り付けられた小さい管であってもよい。
【０１５５】
空気入口管７６は、必ずしも音響管４０の壁の中のポートに交差する必要はない。図４８に示されるように、空気入口管３７は、音響管４０の外面上に独自の出口を有してもよい。この場合、空気入口管出口７７は、音響管４０を包囲するポリマースリーブ３３の下にあり、説明図では位置Ｂである、音響管壁の中のポート７３とスリーブ３３の開放端との間に位置する。
【０１５６】
図４７に示された種類の空気入口管マニホールド７５、または多数の他の可能な分岐スキームのうちの１つを採用して、複数の空気入口管セクション出口７７が、ポート７３とポリマースリーブ３３の開放端との間の音響管４０の表面に位置してもよい。
【０１５７】
図４９は、空気入口管３７が、ポート７３とポリマースリーブ３３の開放端との間のポリマースリーブ３３の下で、音響管４０の外側スリーブ３３の中にその出口７７を有する、同軸デバイスの別の実施形態を示す。この場合、進入空気を分配する円形マニホールド７５は、空気入口管出口７７の位置に位置する。空気入口管出口７７におけるマニホールド７５の１つの特定の実施形態は、音響管４０の円周の周囲に及ぶ音響管４０の表面の中のチャネルである。このチャネルは、空気入口管３７によって供給され、ポリマースリーブ３３がそれを覆っているときに、閉鎖円形マニホールドのままである。しかしながら、ポートのシンセティックジェット作用により、ポリマースリーブ３３が音響管４０の外面から離れると、この進入空気マニホールドは、進入空気を放出する。
【０１５８】
進入空気管システムの設計特徴（管類の長さおよび直径、進入空気入口および出口のサイズ、場所、および数等）は、進入空気流に対する抵抗またはインピーダンスの量を制御する。空気は、このデバイスの音響送出によって生成される圧力差の下で、進入空気管類システムを通して引き入れられる。このポンプ発生圧力は、進入空気管システムにおける線抵抗を克服するように十分でなければならない。進入空気に対する流動抵抗およびデバイス１０の送出特性の平衡を保つことによって、ポリマー気泡を膨張させるため（または膨張を維持するため）に使用される空気源は、（音響管４０を下って来る）外耳道からの空気と進入空気との間で適切に平衡を保つことができる。例えば、デバイス挿入時に外耳道を過剰に加圧しないように、気泡膨張の一部として、外耳道の中の空気のうちのいくらかを使用することが望ましい。しかしながら、ユーザにとって不快である、外耳道の中の部分的真空につながるため、気泡膨張中に（または膨張を維持するために）外耳道の中の空気を過剰に強く引き込まないことも望ましい。空気入口管の流動抵抗を調節することによって、正しい（最も快適な）量の空気が外耳道から得られ、残りが空気入口管類を通して取り入れられる平衡が達成される。
【０１５９】
図４４−４９に示された全ての設計の実施形態はまた、気泡３１に封入されていないトランスデューサ２０（図５０参照）を用いて、または気泡３１に部分的に封入されたトランスデューサ２０（図５１参照）を用いて生成されることもできる。これらの２つの図は、トランスデューサ２０を取り囲まない気泡３１と組み合わせた、またはトランスデューサ２０を部分的に取り囲む気泡３１と組み合わせた、１つの特定の空気入口管構成を図示する。しかしながら、全ての考えられる空気入口管設計および全ての考えられる音響管ポート設計を、トランスデューサを取り囲まないか、またはトランスデューサを部分的に取り囲む気泡と組み合わせることができることが暗示される。
【０１６０】
図５２から図５９の他の実施形態では、音響管４０の外側に沿った空気進入は、音響管４０の外面の中の１つまたは複数の溝７８を経由して進む。溝７８は、音響管４０の外面上のポリマースリーブ３３によって覆われる。ポリマースリーブ３３によって覆われる溝７８は、音響管４０の外側に沿って効果的な空気入口管３７を形成する。
【０１６１】
図５２は、以前の実施形態に示された種類の空気入口管３７が、空気を音響管４０の基部に送る実施形態を図示する。そこで、空気入口管３７は、点Ａにおいて音響管４０の外側の中の溝７８に接続し、そこでポリマースリーブ３３は、音響管４０の外部に固定される。図５２では、気泡３１はトランスデューサ２０を取り囲まない。
【０１６２】
図５３は、気泡３１がトランスデューサ２０を取り囲み、空気入口管３７が空気を位置Ａに送り、そこで音響管４０の外部の中の溝７８が開始する、実施形態を示す。
【０１６３】
図５４は、音響管４０の外側の位置Ａにおける溝７８の始点につながる、空気入口管３７がないことを除いて、図５２と同様の実施形態を示す。この実施形態では、気泡３１が音響管４０のみを覆うので、トランスデューサ２０により近い溝７８の端が、位置Ａをちょうど越えて突出することを可能にすることは、溝７８に沿って空気の進入を提供する。
【０１６４】
図５５は、位置Ａをちょうど越えたところから空気進入を提供する、音響管４０の外側の６つの溝７８があることを除いて、図５４に図示されたものと同様の実施形態を示す。図５５と同様の他の実施形態は、より少ない、または多くのそのような溝７８を有することができる。
【０１６５】
図５６は、空気進入を提供している音響管４０の外側の複数の溝７８が存在する実施形態を示す。複数の溝７８は、順に空気入口管３７によって供給される、音響管４０の基部における円形マニホールド７５から空気が供給される。
【０１６６】
図５７は、位置Ａをちょうど越えたところから空気進入を提供する、音響管４０の外側の複数の溝７８を有する、図５６と同様の実施形態を示す。しかしながら、図５７では、溝７８は、直線よりもむしろ曲線である。この実施例では、溝は音響管４０の周囲でらせん状になる。
【０１６７】
図５８は、音響管４０の周囲でらせん状になる、２組のらせん状溝７８が存在することを除いて、図５７と同様の実施形態を示す。１組のらせん状溝は、時計回りに旋回し（右巻きらせん）、もう１組のらせん状溝は、半時計回りに旋回する（左巻きらせん）。２組のらせん状溝は、相互に交差する。
【０１６８】
図５２から５８の実施形態の全てでは、音響管４０の外側の空気入口溝７８が、音響管４０の中の開口部（ポート）７３と交差して示されている。他の実施形態は、図４８に示された実施形態と類似して開口部（ポート）７３を越えて終端するか、または図４９に示された実施形態と類似して音響管４０の円周の周囲の溝の中で終端する、音響管４０の外側のこれらの空気入口溝７８を有する。
【０１６９】
図５９は、音響管４０が気泡３１内で開放端（位置Ｃ）を有する同軸デバイス１０の実施形態を示す。この実施形態では、気泡３１は、外耳道をさらに下って鼓膜に向かって音声を輸送するように作用する。音響管４０が気泡３１内の開放端によって終端する任意の実施形態は、空気入口システムを持たなければならない。図５２から５８に示された全ての種類の空気入口システムは、図５９のように、気泡３１の中の開放端によって終端する音響管４０を用いて可能である。さらに、気泡３１内の開放端（位置Ｃ）で終端する音響管４０を有する実施形態は、（図５０に示されるように）音響管４０のみを取り囲む気泡を有することができるか、またはトランスデューサ２０も完全または部分的に取り囲む気泡を有することができる（図４９および５１参照）。
【０１７０】
（代替的な特徴）
（音響作動型ポンプの波形制御）
送出機能への多大な影響として、音響作動型送出デバイスを操作するように音声を提供する音響ドライバに適用される波形。例えば、図６０に示される種類の波形は、音響作動型ポンプ２７における送出のために特に効率的である。上昇時間はサイクルの約５パーセントであり、下降時間はサイクルの約９５％である。等しいピーク間値の正弦波と比較して、この波形は、結果として生じるポンプから、約３０％多くの圧力を産生する。これは、排気サイクルについては、比較的速いダイヤフラム運動を可能にし、吸気サイクルについては、はるかに遅い運動を可能にする。これは、手動の暖炉用ふいごを使用するようなものである。
【０１７１】
波形を調整することによって、着座弁膜（本明細書で説明される）を含有しない種類の音響作動型ポンプ２７を背走させることも可能である。したがって、この場合、圧力ルーティングマニホールドとともに以前示されたものと同じ種類の送出逆転を達成するために、電気波形制御を使用することができる。
【０１７２】
異なるサイズの入口および圧力出口ポートの使用を通して、インピーダンスを操作することによって、音響作動型ポンプ２７の送出方向を逆転させることも可能である。しかしながら、このアプローチは、物理的に変化する管を必要とするため、インイヤ式気泡３１を膨張および収縮させることに対してあまり有用ではない。圧力ルーティングマニホールド４６（図１５および１６）または送出方向の電気波形制御の使用が、おそらく、この用途にとってより便利である。
【０１７３】
（トランスデューサインピーダンス圧力フィードバック制御回路）
膨張型部材（膨張型気泡３１等）を加圧するためにダイアフォニック弁２２または５０を使用するとき、達成される圧力を感知し、フィードバック機構を通して送出を調節できることが望ましくてもよい。これは、システムの過剰または過小な膨張を防止することができる。ダイアフォニック弁２２または５０への背圧は、送出システムを駆動しているトランスデューサ２０への圧力負荷を増加させる。トランスデューサ２０への圧力負荷の程度は、トランスデューサ２０の電気インピーダンスを改変する。したがって、このトランスデューサインピーダンスの測定は、システムにおいて、スピーカ負荷の尺度、したがって、背圧の尺度を提供する。次いで、システム加圧の制御を維持する目的で、トランスデューサ電気インピーダンスによって感知されるような、トランスデューサ動作を監視して制御するために、フィードバック回路を使用することができる。
【０１７４】
加えて、オーディオまたは加圧トランスデューサ内またはその外部での圧力感知デバイス（図示せず）の使用は、プログラム可能となり得るポンプ／圧力調節を達成するように、適切なフィードバック・サーボ回路に連結されてもよい。
【０１７５】
（ポンプ動作の機械的逆転）
本明細書で説明されるように、ダイアフォニック弁２２または５０の送出方向を逆転させることができるという有用性には、いくらか価値がある。それは、膨張型部材３０の中の圧力レベルの制御を可能にし、また、気泡３１（または３２）の能動的な収縮と能動的な膨張とを可能にする。ルーティングマニホールド４６（図１５および１６）、および駆動トランスデューサに送信される波形の改変を含む、送出方向の逆転を達成する２つの方法が本明細書で開示される。
【０１７６】
ダイアフォニック弁２２または５０の送出方向を逆転させる第３の方法は、弁の逆流動作を達成するように、入口ポートおよび管の音響および静圧インピーダンスを機械的に改変することである。進入流の適切な制限、および／またはダイアフォニック弁２２または５０内で使用される可聴周波数への入口ポート開口部および管の音響インピーダンスの変化は、デバイス１０内の流量の逆転をもたらす。これは、ルーティングマニホールドまたは同様のデバイスを使用することなく、ダイアフォニック弁２２または５０が膨張および収縮モードの間で可変的に切り替えられることを可能にする。そのようなアプローチに限定することなく、流量制限方法は、ダイアフォニック弁入口管３７に取り付けられた可鍛性管類の内径を機械的に縮小するデバイスを含むことができ、または入口管を採用しないポートの場合、流量逆転を達成するように、錐体先端が入口ポート開口部の中へ可変的に前進させられてもよい。したがって、ダイアフォニック弁２２または５０の流量を逆転させるために、入口ポートまたは入口管への何らかの種類の流量スポイラの適用を使用することができる。
【０１７７】
（可動開口部）
図６１は、可動ダイヤフラム２８の中の開口部６１を示す。ダイヤフラム２８は、剛性または可撓性材料となり得る。矢印によって示されるように、ダイヤフラム２８は、独自の表面と垂直に振動する。振動が対称であり、鋸歯状波形によって図中で表される。対称正弦波が同様の結果を生じる。これは、両方向で開口部６１を通してシンセティックジェット流体流動を生成する。例えば、ダイヤフラム２８が右に移動するにつれて、流体は開口部６１を通って左に移動し、左でシンセティックジェットを生成する。ダイヤフラム２８が左に移動するにつれて、流体は開口部６１を通って右に移動し、右でシンセティックジェットを生成する。図６１は、２つの対向ジェットの流量効果が相互を取り消す対称配置を表す。したがって、この対称配置は、流体を送出するために有用ではない。
【０１７８】
しかしながら、システムの対称性が断絶された場合、２つのシンセティックジェットのうちの一方が他方よりも強くなり、デバイス１０は、他方の方向よりも一方の方向に送出する。図６２は、対称性を断絶し、したがって、流体を送出する１つの方法は、非対称波形を別様の対称デバイスに適用することであると図示する。
【０１７９】
システムの対称性を断絶する付加的な方法は、そのそれぞれが、一方の方向に対面するが他方の方向には対面しない、円錐のくぼみまたは隆起した漏斗のうちの１つのように成形される可動ダイヤフラム２８の中の開口部６１を有することである。これらの実施形態は、それぞれ、図６３ａおよび６３ｂで図示されている。
【０１８０】
図６４では、ダイヤフラム２８の振動を駆動する波形は対称であるが、開口部６１は対称ではない。狭くなり、左から右への流体流動を濃縮する錐体は、左よりも右へ大きいシンセティックジェットを産生する。また、送出効率を向上させるために、図６２および６３の方法、すなわち、非対称振動波形および円錐開口部形状を組み合わせる、実施形態を生じさせることもできる。
【０１８１】
ここで説明され、示される実施例はそれぞれ、１つの入口ポート５２、１つの圧力均等化ポート５６、およびダイヤフラム２８の中の１つのポート６１を有した。しかしながら、本発明による他の実施形態は、複数の入口ポート、複数の圧力均等化ポート、およびダイヤフラムの中の複数のポートを含むことができる。また、本発明による他の実施形態は、（複数の）圧力均等化ポートをダイヤフラムの中の（複数の）ポートと組み合わせることができる。ダイヤフラム２８の中の開口部６１の場所は、異なる送出効果を生じるように、異なる実施形態で変化させられてもよい。例えば、偏位がより大きい、ダイヤフラム２８の中心付近のポート６１の場所は、ダイヤフラム２８の縁付近のポートの場所よりも大きい送出効果を生じる。
【０１８２】
（トランスデューサダイヤフラムの中の開口部）
図６５は、以前の項で説明された可動開口部６１が、平衡電機子音声トランスデューサ２０を音作動型ポンプ２７に変換するために利用される実施例を示す。平衡電機子２１は、チャンバ８０を覆うダイヤフラム２８に連結され、出口ポート５９に接続される。平衡電機子トランスデューサ２４の従来の作業モードでは、音声に対応する電気信号が平衡電機子２１を作動させ、それがダイヤフラム２８を振動させ、したがって、出口ポート５９から音声を産生する。
【０１８３】
図６５に示された送出の実施形態では、ダイヤフラム２８は、小さい穴または開口部６１を有する。ダイヤフラム２８が平衡電機子２１によって作動させられると、開口部６１は、可動開口部として機能し、シンセティックジェットを産生する。図６３（トランスデューサに供給される非対称波形）または６４（円錐開口部）に示された２つの非対称状態のうちの１つ、あるいは両方が存在する場合、ダイヤフラム２８の振動は、非対称シンセティックジェットを産生する。対称性が正しい方向に向けられる場合には、流体の正味流量が出口ポート５９から退出する。流体がデバイスに流入し、次いで、出口ポート５９から送出される際に、質量保存を可能にするように、デバイスの壁の中の入口ポート５２が所望される。
【０１８４】
システムの中の可動開口部６１の非対称状態を逆転させる（円錐細孔入口を反対に対面させるか、または非対称波形の位相を１８０度変化させる）ことによって、デバイス１０を逆に送出させることができる。この場合、入口が出口になり、その逆も同様である。したがって、可動開口部６１の対称性を生成するために波形を使用する、図６５の種類のデバイスは、トランスデューサ２０に送信される信号の波形に応じて、いずれか一方の方向において稼働することができる、音作動型ポンプ２７である。これは、膨張型気泡３１の膨張および収縮のために、送出方向の効率的な逆転を生じる。
【０１８５】
図６５のデバイス１０の送出効率は、開口部８２を有する膜逆止め弁８１を、入口ポート５２または出口ポート５９のいずれか一方、あるいは両方に追加することによって、増加させることができる。入口ポート５２の上に弁８１を有するこの配置は、図６６に示されている。弁８１は、開口部６３を覆う可撓性膜を利用する、以前に説明されたダイアフォニック弁のいくつかの実施形態で使用されるものと設計が同様である（図１８の逆止め弁６２を参照）。
【０１８６】
図６６では、膜８３は、中心を外れ、入口ポート５２と一致しない細孔または開口部８２を有する。入口ポート５２を通る流動は、膜８３を屈曲させ、流体が両方の開口部８２、５２を通って流れることを可能にする。背圧は、入口ポート５２に対して膜８３を密閉し、逆流を遮断する。
【０１８７】
図６６に示された実施形態は、逆流を防止することによって送出効率を増加させるが、トランスデューサ２０に供給される波形を変化させることによって送出方向の切替も防止する。
【０１８８】
（二重トランスデューサ）
図６７は、２つのトランスデューサ２０を使用する、音作動型圧力ポンプ２７の別の実施形態を示す。２つのトランスデューサによって産生される音波は、膜８４（剛性または可撓性であってもよい）を横断して膜８４の中の開口部８５を通って、相互に干渉する。２つのトランスデューサ２０によって産生される音声の別個の波形の操作によって、およびこれらの波形の相対的位相の操作によって、ポート１からポート２へ、またはポート２からポート１へ、流体流動を駆動する圧力差をデバイスに産生させることができる。したがって、図６７のデバイス１０は、音作動型ポンプ２７の流動方向を逆転させるさらに別の手段を表す。この場合、逆転は、２つのトランスデューサ２０に供給される波形を電気的に改変させる（切り替える）ことによって達成される。
【０１８９】
効果はまた、トランスデューサダイヤフラムの片側から、または両方から、同じトランスデューサダイヤフラムから発する２つの音波の間で、膜開口部における位相および攻撃差を最適化するよう構築される、音送達管の使用を採用する、単一のトランスデューサの使用を通して達成することもできる。
【０１９０】
（同軸ダイアフォニック弁ポンプおよび可動開口部ポンプの組み合わせ）
図６８に示されるように、トランスデューサ後方容量の中の同軸ダイアフォニック弁２２を、ダイヤフラム２８の中のポート６１と組み合わせることによって、より優れた順方向（気泡の膨張）送出効率を発生させることができる。図６９は、同じ一般的実施形態を示すが、ダイアフォニック弁２２を収容するように、トランスデューサ後方容量の管状延長部７９の追加を有する。
【０１９１】
同軸ダイアフォニック弁２２をダイヤフラム２８の中の可動開口部６１と組み合わせる、図６８および６９の実施形態は、二重音響発生送出操作を提供する。同軸ダイアフォニック弁２２は常に、順方向に送出する（気泡３１の膨張）。ダイヤフラム２８の中の開口部６１は、順方向に送出するために非対称波形を必要とし、したがって、同軸ダイアフォニック弁２２の送出作用を増強する。ダイヤフラム２８の中の開口部６１はまた、順方向への送出をさらに増強するように、円錐形状（本明細書でさらに詳細に論議される）を有してもよい。最高の送出効率を生じるように、これら全ての効果（同軸ダイアフォニック弁、ダイヤフラムの中のポート、非対称波形、ダイヤフラムの中のポートの円錐形状）の組み合わせを組み合わせることができる。
【０１９２】
図９９は、トランスデューサ後方容量の中のダイアフォニック弁２２を採用する実施形態を示し、出力管８６がドーナツ形気泡３２を膨張させる。図９９の実施形態はまた、圧力均等化ポート５６、ダイヤフラム２８の中のポート６１、または両方を含んでも含まなくてもよい。
【０１９３】
ここで開示される種々の実施形態では、トランスデューサ後方容量は、圧力バラストタンクのように作用する。それは、圧力が膨張型部材３０に移送されることができるようになる前に、加圧されなければならない。したがって、トランスデューサ２０の後方容量を低減するアプローチは、より反応が良く効率的な送出デバイスをもたらす。これは、本明細書において開示される全ての実施形態に該当する。
【０１９４】
図１００は、空間充填材料８７で空隙を充填することによって、トランスデューサの後方容量の中の空間が低減される実施例を示す。当然ながら、これは、トランスデューサ２０の動作（可動部品、電場または磁場）に干渉しないよう行われなければならない。
【０１９５】
図１０１は、トランスデューサの後方容量を低減する、すなわち、仕切り８８を後方容量に追加することへの別のアプローチを示す。これは、ダイヤフラム２８の中のポートに基づくポンプの比較的単純な場合を用いて図示されている。仕切り８８は、トランスデューサ２０の圧力／送出機能において使用される、後方容量のより小さい小区画を生成する。残りの後方容量は送出に関与しない。平衡電機子２１が、圧力発生に使用される後方容量の小区画から仕切られた区画の外側にある場合には、駆動ピンは、運動の自由を可能にするが、圧力の漏出に抵抗する、ガスケットまたはシールを有する後方容量仕切りを通して供給しなければならない。
【０１９６】
仕切りを後方容量に追加するアプローチは、本開示で提示される実施形態のうちのいずれかに適用することができる。これが行われるときに、これらの弁が、圧力発生に使用される後方容量の一部から仕切られたより小さい区画に接続するか、またはその中に存在する必要がある。
【０１９７】
（自動挿入／後退機構）
音響駆動型ダイアフォニック弁等の加圧機構の使用は、膨張型気泡３１の同じ場所において、またはその付近においてデバイスの空気圧動作を提供する。図７０で描写された実施形態では、圧力が使用されることにより、保護カウル９０または被膜内から膨張型気泡３１を移動させ、それを外耳道に挿入し、そうするとすぐにそれが可変的に膨張させられる線形アクチュエータ８９を加圧する。加圧手段からの圧力流が逆転させられると、膨張型気泡３１は自動的に収縮させられ、次いで、その保護筐体９１の中へ引き戻される。加えて、電気機械または手動の手段が、この効用を達成するために使用されてもよい。
【０１９８】
図７１で描写されるように、アクチュエータ８９は、段階的膨張および収縮のニードル弁９２を含むことができる。実施形態では、アクチュエータ８９は、その中で往復運動するピストン９４を有するシリンダ９３を有する。さらに、作動中にその間の空間を密閉するために、折畳み型および膨張型の円筒形スカート９５がシリンダ９３の底部およびピストン９４の底部に取り付けられ、それは、無孔ｅＰＴＦＥ織物または別のポリマーフィルム材料から作ることができる。また、段階的直径の針９２が、シリンダ９３を通り、ピストン９４を通って延在する通路の中への流体（例えば、空気）の通過の制御を提供する。ピストン９４を通る通路は、針９２を受容するためのポート９６を含み、針９２は、遠位部分９７および近位部分９８を有し、遠位部分９７は、近位部分９８よりも直径が小さい。
【０１９９】
動作中、加圧流体が圧力送達管６９（図７０）からシリンダ９３に進入すると、ピストン９４が移動して、膨張気泡３１をユーザの耳の中で膨張させる。一旦ピストン９４のポート９６が、針９２の遠位端９７の周囲にあるようになると、圧力は、ピストン９４の中の通路を介してシリンダ９３から脱出することが許容される。脱出する圧力は、ユーザの耳の中に以前に挿入された膨張型気泡３１を膨張させるために使用される。
【０２００】
一旦膨張型気泡３１が収縮させられ、ユーザの耳から除去されると、圧力が、圧力送達管６９（図７０）を介してシリンダ９３から解放される。これは、ピストン９４、およびピストンポート９６と針９２の遠位部分９７との間の空間によって提供される通路を介して膨張型気泡３１を膨張させる。一旦膨張型気泡３１が収縮させられると、次いで、ピストン９４は、針９２の近位部分９８に向かって移動し、それにより、膨張型気泡３１がユーザの耳から引き出される。
【０２０１】
（気泡の膨張を静めるための能動的雑音消去の使用）
以前に、Ｓｏｎｉｏｎ  ４４Ａ０３００二重トランスデューサを用いて構築されたデバイス１０の特定の実施形態は、約３ｋＨｚの周波数で耳の中の気泡を膨張させるように空気を送出するための最良のエネルギー効率を有することが示された。この動作周波数において、デバイス１０は、典型的な補聴器における利用可能なバッテリ電力の５パーセント未満を使用して、１２時間の期間にわたって、耳の中の気泡３１を膨張させ、膨張を維持することができる。しかしながら、こうすることは、かなりの振幅（音量）における約３ｋＨｚの膨張トーンの初期使用およびおそらく断続的使用を必要とする。このトーンは、ユーザにとって不愉快となる場合がある。
【０２０２】
他のトランスデューサおよび他のダイアフォニック弁構成に基づく他の実施形態は、いくらか異なる周波数において、最もエネルギー効率的な送出を有してもよい。しかしながら、全てのそのようなデバイスは、出力が最も効率的である周波数または周波数の範囲を有し、このトーンはしばしば、気泡膨張を生じることに十分な振幅（音量）で再生されると、ユーザにとって不愉快となる可能性を有する。
【０２０３】
この不愉快な膨張トーンという潜在的な問題を軽減するために、本発明は、好ましくは、デバイス１０において２つのトランスデューサを使用する。気泡の膨張中の２つのトランスデューサの音響出力は、膨張過程をユーザにとってあまり不愉快にしないように雑音消去（振幅の低減）および／または可聴周波数のシフトを生じさせために、部分的または完全に位相がずれている。
【０２０４】
本発明の実施形態は、第２のトランスデューサと対合される、前述のような平衡電機子トランスデューサを含む。デバイスは、トランスデューサのうちの１つの後方容量の中の音圧振動から圧力を発生させ、この圧力は、ユーザの耳の中の気泡３１（閉鎖またはドーナツ形）を膨張させるために使用される。他方のトランスデューサは、第１のトランスデューサの出力と周波数および振幅が（可能な程度に）合致させられ、位相が１８０度ずれている音声出力を産生するために使用される。この配置は、気泡膨張中、デバイスを静謐にさせる。
【０２０５】
このデバイス１０について、通常の補聴器（または他のオーディオ）の動作中に、２つのトランスデューサのうちの一方をオフにすることができ、他方のトランスデューサは、オーディオ材料をユーザに提供することができる。これは、１つのトランスデューサがオンおよびオフにされる機械的または電気的であってもよい切替スキームを必要とする。また、両方のトランスデューサを同相で作動させることも可能であり、したがって、通常の補聴器動作中に相互の信号を増強する。これは、１つのトランスデューサがその電気入力を逆転させ（気泡膨張のために１８０度位相がずれている）、次いで、切り替えて戻す（通常の聴取のために同相である）機械的または電気的であってもよい切替スキームを必要とする。
【０２０６】
別の実施例は、デバイスを静謐にするように、気泡膨張中に位相をずらして２つのトランスデューサの音声出力が作動させられてもよいが、両方のトランスデューサが後方容量から稼働するポンプに組み込まれる２つのトランスデューサデバイスである。気泡３１を膨張させるように稼働する２つのポンプを用いて、デバイス１０は、より迅速に気泡３１を膨張させる。気泡膨張過程が迅速である（２０秒未満、好ましくは１０秒未満）とともに静謐であることが、この用途にとって望ましい。
【０２０７】
２つのトランスデューサを使用して能動的音声消去を提供するデバイスは、ユーザの耳の中の気泡３１を膨張させることができ、オーディオプログラム材料（補聴器機能、通信、ＭＰ３オーディオ等）を再生し続けながら、膨張を維持するように空気を送出することができる。これは、２つのトランスデューサのうちの１つにおいて、オーディオ材料信号を膨張トーンに重ね合わせることによって達成することができる。他方のトランスデューサは、膨張トーンのみを再生するが、１８０度位相がずれている。正味の影響は、膨張トーンが完全または部分的に消去され、音声信号が元の状態のままになることである。
【０２０８】
代替として、２つのトランスデューサデバイス（本明細書で以前に説明されている）では、両方のトランスデューサが、同じかまたは異なってもよいが、位相がずれておらず、それ自体を相殺しないオーディオ材料を再生することができる。同時に、各トランスデューサにおいて、このオーディオ材料には、膨張トーンが重ね合わせられる。しかしながら、２つのトランスデューサが、相互に１８０度位相をずらして同じ膨張トーン１８０を再生し、膨張トーンの消去または部分的消去を生じる一方で、両方のトランスデューサからのオーディオ材料がユーザに聞こえる。
【０２０９】
図７２は、２つのトランスデューサデバイス１０の特定の実施形態の概略図を示す。この実施例は、単一のパッケージの中のデバイスに必要とされる２つのトランスデューサを提供する、Ｓｏｎｉｏｎ  ４４Ａ０３００二重トランスデューサを使用して構築された。図７２に示された特定の実施例は、ドーナツ形気泡３２を膨張させるためにデバイスを使用するが、閉鎖（駆動）気泡への同じ二重トランスデューサアプローチの適用が明白である。
【０２１０】
図７３に示されるように、Ｓｏｎｉｏｎ  ４４Ａ０３００二重トランスデューサは、トランスデューサのうちの１つの極性を他方に対して切り替えることができるように、配線接続された。密閉気泡３１を膨張させるために、Ｓｏｎｉｏｎ  ４４００の２つの構成要素受信機が、異極性と直列に駆動される。この作用は、ユーザに聞こえるような受信機管の中の音声を低減する。一旦所望の膨張圧力に達すると、膨張信号が切られ、受信機セクションが加極性と直列に駆動される。
【０２１１】
図７３のプロトタイプは、補聴器ユーザに提示される音圧に対して送出に利用可能となる音圧を決定および確認するよう、構築および測定された。図７４は、トランスデューサが同相で作動する直列加算とは対照的に、１８０度位相がずれて作動する２つのトランスデューサに対応する、（ユーザの鼓膜における信号に近似する）Ｚｗｉｓｌｏｃｋｉカプラで測定された音圧レベル（ＳＰＬ）の差異が、直列減算配置に対して３０ｄＢ低いことを示すグラフである。加えて、送出圧力を生成するように利用可能である、２つのトランスデューサのうちのいずれか一方における後方容量ＳＰＬは、膨張トーンの活発な消去を伴って、ユーザによって体験されるＳＰＬよりも８０ｄＢ高い。
【０２１２】
（交換可能気泡および音響管アセンブリ）
図７５は、気泡３２および音響管４０が連結器１００を介してトランスデューサ２０に接続される、デバイス１０の同軸実施形態を示す。図７６に示されるように、この連結器１００は、トランスデューサ２０を含む、デバイス１０の残りの部分からの気泡３１および音響管４０の分離を可能にする。
【０２１３】
通常の使用中、気泡３２および音響管４０が汚染される場合があり、清掃される必要があってもよい。分離可能な連結器１００は、より容易な清掃のために、気泡３１および音響管４０がデバイス１０の残りの部分から除去されることを可能にする。
【０２１４】
加えて、気泡３１および音響管４０は、使用により磨滅する場合があり、またはユーザによる取り扱いで損傷される場合がある。分離可能な連結器１００は、損傷、摩耗、または汚染した気泡および音響管アセンブリが、除去され、清潔および／または新しいものと交換されることを可能にする。気泡３１および音響管４０を覆うポリマースリーブ３３の比較的繊細な性質により、気泡３１および音響管アセンブリは、意図的にデバイス１０の使い捨て部品である。それは、周期的に除去され、新しい気泡および音響管アセンブリと交換されるように設計されている。
【０２１５】
分離可能な気泡３１および音響管アセンブリ４０の使用はまた、同軸デバイス１０以外の送出機構と連結することもできる。例えば、それは、それぞれ本明細書で説明されるように、プレートの中の開口部に基づいてシンセティックジェット音響送出デバイスと、またはダイアフォニック弁の実施形態と連結することができる。
【０２１６】
交換可能気泡３１および音響管アセンブリ４０と、トランスデューサ２０との間の分離可能な連結器１００は、空気入口ルートを採用する実施形態では、そのような空気入口ルート用の接続を必ず含む。図７５に示された実施形態は、空気進入のために、音響管４０の外面の中の溝７８を使用する。この溝７８は、分離可能な連結器１００と、ポリマースリーブ３３が始まる位置Ａとの間の間隙の中で、外気にアクセスできる。したがって、この実施形態では、分離可能な連結器１００を通した空気入口接続を必要とすることなく、空気進入が達成される。
【０２１７】
図７７は、除去可能／交換可能気泡３２および音響管アセンブリ４０が、気泡３２内の開放端で終端する音響管を含む、実施形態を示す。
【０２１８】
（ロックアンドキー機構を有する分離可能な連結器）
気泡３１（または３２）および音響管アセンブリ４０は、ユーザ間の外耳道寸法の自然な変動に適応するように、異なるサイズで作ることができる。加えて、気泡材料の性質（強度、剛性、弾性、空気透過性）を調節することによって、例えば、異なる聴覚または耳関連問題がある患者に補聴器を適合させるように、異なる気泡の種類を生産することができる。
【０２１９】
したがって、特に、補聴器の用途では、気泡３１および音響管アセンブリ４０は、眼用処方コンタクトレンズと類似した処方と見なすことができる。
【０２２０】
図７５および７６に示された分離可能な連結器の最も単純な実施形態は、一対の摩擦嵌合する平滑な同心円状リングまたは短いシリンダである。第１の外側シリンダ１０１は、第２の内側シリンダ１０２の中へ嵌合し、連結器を作成する。いくらか図７８−８３に図示されるように、外側シリンダ１０１が、除去可能な気泡３１および音響管アセンブリ４０に接続されてもよい一方で、内側シリンダ１０２は、トランスデューサ２０およびデバイス１０の本体に接続されてもよい。代替として、外側シリンダ１０１は、トランスデューサ２０およびデバイス１０の本体に取り付けられてもよく、内側シリンダ１０２は、除去可能な気泡３１および音響管アセンブリ４０に取り付けられてもよい。図に図示された連結器１００の種類は、剛性材料（剛性プラスチック）の内側シリンダ１０２および可撓性またはゴム状（ゴム状プラスチック）の外側シリンダ１０１を構築することによって達成されてもよい。代替として、外側シリンダ１０１が剛性材料で構築され、内側シリンダ１０２が可撓性またはゴム状材料で構築される、図示される連結器も達成されてもよい。また、内側および外側シリンダ１０１、１０２の両方が、剛性材料となり得るか、または両方とも可撓性またはゴム状材料となり得る。
【０２２１】
除去可能な気泡３１および音響管アセンブリ４０をトランスデューサ２０およびデバイス１０の本体に接続する連結器１００は、ユーザが正しい処方気泡を選択するのに役立つように、色分けされてもよい。この場合、聴覚学者は、デバイスを処方するときに、デバイス１０の本体に特定の色の連結器を取り付け、それは、特定の患者に適切な処方気泡上の連結器の色に合致する。
【０２２２】
図７８ｂは、それによって気泡３１および音響管アセンブリ４０がトランスデューサ２０に接続される、分離可能な連結器用の「ロックアンドキー」認識システムの実施例を示す。分離可能な連結器の噛合表面上のマーキングのパターンは、作製される連結器に合致しなければならない。異なる処方気泡および音響管アセンブリが、分離可能な連結器の半分で異なるパターンを有する。これらは、トランスデューサによる、デバイスの固定された本体上の連結器の他方の半分におけるマーキングに合致する必要がある。デバイス上に固定される連結器の半分は、処方医によって決定され、患者が適切な気泡および音響管アセンブリしか使用していないことを確認にする。ユーザのデバイスの本体との適切な処方気泡および音響管アセンブリのロックアンドキー合致はまた、以前に説明されている連結器の色分けと組み合わせることもできる。これは、間違った気泡の取付を防止するためのロックアンドキー合致に基づくフェイルセーフ機構と組み合わせられる、連結器の色に基づいて、ユーザが正しい気泡を選択するための便利な方法を提供する。
【０２２３】
分離可能な連結器のロックおよびキー側面は、図７８ｂに示されるように、同心円状の円筒形表面の中の溝の形状、間隔、および深さで達成することができる。このロックおよびキー機構を達成する他の方法は、同心円状の取付部品のサイズおよび形状の変動を含む。例えば、連結器１００は、長方形、正方形、三角形、菱面体、長円形、または星形の断面の同心円状管から構成されることができる。これらの異なる断面形状は、図７８ｂに示された種類の溝または他のマーキングのパターンと組み合わせることができる。
【０２２４】
ロックアンドキー連結器１００は、図７８ｂに示されるように、摩擦によってともに保持されてもよく、または付加的な係止機構を含んでもよい。例えば、一旦同心円状管が相互を通過すると、外管は、連結器を係止するように、内管に対してその円周の周囲でねじられてもよい。代替として、連結器は、同心円状管の噛合表面上のネジ山とともに締め付けられてもよく、ネジ山の配置（サイズ、間隔、深さ等）は、認識（すなわち、ロックアンドキー機構）を提供する。
【０２２５】
説明される係止および認識機構のうちの２つ以上の異なる組み合わせが可能である。
【０２２６】
トランスデューサの裏の周囲から空気を供給する空気入口管を組み込む実施形態が、除去可能な音響管および気泡アセンブリと組み合わせられると、次いで、分離可能な連結器は、空気入口ルート用の貫通接続を含まなければならない。
【０２２７】
図７９は、分離可能な連結器１００の外側同心円状シリンダ１０１の壁に組み込まれた、そのような空気入口管３７を示す。この実施例では、空気入口管３７は、連結器１００の円柱軸と平行に円筒形連結器１００の壁の中に及ぶ。空気入口管３７はまた、分離可能な連結器（図示せず）の内側シリンダ１０２の壁の中に配置することもでき、また、連結器１００の円柱軸と平行に空気を輸送する。図８０は、分離可能な連結器１００の外側シリンダ１０１を通過する空気入口管３７を、分離可能な連結器１００の同心円状部品に組み込まれたロックアンドキー合致と組み合わせることができることを示す。分離可能な連結器１００の内側シリンダの中の空気入口管貫通接続の配置は、同様に、連結器上のロックアンドキー合致コードと組み合わせることが可能である。
【０２２８】
図８１は、連結器の外側部材の内面によって覆われている、連結器の内側部材の外面の中のスロットまたは溝によって達成される、分離可能な連結器１００の中の空気入口貫通接続を示す。同様に、空気入口貫通接続は、連結器の内側部材の外面によって覆われている、連結器の外側部材の内面の中のスロットまたは溝によって達成されてもよい。
【０２２９】
図８２は、分離可能な連結器の内側部の外面および連結器の外側部の内面の中の合致溝によって達成される、分離可能な連結器１００の中の空気入口貫通接続を示す。この種類の空気入口貫通接続は、連結器の２つの部材上の溝が相互に合致することを確実にするよう、連結表面のロックアンドキー合致と組み合わせられる必要がある。
【０２３０】
図８３は、連結器の内側部材の中の管を覆って越える、連結器の外側部材１０１の壁の中の管を用いて達成される、分離可能な連結器１００の中の空気入口貫通接続を示す。これは、外側部材１０１の内面および内側部材１０２の外面の中の合致穴を必要とする。連結表面の中の穴の合致を達成することは、連結器の部材が常に同じ方向で交わることを確実にするロックアンドキー合致と、この種類の連結が組み合わせられる必要があることを要求する。別の実施形態は、図８３と類似しているが、連結器１００の内側部材から外側部材１０１まで横断する、空気入口貫通接続である。
【０２３１】
図７７−８３に示された実施形態を通る空気入口管３７は全て、円筒形断面の分離可能な連結器１００を用いて図示されている。他の断面形状（長方形、正方形、三角形、菱面体、長円形、または星形）の同心円状連結器が可能である。図７７−８３に示された実施形態を通る空気入口管３７は、類推すると、分離可能な連結器１００に対するこれらの他の断面形状に拡張することができる。
【０２３２】
図７７−８３に示された実施形態を通る空気入口管３７は、単一の貫通接続ルート（管またはチャネル）を示す。この種類の複数の平行貫通接続も可能であり、これらの実施形態は、他の図に示された種類の空気入口システムで特に有用である。
【０２３３】
（補足送出）
ポリマー気泡３１の膨張は、耳の直接外側で、またはデバイス１０をデジタル音楽プレーヤ等の外部電子デバイスに接続するコードの上で、外耳道の外側に位置する外部デバイスによって、機械的に補完されてもよい。これらの外部送出デバイスは、電気的に、または手動で電力供給されてもよい。空気は、例えば、図４６に図示されるように、空気入口管３７を通して、または手動ポンプをポリマー気泡３１の内側に接続する別個の管を通して、ポリマー気泡３１に注入される。
【０２３４】
デバイス１０に対する補足送出方法の実施例は、シリンジポンプ（図示せず）またはシリンジポンプ概念の変化例を含む。棒または球体であってもよい、プランジャが、その前の空気を圧縮するように、管を通して移動させられる。シリンジポンプの圧縮空気を含有する管は、気泡の内側に接続され、したがって、シリンジポンプは、管の中でプランジャを押す、または引くことによって、気泡を膨張または収縮させるために使用されてもよい。
【０２３５】
デバイス１０に対する補足送出方法の他の実施例は、ダイヤフラムによって取り囲まれたチャンバから空気を絞り出すように、可撓性ダイヤフラムが機械的に押下される、ダイヤフラムポンプ（図示せず）を含む。チャンバは２つの逆止め弁を有し、空気がチャンバからポリマー気泡に向かって流れることを可能にするように、チャンバが加圧されると、一方の弁が開き、他方の逆止め弁は、圧力下では閉じるが、部分的真空下では開き、したがって、ダイヤフラムが解放されるとチャンバが補充することを可能にする。
【０２３６】
デバイス１０に対する補足送出方法の別の実施例は、気泡を外気に接続する管自体を圧搾することを含む。次いで、適切な逆止め弁を含有する管は、本明細書で説明されるダイヤフラムポンプと同様に機能する。
【０２３７】
補足送出方法のさらに別の実施例は、気泡を外気に接続する管で蠕動ポンプ運動を行うことである。この蠕動作用は、手動で、または電力駆動型蠕動ポンプを介して行われてもよい。
【０２３８】
ポリマー気泡３１の膨張、気泡３１の収縮、デバイス１０の使用中の圧力の維持は、本明細書で説明される外部方法によって、デバイスポンプ２７の送出作用によって、または外部方法およびデバイス送出の組み合わせによって、達成することができる。例えば、外部方法が、迅速な膨張および収縮のためのデバイス１０の送出を補完するために使用されてもよい一方で、デバイスポンプの送出作用は、使用中に気泡圧力を維持する。
【０２３９】
（圧力調節を通したフィードバック制御）
補聴器のスピーカおよびマイクロホンが物理的に近接し、もはや相互から隔離されていないため、補聴器における外耳道密閉の損失は、不愉快で潜在的に危険なフィードバックにつながり得る。本デバイス１０の実施形態は、好ましくは、ハードウェア（電機子器）またはソフトウェアベースであってもよい、制御機構（図示せず）を含む。フィードバック制御が起動されると、電子デバイスの利得が一時的に低減される。この作用に応じて、デバイス１０は、その送出作用を増加させるように指図され、それにより、ポリマー気泡３１の膨張を増加させ、外耳道密閉を向上させる。次いで、フィードバックの開始によって誘起される、この圧力上昇は、デバイス受信機とマイクロホンとの間のフィードバック連結路を削減する。
【０２４０】
（二重壁のリブ付き気泡）
図８４は、ポリマー気泡３１の代替的設計を示す。この実施形態では、気泡３１は、二重壁であり、内壁１０３と外壁１０４との間の空間のみが、音作動型ポンプ２７、外部ポンプ、または２つの組み合わせの送出作用によって加圧される。気泡３１の内壁１０３と外壁１０４との間の接続リブ１０５は、二重壁気泡３１がその形状を保つことを可能にする。図８４では、リブ１０５は、気泡３１の長さに沿って縦方向に及んで示されている。しかしながら、気泡の円周の周囲に及ぶ横方向リブ、リブのらせん状パターン、または同等物を含む、他のリブ配置が可能である。
【０２４１】
リブ１０５は、空気に対して透過性であってもなくてもよい。それらは、膨張させられたときに気泡３１の内壁１０３と外壁１０４との間の距離を設定するように機能し、この目的を達成するために空気に対して不透過性となる必要はない。リブ１０５は、空気透過性材料でできていてもよく、またはそれらの中に穴を有してもよい。リブ１０５はまた、二重壁気泡３１の内面と外面との間の距離を固定する離散支柱の配置によって置換されてもよい。
【０２４２】
二重壁リブ付き気泡３１の中の多いに低減された膨張容量により、デバイス１０のこの実施形態は、例えば、図３６に示された実施形態ほど厳密ではない、気泡を膨張させるための送出要件を有する。トランスデューサ２０を含有する気泡３１の内部空間は、加圧される必要がない。
【０２４３】
（接合された膨張型管からの多重チャンバ付き気泡）
気泡の内部を加圧させないことによって、必要膨張容量が最小限化される、図８４の二重壁気泡３１の実施形態と同様に、図８５は、膨張型ポリマー管１０６をともに束ねることによって産生される、気泡設計の実施例を示す。図８５が、より少なく、より大きい直径の管を使用して、より厚い気泡壁を生じることを示す一方で、図８６は、多数のより小さい直径の管を使用して、より薄い気泡壁を生産することを示す。
【０２４４】
この設計は、円形圧力マニホールドを必要とし、それにより、ダイアフォニック弁によって発生させられる圧力は、管状気泡壁セクションのそれぞれに分配される。図８５および８６に示された実施例は、トランスデューサ２０を取り囲む気泡の実施例である。トランスデューサが気泡の外側にあるか、または部分的に気泡によって取り囲まれる、前述のデバイスのうちのいずれかに、同じ気泡を組み込むこともできる。
【０２４５】
図８５および８６のデバイスの膨張型管状セクション１０６は、接着剤または融解あるいは溶剤接着過程によって、ともに横方向に接着されてもよい。代替として、管状セクション１０６は、それらに長さに沿って横方向に未接着のままにされてもよい。この場合、管１０６は、それらの２つの端で、またはその付近で、ともに接合されるのみである。未接合管の膨張は、構造を剛性化し、気泡３１にその形状を与える。
【０２４６】
気泡３１は、６ほどの少ない管１０６、および２０以上もの多くの管１０６から形成することができる。管１０６の数は、最終的に、圧力マニホールドを介してそれらの全てに空気流および圧力を分配する必要性によって制限される。
【０２４７】
（多重トーンの耳密閉試験）
２トーン耳密閉試験が、発泡体、シリコーン、またはゴム挿入物を含む、従来のイヤチップについて説明されている（ｈｔｔｐ：／／ｗｗｗ．ｓｅｎｓａｐｈｏｎｉｃｓ．ｃｏｍ／ｔｅｓｔ／ｉｎｄｅｘ．ｈｔｍｌ）。このアプローチは、本デバイス１０を用いて得られる耳の密閉を評価するように適用することができる。このアプローチでは、ユーザがデバイスを挿入し、次いで、連続して再生される、より低い周波数のトーン（実施例として５０Ｈｚ）およびより高い周波数のトーン（実施例として５００Ｈｚ）を聴き、次いで、同じ音量で一緒に聴く。２つのトーンがともに再生されるときに、ユーザがほぼ同じ音量で両方を聞く場合には、耳の密閉が良好である。２つのトーンが同じ音量ではないか、またはそれに近くない場合、より良好な耳の密閉を得るように、デバイスが調整される必要がある。
【０２４８】
（ＲＩＣ型補聴器用の圧力／電気連結）
図８７−９０は、本明細書で以前に参照されている、外耳道内受信機またはＲＩＣ型補聴器とともに使用される、気泡アセンブリの実施形態の詳細を提供する。この実施形態では、補聴器本体１２０（図８９）の中に位置する信号処理回路１１１およびポンプ１０９の出力は、電気および圧力信号の両方を運ぶ接続管１１３を通して、受信機１２２（図８８）および気泡３１（図８７）に連結される。受信機１２２および気泡３１は、両方ともユーザの外耳道に挿入される。
【０２４９】
（同軸ダイアフォニック弁および音響管の組み合わせの代替的設計）
図１０２は、以前の図に示されたものに対する代替的な音響管４０を示す。この実施形態では、音響管４０は、トランスデューサ２０およびデバイスの本体に取り付けられる、より大きい直径のセクション１０７、および鼓膜に向かって気泡３１の外に延在する、より小さい直径のセクション１０８といった、２つのセクションに分割される。２つの管は、それらの接合部において相互に重複する。より小さい直径の管１０８は、外管１０７の内壁と内管１０８の外壁との間に間隙１１０を残して、より大きい直径の管１０７の内側に嵌合する。間隙１１０は、以前の音響管４０の中の環状の開口部またはポートと同じ機能を図１０２の実施形態で果たす。間隙１１０を維持するために、必要な小さい間隙によって２つの同心円状管を離して保持する、スペーサ（図示せず）を有することが必要であってもよい。
【０２５０】
図１０３は、図１０２の実施形態への、最初に図４５に示された種類のポリマースリーブ３３の追加を示す。ポリマースリーブ３３は、位置Ａにおいて閉鎖され（音響管の外側に密閉される）、位置Ｂにおいて開放している。ポリマースリーブ３３の追加は、図１０２のものと比べて、図１０３のデバイスの送出効率を向上させる。
【０２５１】
図１０４は、この実施形態への空気入口管３７の追加も示す。一般に、以前に論議されている空気入口管類のうちのいずれかは、この代替的な音響管４０とともに使用することができる。例えば、音響管の中に１つより多くの空気入口管があってもよい。音響管の中の空気入口管の退出点は、図１０４に示された位置（音響管の外側のより大きいセクションの周縁の中）から、２つの管の間の間隙の中、または音響管のいずれか一方のセクションの外面上であるがポリマースリーブの下（位置ＡとＢとの間）のほぼあらゆる他の位置まで、様々であってもよい。
【０２５２】
図１０５は、トランスデューサ２０を取り囲まない気泡３１とともに、代替的音響管４０を使用できることを図示する。代替的音響管４０はまた、トランスデューサを部分的に取り囲む気泡３１とともに使用することもできる（図示せず）。
【０２５３】
図１０６は、気泡３１および音響管アセンブリ４０と、トランスデューサ２０を含むデバイス１０の本体との間の分離可能な連結器１００とともに、代替的音響管４０を使用できることを図示する。したがって、音響管４０の代替的実施形態は、除去可能な気泡３１および音響管アセンブリ４０に組み込むことができる。音響管４０の代替的実施形態は、聴取デバイスおよび補聴器用の交換可能な気泡および音響管アセンブリで使用することができる。音響管４０の代替的実施形態は、聴取デバイスおよび補聴器用の処方の交換可能気泡および音響管アセンブリにおいて使用することができ、デバイスでの間違った気泡の使用を防止するために、色分けされた、またはキーコード化された連結器を有することができる。
【０２５４】
（圧力解放および安全デバイス）
気泡の過剰加圧および耳の中での潜在的な破裂を防止する安全機能として、ユーザによる除去のためにゆっくりと、または（例えば、破裂板状圧力解放弁を介して）急速に気泡の中の圧力を放出するためのいくつかの方法のうちのいずれかが、好ましくは、本発明の実施形態に採用される。他の安全機能は、インイヤ式オーディオデバイスから分離された場合に、耳から除去されることを可能にする、気泡または気泡および音響管アセンブリ上のテザーを含む。これらの以前に開示された方法およびデバイスの全ては、本開示で説明される新しい実施形態を用いて適用することができる。
【０２５５】
（高度製造可能性を有するダイアフォニック弁）
本願の図１７−１９に示された平坦ダイアフォニック弁５０の実施形態は、ステンレス鋼から機械加工された部品、ならびにステンレス鋼層のうちのいくつかに接着されるプラスチックフィルムの層を含む。削減された費用で多数のダイアフォニック弁を生産する目的で、容易かつ急速に製造され、組み立てられる部品から作られる、平坦ダイアフォニック弁５０の実施形態を有することが望ましい。
【０２５６】
図１０７は、音声が産生されるチャンバまたは容量を覆う、図１０８に示されるように積層されるとダイアフォニック弁５０を形成する、８層のアセンブリの層構造を示す。この実施例では、チャンバは、平衡電機子トランスデューサ（Ｓｏｎｉｏｎ  ４０００系列）の後方容量であり、ダイアフォニック弁の第１の層の中の穴は、トランスデューサケースの中の０．２５ｍｍのアセンブリ穴またはポート（図１７および１８のトランスデューサ筐体４５の中の穴５７）上に嵌合する。
【０２５７】
この構造の層は、鋼鉄、ステンレス鋼、アルミニウム、他の金属、ポリエチレンテレフタレート（ＰＥＴ）、ポリエーテルケトン（ＰＥＫ）、ポリエーテルエーテルケトン（ＰＥＥＫ）、ポリアミド（ナイロン）、ポリエステル、ポリエチレン、高密度ポリエチレン、ポリテトラフルオロエチレン（ＰＴＦＥ）、発泡ポリテトラフルオロエチレン（ｅＰＴＦＥ）、フッ素重合体、ポリカーボネート、アクリロニトリルブタジエンスチレン（ＡＢＳ）、ポリブチレンテレフタレート（ＰＢＴ）、ポリフェニレンオキシド（ＰＰＯ）、ポリスルホン（ＰＳＵ）、ポリイミド、ポリフェニレンスルフィド（ＰＰＳ）、ポリスチレン（ＰＳ）、高衝撃ポリスチレン（ＨＩＰＳ）、ポリ塩化ビニル（ＰＶＣ）、ポリプロピレン（ＰＰ）、ポリオレフィン、プラスチック、工学プラスチック、熱可塑性プラスチック、熱可塑性エラストマー、Ｋｒａｔｏｎｓ（登録商標）、共重合体、またはブロック共重合体等の、広範囲の材料から作ることができる。層はまた、これらの材料の混合物または複合物、あるいは充填剤、修飾物質、着色剤、および同等物が添加されている、これらの材料のバージョンから構成されることもできる。構造の異なる層は、同じ材料または異なる材料から成ってもよい。
【０２５８】
実施例として、図１０８に示されたデバイスのバージョンは、ＰＥＴプラスチックでできていてもよい。図１０７に示された層の特性は、以下の通りである。
【０２５９】
層１：材料ＰＥＴ、入口チャンバ／チャネルカバー、全体的寸法０．０４×２．５×５．０ｍｍ、０．２５ｍｍ開口部。
【０２６０】
層２：材料ＰＥＴ、入口弁フラップチャンバを有する入口チャネル、全体的寸法０．０４×２．５×５．０ｍｍプレート、０．３ｍｍチャンバ、０．１ｍｍチャネル、０．２ｍｍ開口部。
【０２６１】
層３：材料ＰＥＴ、弁座／シンセティックジェット／入口フラップチャンバ、全体的寸法０．０４×２．５×５．０ｍｍ、３ｍｍチャンバ、０．１４ｍｍシンセティックジェット開口部。
【０２６２】
層４：材料ＰＥＴ、弁フラップ膜、全体的寸法０．０００９×２．５×５ｍｍ、２つの０．２×０．２ｍｍフラップ。
【０２６３】
層５：材料ＰＥＴ、入口弁座／開口部および部分的出口フラップチャンバ、全体的寸法０．０４×２．５×５．０ｍｍ、０．３×０．３ｍｍフラップチャンバ。
【０２６４】
層６：材料ＰＥＴ、入口／出口管類ポートおよび主要出口フラップチャンバ、０．３×２．５×５．０ｍｍ、０．４ｍｍ管類ポート、０．３×０．３ｍｍフラップチャンバ、０．２ｍｍチャネル。
【０２６５】
層７：ＰＥＴ、出口チャネル、０．０４×２．５×５ｍｍ、０．２ｍｍチャネル。
【０２６６】
層８：ＰＥＴ、出口チャネルカバー、０．０１×２．５×５．０ｍｍ。
【０２６７】
図１０９は、図１０８のダイアフォニック弁の異なる層およびチャネルを通る空気流の跡を辿っている。これは、明確にするために、組み立てられていない層で示されている。当然ながら、流動は、層が図１０７のように積層されているときにしか起こらない。実線の単頭矢印は、空気流の方向を示す。破線の双頭矢印は、音響的振動（音声）の方向を示す。図１０８および１０９の構造は、実際には二重ダイアフォニック弁であり、直列配置の２つのダイアフォニック弁を含有する。入口管からの空気に遭遇する第１の弁（層３−５の最上）は、開口部を通して空気を吸い込む音圧によって逆に動作する。第２の弁（層３−５の中央）は、開口部を通して空気を押し出す音圧によって通常に動作する。第１のダイアフォニック弁の出力は、第２のダイアフォニック弁のための入力になる。この直列配置は、単一のダイアフォニック弁と比べて、デバイスの圧力出力を高める。
【０２６８】
図１０８および１０９の層の中のチャネルの長さおよび断面、ならびに開口部およびフラップサイズは、デバイスの性能を最適化するように選択される。具体的には、これらの選択肢は、音響インピーダンス、空気流に対するインピーダンス、および構造を通して異なる経路を辿る音波の位相関係を制御する。これらの選択肢に応じて、この二重ダイアフォニック弁は、より高い空気流またはより高い圧力の発生、あるいは２つの何らかの組み合わせのために最適化することができる。これらの設計パラメータはまた、二重ダイアフォニック弁が音声周波数の関数としてどのように機能するかにも影響する。デバイスは、意図された使用、例えば、補聴器、または音楽を聴くことにおいて典型的に遭遇する、音声周波数において十分な圧力および空気流を産生するように最適化される。
【０２６９】
図１０８および１０９の層状ダイアフォニック弁構造は、極めて効率的な大規模製造を可能にするように設計されている。図１１０に図示されるように、２．５×５．０ｍｍの長方形層は、材料のシート、例えば、ＰＥＴまたはＰＥＥＫプラスチックの上に長方形のアレイで設置することができる。材料の８．５×１１インチシートが、最大で４７３０のそのような基材を保持する。材料の他のサイズのシートは、アレイで配置された異なる数のこれらの基材を保持する。図１１０に図示されるような基材のアレイ全体は、一連の極めて効率的な過程によって生産することができる。例えば、ポリマー材料は、解放層の上でこれらのパターンを形成するように、シルクスクリーン印刷またはインクジェット印刷することができる。パターンは、その後に化学エッチングが続く、リソグラフィ過程によって生産することができる。パターンはまた、エキシマー（紫外線）レーザを用いたレーザ微細機械加工または他のレーザ切断過程によって生産することもできる。レーザ微細機械加工は、商業規模で非常に効率的に行うことができ、ＰＥＴ、ＰＥＥＫ、またはプラスチックおよび金属を含む他の材料でダイアフォニック弁層のアレイを生産することができる基礎を形成する。
【０２７０】
図１０８および１０９のダイアフォニック弁の多くの組み立てられたコピーを生産する製造過程の実施例が、図１１１−１１３に図示されている。コンピュータ化されたテンプレートによって駆動されるエキシマーレーザを使用して、各基材の周囲の２．５×５．０ｍｍフレームではなく、８層構造（図１０８）の所与の層の内部構造が、ＰＥＥＫプラスチックのシート（フィルム）上で長方形のアレイに切り込まれる。ダイアフォニック弁の異なる層のシートは、必要とされる層の厚さに応じて、異なるプラスチックシートの厚さの上で生産される。この過程によって、特定の層の構造の多くのコピーを含有するシートが、アレイで生産される。８層全てのシートが正しい順序で積層され、適正に整列しているときに（図１１１）、機能的構造がシート間で整列するように、アレイパターンおよび寸法は、ダイアフォニック構造の全ての異なる層のシートについて同じである（図１０８）。基材の積層シートは、図１１２の構造を生じさせるように、熱、溶接、レーザ溶接、接着剤、または何らかの他の手段によって、相互に接着される。特に有用であるものは、ＵＶ硬化接着剤、あるいは熱、放射線、またはバッキング層の除去によって活性化される接着剤で事前被覆されるプラスチックシーティングである。
【０２７１】
一旦基材を含有する全てのシートがともに接着されると（図１１２）、各ダイアフォニック弁の周囲のフレームを切り取り、同時にシートの全ての層を切り開くために、レーザが使用される。これが、完成したダイアフォニック弁（図１１３）を生産する。代替として、取り扱い易さのために、シートの中にダイアフォニック弁を接続されたまま残し、各ダイアフォニック弁を包囲するフレームを完全には切り開かないが、刻み目を入れるか、または穿孔するためにレーザが使用されてもよい。しかしながら、これらのダイアフォニック弁のシートは、レーザ切断された刻み目または穿孔に沿って割ることによって、個々のダイアフォニック弁に容易に分離することができる。この過程はまた、前述のシートのバッチ処理よりもむしろ、連続過程でレーザ機械加工および接着される、材料のロールにおいて行うこともできる。
【０２７２】
平衡電機子トランスデューサのケーシング等の音源上に静置する、このダイアフォニック弁構造の層１の裏面は、接着剤の被覆を伴って生産されてもよい。この接着剤は、上記で説明されるような多層ダイアフォニック弁構造の製造過程の全体を通して不活性のままである。層１の裏面上のこの接着剤は、熱、放射線、またはバッキング層の除去によって活性化されてもよく、一旦活性化されると、音源への組み立てられたダイアフォニック弁全体の接着を可能にする。
【０２７３】
複数のダイアフォニック弁が、同じ層状の積層基材配置で製造されてもよい。これらは、並列または直列で、あるいは並列および直列接続の組み合わせで配置されてもよい。図１１４は、図１０８のように積層されると、２対で配置される４つのダイアフォニック弁を有する二重・二重ダイアフォニック弁を生産する、基材の８層システムを示す。これらの対の各々は、図１０８の種類の順方向弁が後に続く、逆弁の直列配置である。この二重・二重ダイアフォニック弁を通る音圧および空気流は、それぞれ、図１１７および１１８に図示されている。これらの逆・順方向対は、構造における空気流インピーダンスの同調に応じて、主に直列または主に並列となり得る方法で配置される。これは、図１１４および１１７の逆・順方向弁対の両方が、共通トランスデューサ後方容量に接続される、トランスデューサケースの中の別個の穴を覆っているためである。空気および静圧が、２つの逆・順方向弁対を接続する、この後方容量を通って流れることができる程度に、これらの対の接続は、並列特徴を有する。しかしながら、トランスデューサの後方容量を通る空気流を最小化するように開口部量インピーダンスが調節される場合には、２つの逆・順方向弁対の接続は、第２の弁対の入力に供給する第１の弁対の出力を伴って、主に直列である。これは、図１１７に図示されている場合である。この主に直列の構成は、最終出力圧力を高めるために望ましい。
【０２７４】
図１１５は、図１０８のように積層されると、直列の６つの弁を有する二重・二重ダイアフォニック弁を生産する基材のシステムを示す。この二重・二重ダイアフォニック弁を通る音圧および空気流は、それぞれ、図１１９および１２０に図示されている。トランスデューサ後方容量を通る空気流を制限するようにインピーダンスが調整されると、各交互の逆および順方向弁の空気流および圧力出力が、直列的に相互に供給する。図１１７のように直列にダイアフォニック弁を配置することは、システムの圧力出力を高める。
【０２７５】
各シンセティックジェット開口部用に１つのフラップを含有する層４が存在せず、シンセティックジェットがフラップなしで動作する実施形態が存在する。フラップが逆シンセティックジェットダイアフォニック弁用に開口部の下流側に存在するが、順方向動作シンセティックジェットダイアフォニック弁の上にはフラップが存在しない実施形態も存在する。フラップが順方向動作シンセティックジェットダイアフォニック弁用に開口部の下流側に存在するが、逆方向動作シンセティックジェットダイアフォニック弁の上にはフラップが存在しない実施形態も存在する。
【０２７６】
図１１６は、複数のダイアフォニックシステム（この場合は三重・二重）が単一の音源（平衡電機子トランスデューサの後方容量の中の単一の穴）から動作することを可能にする実施形態を示す。図１１５の実施形態の第１の層は、２つの層に置換され、９層を有する全体的構造をもたらす。これらの層のうちの第１の層は、単一の音源を覆うように位置付けられる単一の穴を含有する。第２の層は、この音源を３つの逆・順方向二重ダイアフォニック弁に分配するスロットマニホールドである。第２の層のスロットマニホールドの中の空気流に対するインピーダンスが高い程度まで、この実施形態は、３つの逆・順方向二重ダイアフォニック弁の主に直列の接続を維持する。
【０２７７】
（インイヤ式デバイス上の耳垢の蓄積を防止するダイアフォニック弁）
インイヤ式デバイス上の耳垢の蓄積は、補聴器、ヘッドセット、および他のインイヤ式聴取デバイスのトランスデューサならびに他の機械および電子部品を汚染し得る根強い問題である。外耳道の中の耳垢は、ろう状の固体として存在するとともに、気相としても存在する。この耳垢蒸気は、外耳道の内面と直接接触していない音響管の内側および平衡電機子トランスデューサの内部構造等の、インイヤ式デバイス（例えば、外耳道内受信機、ＲＩＣ、補聴器）の部品に浸透し得る。次いで、耳垢蒸気は、固体に凝結し、それにより、インイヤ式デバイスの内部構造を汚染し得る。耳垢蒸気汚染もまた、耳の中に配置された電子機器および他の構造にとっての問題である。この耳垢による汚染は、補聴器および他のインイヤ式デバイスの故障の主な原因である。
【０２７８】
本特許で開示される実施形態のうちのいずれかにおけるダイアフォニック弁は、耳垢蒸気の浸潤を防止する、トランスデューサの前方容量の中および音響管の中に陽圧を生成することによって、インイヤ式デバイスの耳垢汚染を低減または排除するために使用することができる。補聴器の本体を含むことができるインイヤ式デバイスを通り、最終的には耳を通って外へ、１つまたは複数のダイアフォニック弁によって送出される遅い空気流はまた、外耳道からこの蒸気を洗い流し、インイヤ式デバイスの外側の外耳道の中の耳垢を低減することもできる。この洗浄はまた、着用者にとって不快となり得る熱および急激な大気圧変化の効果を軽減する。この洗浄過程は、少量の気流の脱出を可能にするイヤチップまたはイヤシールの使用を必要とする。本明細書で説明される種々のインイヤ式気泡は、少量の空気の脱出を可能にすることができる、そのような穏やかなイヤシールの実施例である。加えて、音声から圧力を発生されるダイアフォニック弁に基づく、この陽圧耳垢洗浄システムは、気流が外耳道から脱出することができるので、開放構造の外耳道内受信機（ＲＩＣ）聴取デバイスに適用可能である。圧力、耳垢蒸気、湿度、および熱気の放出のために、小さい通気口を閉鎖構造のイヤチップの中に配置することができる。
【０２７９】
耳垢の蓄積を低減する陽圧および遅い空気流は、一連のダイアフォニック弁の実施形態を使用して達成することができる。図１２１は、前方容量の中へ空気を送出するように逆に動作し、したがって、前方容量および音響管４０の中に陽圧を生成するダイアフォニック弁５０を有する平衡電機子トランスデューサ２０を示す。図１２２は、平衡電機子トランスデューサ２０の後方容量の中へ空気を送出するように逆に動作するダイアフォニック弁５０を図示する。この圧力は、前方容量から後方容量を分離する補正ポート５６を通過し、したがって、前方容量および音響管４０を加圧して耳垢蒸気の浸潤を防止する。図１２３は、入口管３７からダイアフォニック弁５０を通り、出口管３８を通って音響管４０の中へ空気を移動させるために音響送出エネルギーを使用し、音響管に、耳垢蒸気の浸潤を防止するように陽圧を生成する平衡電機子トランスデューサ２０の後方容量に取り付けられたダイアフォニック弁５０を示す。ダイアフォニック弁５０が後方容量よりもむしろ前方容量から外れる、図１２３と同様の実施形態が可能である。図１２４は、その前方容量の上の逆転ダイアフォニック弁５０、および音響管４０に接続された出口５９を有するその後方容量の上の別のダイアフォニック弁５０を有するトランスデューサ２０を示す。これらのダイアフォニック弁５０の両方は、前方容量および音響管４０の中に陽圧を生成して耳垢蒸気の浸潤を防止するように稼働する。耳垢蒸気を閉め出す陽性空気圧を生成するために、トランスデューサ前方容量および音響管の中へ空気を送出するように音響エネルギーを使用する、多数の他の単一および多重ダイアフォニック弁構成が可能である。全てのこれらの実施形態では、進入空気源は、外耳道の外側になければならないか、または管あるいは他の搬送を介して外側に接続されなければならない。
【０２８０】
図１２５は、ダイアフォニック弁５０の動作によって加圧される音響管４０が、発泡ポリテトラフルオロエチレン（ｅＰＴＦＥ）等の多孔性材料の閉鎖ポリマー気泡３１に流し込む、実施形態を図示する。これは、耳垢蒸気の浸潤を防止する、気泡表面を通る一定の空気流出を生成する。図１２５は、１つだけの可能なダイアフォニック弁５０の配置を示し、耳垢蒸気の浸潤を防止するように陽圧および外向きの空気流を生成する目的で、多孔性気泡を膨張させるように、図１２１−１２４の配置のうちの任意のもの、および多くのその他のものを生産することができる。図１２５は、音響管４０の端に取り付けられた多孔性気泡３１を示す。この多孔性気泡はまた、部分的または完全にトランスデューサ２０の本体を取り囲み、依然として、陽圧および陽性空気流を１つ以上のダイアフォニック弁５０の動作によって発生させられることができる。加えて、図１２５の気泡は、音に対して透過性または大部分が透過性であり、空気流に対して浸透性である、音響管４０の端の上の、より小さく、おそらく平坦なカバーに置換することができる。この目的に好適となる材料の実施例は、発泡ポリテトラフルオロエチレン（ｅＰＴＦＥ）である。
【０２８１】
本発明の上記の実施形態、具体的には、あらゆる「好ましい」実施形態が、本発明の原理の明確な理解のために記載される実装の可能な実施例にすぎないことが強調されるべきである。本発明の精神および原理から大幅に逸脱することなく、多くの変化および修正が本発明の上記の実施形態に行われてもよい。全てのそのような修正は、本開示および本発明の範囲内に含まれ、以下の請求項によって保護されることを目的としている。
【０２８２】
前述の説明および添付図面で記載される事柄は、限定ではなく例示のみとして提供される。特定の実施形態が示され、説明されているが、出願者らの貢献のより広い側面から逸脱することなく、変更および修正が行われてもよいことが、当業者に明白となるであろう。求められる保護の実際の範囲は、従来技術に基づく適正な視点から見ると、以下の請求項で定義されることを目的としている。
【図１】
2012526498.tif 000003
【図２】
2012526498.tif 000004
【図３】
2012526498.tif 000005
【図４】
2012526498.tif 000006
【図５】
2012526498.tif 000007
【図６】
2012526498.tif 000008
【図７】
2012526498.tif 000009
【図８】
2012526498.tif 000010
【図９】
2012526498.tif 000011
【図１０】
2012526498.tif 000012
【図１１】
2012526498.tif 000013
【図１２】
2012526498.tif 000014
【図１３】
2012526498.tif 000015
【図１４】
2012526498.tif 000016
【図１５】
2012526498.tif 000017
【図１６】
2012526498.tif 000018
【図１７】
2012526498.tif 000019
【図１８】
2012526498.tif 000020
【図１９】
2012526498.tif 000021
【図２０】
2012526498.tif 000022
【図２１】
2012526498.tif 000023
【図２２】
2012526498.tif 000024
【図２３】
2012526498.tif 000025
【図２４】
2012526498.tif 000026
【図２５】
2012526498.tif 000027
【図２６】
2012526498.tif 000028
【図２７】
2012526498.tif 000029
【図２８】
2012526498.tif 000030
【図２９】
2012526498.tif 000031
【図３０】
2012526498.tif 000032
【図３１】
2012526498.tif 000033
【図３２】
2012526498.tif 000034
【図３３】
2012526498.tif 000035
【図３４】
2012526498.tif 000036
【図３５】
2012526498.tif 000037
【図３６】
2012526498.tif 000038
【図３７】
2012526498.tif 000039
【図３８】
2012526498.tif 000040
【図３９】
2012526498.tif 000041
【図４０】
2012526498.tif 000042
【図４１】
2012526498.tif 000043
【図４２】
2012526498.tif 000044
【図４３】
2012526498.tif 000045
【図４４】
2012526498.tif 000046
【図４５】
2012526498.tif 000047
【図４６】
2012526498.tif 000048
【図４７】
2012526498.tif 000049
【図４８】
2012526498.tif 000050
【図４９】
2012526498.tif 000051
【図５０】
2012526498.tif 000052
【図５１】
2012526498.tif 000053
【図５２】
2012526498.tif 000054
【図５３】
2012526498.tif 000055
【図５４】
2012526498.tif 000056
【図５５】
2012526498.tif 000057
【図５６】
2012526498.tif 000058
【図５７】
2012526498.tif 000059
【図５８】
2012526498.tif 000060
【図５９】
2012526498.tif 000061
【図６０】
2012526498.tif 000062
【図６１】
2012526498.tif 000063
【図６２】
2012526498.tif 000064
【図６３】
2012526498.tif 000065
【図６４】
2012526498.tif 000066
【図６５】
2012526498.tif 000067
【図６６】
2012526498.tif 000068
【図６７】
2012526498.tif 000069
【図６８】
2012526498.tif 000070
【図６９】
2012526498.tif 000071
【図７０】
2012526498.tif 000072
【図７１】
2012526498.tif 000073
【図７２】
2012526498.tif 000074
【図７３】
2012526498.tif 000075
【図７４】
2012526498.tif 000076
【図７５】
2012526498.tif 000077
【図７６】
2012526498.tif 000078
【図７７】
2012526498.tif 000079
【図７８ａ】
2012526498.tif 000080
【図７８ｂ】
2012526498.tif 000081
【図７９】
2012526498.tif 000082
【図８０】
2012526498.tif 000083
【図８１】
2012526498.tif 000084
【図８２】
2012526498.tif 000085
【図８３】
2012526498.tif 000086
【図８４】
2012526498.tif 000087
【図８５】
2012526498.tif 000088
【図８６】
2012526498.tif 000089
【図８７】
2012526498.tif 000090
【図８８】
2012526498.tif 000091
【図８９】
2012526498.tif 000092
【図９０】
2012526498.tif 000093
【図９１】
2012526498.tif 000094
【図９２】
2012526498.tif 000095
【図９３】
2012526498.tif 000096
【図９４】
2012526498.tif 000097
【図９５】
2012526498.tif 000098
【図９６】
2012526498.tif 000099
【図９７】
2012526498.tif 000100
【図９８】
2012526498.tif 000101
【図９９】
2012526498.tif 000102
【図１００】
2012526498.tif 000103
【図１０１】
2012526498.tif 000104
【図１０２】
2012526498.tif 000105
【図１０３】
2012526498.tif 000106
【図１０４】
2012526498.tif 000107
【図１０５】
2012526498.tif 000108
【図１０６】
2012526498.tif 000109
【図１０７】
2012526498.tif 000110
【図１０８】
2012526498.tif 000111
【図１０９】
2012526498.tif 000112
【図１１０】
2012526498.tif 000113
【図１１１】
2012526498.tif 000114
【図１１２】
2012526498.tif 000115
【図１１３】
2012526498.tif 000116
【図１１４】
2012526498.tif 000117
【図１１５】
2012526498.tif 000118
【図１１６】
2012526498.tif 000119
【図１１７】
2012526498.tif 000120
【図１１８】
2012526498.tif 000121
【図１１９】
2012526498.tif 000122
【図１２０】
2012526498.tif 000123
【図１２１】
2012526498.tif 000124
【図１２２】
2012526498.tif 000125
【図１２３】
2012526498.tif 000126
【図１２４】
2012526498.tif 000127
【図１２５】
2012526498.tif 000128
【手続補正書】
【提出日】平成24年1月11日(2012.1.11)
【手続補正１】
【補正対象書類名】図面
【補正対象項目名】全図
【補正方法】変更
【補正の内容】
【図１】
2012526498.tif 000129
【図２】
2012526498.tif 000130
【図３】
2012526498.tif 000131
【図４】
2012526498.tif 000132
【図５】
2012526498.tif 000133
【図６】
2012526498.tif 000134
【図７】
2012526498.tif 000135
【図８】
2012526498.tif 000136
【図９】
2012526498.tif 000137
【図１０】
2012526498.tif 000138
【図１１】
2012526498.tif 000139
【図１２】
2012526498.tif 000140
【図１３】
2012526498.tif 000141
【図１４】
2012526498.tif 000142
【図１５】
2012526498.tif 000143
【図１６】
2012526498.tif 000144
【図１７】
2012526498.tif 000145
【図１８】
2012526498.tif 000146
【図１９】
2012526498.tif 000147
【図２０】
2012526498.tif 000148
【図２１】
2012526498.tif 000149
【図２２】
2012526498.tif 000150
【図２３】
2012526498.tif 000151
【図２４】
2012526498.tif 000152
【図２５】
2012526498.tif 000153
【図２６】
2012526498.tif 000154
【図２７】
2012526498.tif 000155
【図２８】
2012526498.tif 000156
【図２９】
2012526498.tif 000157
【図３０】
2012526498.tif 000158
【図３１】
2012526498.tif 000159
【図３２】
2012526498.tif 000160
【図３３】
2012526498.tif 000161
【図３４】
2012526498.tif 000162
【図３５】
2012526498.tif 000163
【図３６】
2012526498.tif 000164
【図３７】
2012526498.tif 000165
【図３８】
2012526498.tif 000166
【図３９】
2012526498.tif 000167
【図４０】
2012526498.tif 000168
【図４１】
2012526498.tif 000169
【図４２】
2012526498.tif 000170
【図４３】
2012526498.tif 000171
【図４４】
2012526498.tif 000172
【図４５】
2012526498.tif 000173
【図４６】
2012526498.tif 000174
【図４７】
2012526498.tif 000175
【図４８】
2012526498.tif 000176
【図４９】
2012526498.tif 000177
【図５０】
2012526498.tif 000178
【図５１】
2012526498.tif 000179
【図５２】
2012526498.tif 000180
【図５３】
2012526498.tif 000181
【図５４】
2012526498.tif 000182
【図５５】
2012526498.tif 000183
【図５６】
2012526498.tif 000184
【図５７】
2012526498.tif 000185
【図５８】
2012526498.tif 000186
【図５９】
2012526498.tif 000187
【図６０】
2012526498.tif 000188
【図６１】
2012526498.tif 000189
【図６２】
2012526498.tif 000190
【図６３】
2012526498.tif 000191
【図６４】
2012526498.tif 000192
【図６５】
2012526498.tif 000193
【図６６】
2012526498.tif 000194
【図６７】
2012526498.tif 000195
【図６８】
2012526498.tif 000196
【図６９】
2012526498.tif 000197
【図７０】
2012526498.tif 000198
【図７１】
2012526498.tif 000199
【図７２】
2012526498.tif 000200
【図７３】
2012526498.tif 000201
【図７４】
2012526498.tif 000202
【図７５】
2012526498.tif 000203
【図７６】
2012526498.tif 000204
【図７７】
2012526498.tif 000205
【図７８】
2012526498.tif 000206
【図７９】
2012526498.tif 000207
【図８０】
2012526498.tif 000208
【図８１】
2012526498.tif 000209
【図８２】
2012526498.tif 000210
【図８３】
2012526498.tif 000211
【図８４】
2012526498.tif 000212
【図８５】
2012526498.tif 000213
【図８６】
2012526498.tif 000214
【図８７】
2012526498.tif 000215
【図８８】
2012526498.tif 000216
【図８９】
2012526498.tif 000217
【図９０】
2012526498.tif 000218
【図９１】
2012526498.tif 000219
【図９２】
2012526498.tif 000220
【図９３】
2012526498.tif 000221
【図９４】
2012526498.tif 000222
【図９５】
2012526498.tif 000223
【図９６】
2012526498.tif 000224
【図９７】
2012526498.tif 000225
【図９８】
2012526498.tif 000226
【図９９】
2012526498.tif 000227
【図１００】
2012526498.tif 000228
【図１０１】
2012526498.tif 000229
【図１０２】
2012526498.tif 000230
【図１０３】
2012526498.tif 000231
【図１０４】
2012526498.tif 000232
【図１０５】
2012526498.tif 000233
【図１０６】
2012526498.tif 000234
【図１０７】
2012526498.tif 000235
【図１０８】
2012526498.tif 000236
【図１０９】
2012526498.tif 000237
【図１１０】
2012526498.tif 000238
【図１１１】
2012526498.tif 000239
【図１１２】
2012526498.tif 000240
【図１１３】
2012526498.tif 000241
【図１１４】
2012526498.tif 000242
【図１１５】
2012526498.tif 000243
【図１１６】
2012526498.tif 000244
【図１１７】
2012526498.tif 000245
【図１１８】
2012526498.tif 000246
【図１１９】
2012526498.tif 000247
【図１２０】
2012526498.tif 000248
【図１２１】
2012526498.tif 000249
【図１２２】
2012526498.tif 000250
【図１２３】
2012526498.tif 000251
【図１２４】
2012526498.tif 000252
【図１２５】
2012526498.tif 000253
【国際調査報告】
2012526498.tif 000254
2012526498.tif 000255